(57)【要約】マルチセル高速ダウンリンクパケットアクセス（ＨＳＤＰＡ）動作に関するフィードバックを送信するための方法および装置が開示される。ワイヤレス送／受信装置（ＷＴＲＵ）は、拡散係数が１２８である複数の高速個別物理制御チャネル（ＨＳ−ＤＰＣＣＨ）を経由して、複数のセルに関するハイブリッド自動再送要求応答（ＨＡＲＱ−ＡＣＫ）メッセージおよび／またはチャネル品質表示（ＣＱＩ）もしくはプリコーディング制御表示／チャネル品質表示（ＰＣＩ／ＣＱＩ）メッセージを生成ならびに送信することが可能である。それぞれのＨＡＲＱ−ＡＣＫメッセージを、２つのセルにマッピングすることが可能であり、それぞれのＣＱＩまたはＰＣＩ／ＣＱＩメッセージを１つのセルにマッピングすることが可能である。ＨＳ−ＤＰＣＣＨにおいていずれのセルもアクティブ化または非アクティブ化されることを条件に、セルをそのＨＳ−ＤＰＣＣＨ内のＨＡＲＱ−ＡＣＫメッセージおよびＣＱＩまたはＰＣＩ／ＣＱＩメッセージにリマッピングすることが可能である。
2014506437.tif 000002
【特許請求の範囲】
【請求項１】
マルチセル高速ダウンリンクパケットアクセス（ＨＳＤＰＡ）動作に関するフィードバックを送信するための方法であって、
複数のセルからのダウンリンク送信を受信するステップと、
前記セルに関する、ハイブリッド自動再送要求応答（ＨＡＲＱ−ＡＣＫ）メッセージ、および／またはチャネル品質表示（ＣＱＩ）もしくはプリコーディング制御表示／チャネル品質表示（ＰＣＩ／ＣＱＩ）メッセージを生成するステップと、
前記ＨＡＲＱ−ＡＣＫメッセージおよび／または前記ＣＱＩもしくはＰＣＩ／ＣＱＩメッセージを符号化するステップと、
拡散係数が１２８である複数の高速個別物理制御チャネル（ＨＳ−ＤＰＣＣＨ）において、前記符号化されたＨＡＲＱ−ＡＣＫメッセージおよび／または前記符号化されたＣＱＩもしくはＰＣＩ／ＣＱＩメッセージを送信するステップと
を含み、
それぞれのＨＳ−ＤＰＣＣＨは、少なくとも２つの符号化されたＨＡＲＱ−ＡＣＫメッセージおよび少なくとも２つの符号化されたＣＱＩまたはＰＣＩ／ＣＱＩメッセージをＨＳ−ＤＰＣＣＨサブフレームで搬送するように構成され、
それぞれのＨＡＲＱ−ＡＣＫメッセージは、２つのセルに関するＨＡＲＱ情報が結合符号化されるように２つのセルにマッピングされ、それぞれのＣＱＩまたはＰＣＩ／ＣＱＩメッセージは１つのセルにマッピングされ、２つのＨＳ−ＤＰＣＣＨサブフレームによって、最高で４つまでのセルの前記符号化されたＣＱＩまたはＰＣＩ／ＣＱＩメッセージは、第１の報告内で送信され、最高で４つまでの別のセルの前記符号化されたＣＱＩまたはＰＣＩ／ＣＱＩメッセージは、第２の報告内で送信され、
１つのＨＳ−ＤＰＣＣＨにおいていずれのセルもアクティブ化されるまたは非アクティブ化されることを条件に、そのＨＳ−ＤＰＣＣＨ内で、前記セルがＨＡＲＱ−ＡＣＫメッセージおよびＣＱＩもしくはＰＣＩ／ＣＱＩメッセージにリマッピングされ、かつ／あるいは前記ＨＡＲＱ−ＡＣＫメッセージおよび／または前記ＣＱＩもしくはＰＣＩ／ＣＱＩメッセージが繰り返される
ことを特徴とする方法。
【請求項２】
前記ＨＳ−ＤＰＣＣＨのうちのいずれか１つにおいて３つのセルがアクティブである場合、２つのアクティブなセルのＨＡＲＱ−ＡＣＫ情報が結合符号化され、もう１つのアクティブなセルのＨＡＲＱ−ＡＣＫ情報が不連続送信（ＤＴＸ）メッセージと結合符号化されることを特徴とする請求項１に記載の方法。
【請求項３】
前記ＨＳ−ＤＰＣＣＨのうちのいずれか１つにおいて２つのセルがアクティブである場合、２つのアクティブなセルのＨＡＲＱ−ＡＣＫ情報が結合符号化され、結果として生じる符号語が繰り返されて、前記ＨＳ−ＤＰＣＣＨのＨＡＲＱ−ＡＣＫスロットを満たすことを特徴とする請求項１に記載の方法。
【請求項４】
前記ＨＳ−ＤＰＣＣＨのうちのいずれか１つにおいて１つのセルがアクティブである場合、前記アクティブなセルのＨＡＲＱ−ＡＣＫ情報が不連続送信（ＤＴＸ）メッセージと符号化され、結果として生じる符号語が繰り返されて、前記ＨＳ−ＤＰＣＣＨのＨＡＲＱ−ＡＣＫスロットを満たすことを特徴とする請求項１に記載の方法。
【請求項５】
前記ＨＳ−ＤＰＣＣＨのうちのいずれか１つにおいてアクティブなセルがない場合、前記ＨＳ−ＤＰＣＣＨのＨＡＲＱ−ＡＣＫスロットが送信されないか、または不連続送信（ＤＴＸ）符号語が繰り返されて、前記ＨＳ−ＤＰＣＣＨの前記ＨＡＲＱ−ＡＣＫスロットを満たすことを特徴とする請求項１に記載の方法。
【請求項６】
前記ＨＳ−ＤＰＣＣＨのうちのいずれか１つにおいて３つのセルがアクティブである場合、２つのアクティブなセルのＣＱＩまたはＰＣＩ／ＣＱＩメッセージが前記第１の報告内で搬送され、もう１つのアクティブなセルのＣＱＩまたはＰＣＩ／ＣＱＩメッセージが前記第２の報告内で繰り返されることを特徴とする請求項１に記載の方法。
【請求項７】
前記ＨＳ−ＤＰＣＣＨのうちのいずれか１つにおいて２つのセルがアクティブである場合、１つのセルのＣＱＩまたはＰＣＩ／ＣＱＩメッセージが前記第１の報告内で繰り返され、もう１つのセルのＣＱＩまたはＰＣＩ／ＣＱＩメッセージが前記第２の報告内で繰り返されることを特徴とする請求項１に記載の方法。
【請求項８】
前記ＨＳ−ＤＰＣＣＨのうちのいずれか１つにおいて１つのセルがアクティブである場合、前記アクティブなセルのＣＱＩまたはＰＣＩ／ＣＱＩメッセージが前記第１の報告内で繰り返され、前記第２の報告が送信されないことを特徴とする請求項１に記載の方法。
【請求項９】
ＨＳ−ＤＰＣＣＨにおいてアクティブなセルがない場合、前記ＨＳ−ＤＰＣＣＨのＣＱＩまたはＰＣＩ／ＣＱＩスロットが送信されないことを特徴とする請求項１に記載の方法。
【請求項１０】
それぞれのＨＳ−ＤＰＣＣＨ上の前記ＨＡＲＱ−ＡＣＫメッセージまたは前記ＣＱＩもしくはＰＣＩ／ＣＱＩメッセージに関する電力オフセットが、アクティブな二次セルの数、および対応するＨＳ−ＤＰＣＣＨ上の多入力多出力（ＭＩＭＯ）構成状態に基づいて独立して判断されることを特徴とする請求項１に記載の方法。
【請求項１１】
ＨＡＲＱプリアンブルおよびＨＡＲＱポストアンブルを送信するための条件が両方のＨＳ−ＤＰＣＣＨにおいて満たされることを条件に、両方のＨＳ−ＰＣＣＨにおいて前記ＨＡＲＱプリアンブルおよび前記ポストアンブルを同時に送信するステップ
をさらに含むことを特徴とする請求項１に記載の方法。
【請求項１２】
マルチセル高速ダウンリンクパケットアクセス（ＨＳＤＰＡ）動作に関するフィードバックを送信するためのワイヤレス送／受信装置（ＷＴＲＵ）であって、
複数のセルからのダウンリンク送信を受信するように構成されたトランシーバと、
前記セルに関する、ハイブリッド自動再送要求応答（ＨＡＲＱ−ＡＣＫ）メッセージおよび／またはチャネル品質表示（ＣＱＩ）もしくはプリコーディング制御表示／チャネル品質表示（ＰＣＩ／ＣＱＩ）メッセージを生成し、前記ＨＡＲＱ−ＡＣＫメッセージおよび／または前記ＣＱＩもしくはＰＣＩ／ＣＱＩメッセージを符号化し、拡散係数が１２８である複数の高速個別物理制御チャネル（ＨＳ−ＤＰＣＣＨ）において、前記符号化されたＨＡＲＱ−ＡＣＫメッセージおよび／または前記符号化されたＣＱＩもしくはＰＣＩ／ＣＱＩメッセージを送信するように構成されたプロセッサと
を備え、
それぞれのＨＳ−ＤＰＣＣＨは、少なくとも２つの符号化されたＨＡＲＱ−ＡＣＫメッセージおよび少なくとも２つの符号化されたＣＱＩまたはＰＣＩ／ＣＱＩメッセージをＨＳ−ＤＰＣＣＨサブフレームで搬送するように構成され、
それぞれのＨＡＲＱ−ＡＣＫメッセージは、２つのセルに関するＨＡＲＱ情報が結合符号化されるように２つのセルにマッピングされ、それぞれのＣＱＩまたはＰＣＩ／ＣＱＩメッセージは、１つのセルにマッピングされ、２つのＨＳ−ＤＰＣＣＨサブフレームによって、最高で４つまでのセルの前記符号化されたＣＱＩまたはＰＣＩ／ＣＱＩメッセージは、第１の報告内で送信され、最高で４つまでの別のセルの前記符号化されたＣＱＩまたはＰＣＩ／ＣＱＩメッセージは、第２の報告内で送信され、
前記プロセッサは、ＨＳ−ＤＰＣＣＨにおいていずれのセルもアクティブ化または非アクティブ化されることを条件に、そのＨＳ−ＤＰＣＣＨ内で、前記セルをＨＡＲＱ−ＡＣＫメッセージおよびＣＱＩもしくはＰＣＩ／ＣＱＩメッセージにリマッピングするように構成され、かつ／あるいは前記ＨＡＲＱ−ＡＣＫメッセージおよび／または前記ＣＱＩもしくはＰＣＩ／ＣＱＩメッセージが繰り返される
ことを特徴とするＷＴＲＵ。
【請求項１３】
前記ＨＳ−ＤＰＣＣＨのうちのいずれか１つにおいて３つのセルがアクティブである場合、前記プロセッサが、２つのアクティブなセルのＨＡＲＱ−ＡＣＫ情報を結合符号化し、もう１つのアクティブなセルのＨＡＲＱ−ＡＣＫ情報を不連続送信（ＤＴＸ）メッセージと結合符号化するように構成されていることを特徴とする請求項１２に記載のＷＴＲＵ。
【請求項１４】
前記ＨＳ−ＤＰＣＣＨのうちのいずれか１つにおいて２つのセルがアクティブである場合、前記プロセッサは、２つのアクティブなセルのＨＡＲＱ−ＡＣＫ情報を結合符号化し、結果として生じる符号語を繰り返して、前記ＨＳ−ＤＰＣＣＨのＨＡＲＱ−ＡＣＫスロットを満たすように構成されていることを特徴とする請求項１２に記載のＷＴＲＵ。
【請求項１５】
前記ＨＳ−ＤＰＣＣＨのうちのいずれか１つにおいて１つのセルがアクティブである場合、前記プロセッサは、前記アクティブなセルのＨＡＲＱ−ＡＣＫ情報を不連続送信（ＤＴＸ）メッセージと符号化し、結果として生じる符号語を繰り返して、前記ＨＳ−ＤＰＣＣＨのＨＡＲＱ−ＡＣＫスロットを満たすように構成されていることを特徴とする請求項１２に記載のＷＴＲＵ。
【請求項１６】
前記ＨＳ−ＤＰＣＣＨのうちのいずれか１つにおいてアクティブなセルがない場合、前記プロセッサは、前記ＨＳ−ＤＰＣＣＨのＨＡＲＱ−ＡＣＫスロットを送信しないか、または不連続送信（ＤＴＸ）符号語を繰り返して、前記ＨＳ−ＤＰＣＣＨの前記ＨＡＲＱ−ＡＣＫスロットを満たすように構成されていることを特徴とする請求項１２に記載のＷＴＲＵ。
【請求項１７】
前記ＨＳ−ＤＰＣＣＨのうちのいずれか１つにおいて３つのセルがアクティブである場合、前記プロセッサは、２つのアクティブなセルのＣＱＩまたはＰＣＩ／ＣＱＩメッセージを前記第１の報告内で送信し、もう１つのアクティブなセルのＣＱＩまたはＰＣＩ／ＣＱＩメッセージを前記第２の報告内で繰り返すように構成されていることを特徴とする請求項１２に記載のＷＴＲＵ。
【請求項１８】
前記ＨＳ−ＤＰＣＣＨのうちのいずれか１つにおいて２つのセルがアクティブである場合、前記プロセッサは、１つのセルのＣＱＩまたはＰＣＩ／ＣＱＩメッセージを前記第１の報告内で繰り返し、他のセルのＣＱＩまたはＰＣＩ／ＣＱＩメッセージを前記第２の報告内で繰り返すように構成されていることを特徴とする請求項１２に記載のＷＴＲＵ。
【請求項１９】
前記ＨＳ−ＤＰＣＣＨのうちのいずれか１つにおいて１つのセルがアクティブである場合、前記プロセッサは、前記アクティブなセルのＣＱＩまたはＰＣＩ／ＣＱＩメッセージを前記第１の報告内で繰り返し、前記第２の報告を送信しないように構成されていることを特徴とする請求項１２に記載のＷＴＲＵ。
【請求項２０】
前記ＨＳ−ＤＰＣＣＨのうちのいずれか１つにおいてアクティブなセルがない場合、前記プロセッサは、前記ＨＳ−ＤＰＣＣＨのＣＱＩまたはＰＣＩ／ＣＱＩスロットを送信しないように構成されていることを特徴とする請求項１２に記載のＷＴＲＵ。
【請求項２１】
それぞれのＨＳ−ＤＰＣＣＨ上の前記ＨＡＲＱ−ＡＣＫメッセージまたは前記ＣＱＩもしくはＰＣＩ／ＣＱＩメッセージに関する電力オフセットが、アクティブな二次セルの数、および対応するＨＳ−ＤＰＣＣＨ上の多入力多出力（ＭＩＭＯ）構成状態に基づいて独立して判断されることを特徴とする請求項１２に記載のＷＴＲＵ。
【請求項２２】
前記プロセッサは、ＨＡＲＱプリアンブルおよびＨＡＲＱポストアンブルを送信するための条件が両方のＨＳ−ＤＰＣＣＨにおいて満たされることを条件に、両方のＨＳ−ＤＰＣＣＨにおいて前記ＨＡＲＱプリアンブルおよび前記ＨＡＲＱポストアンブルを同時に送信するように構成されていることを特徴とする請求項１２に記載のＷＴＲＵ。
【発明の詳細な説明】
【技術分野】
【０００１】
本出願は、マルチセル高速ダウンリンクパケットアクセス動作に関するフィードバックに関する。
【背景技術】
【０００２】
関連出願の相互参照
本出願は、本明細書によって内容が参照により本明細書に組み込まれている、２０１１年１月７日に出願した米国特許仮出願第６１／４３０，９０５号、２０１１年２月１１日に出願した米国特許仮出願第６１／４４２，０５２号、２０１１年４月２９日に出願した米国特許仮出願第６１／４８０，８５９号、および２０１１年８月１１日に出願した米国特許仮出願第６１／５２２，３５６号の利益を主張するものである。
【０００３】
ワイヤレス技術は、エンドユーザからの増大する帯域幅需要を満たすために進化し続けている。近年、第３世代パートナーシッププロジェクト（３ＧＰＰ）広帯域符号分割多元接続（ＷＣＤＭＡ（登録商標））仕様のリリース８の一部として、２つの高速ダウンリンクパケットアクセス（ＨＳＤＰＡ）ダウンリンクキャリアを同時に使用するのを可能にする新しい特徴が導入されている。この新しい特徴は、周波数ダイバーシティおよびリソースプーリング（ｒｅｓｏｕｒｃｅ  ｐｏｏｌｉｎｇ）を用いて帯域幅使用を改善する。この特徴は拡張され、多入力多出力（ＭＩＭＯ）機能をリリース９に含め、４つのキャリアの動作を３ＧＰＰリリース１０に含めた。３ＧＰＰリリース１１の場合、最高で８つまでのキャリアが同時に動作して、より高いダウンリンクスループットを達成するのを可能にする８キャリアＨＳＤＰＡ（８Ｃ−ＨＳＤＰＡ）が導入されている。
【０００４】
ダウンリンクチャネル状態を示すためのハイブリッド自動再送要求（ＨＡＲＱ）応答（ＨＡＲＱ−ＡＣＫ）、およびチャネル品質表示（ＣＱＩ）（または、プリコーディング制御表示／チャネル品質表示（ＰＣＩ／ＣＱＩ））は、アップリンク内の高速個別物理制御チャネル（ＨＳ−ＤＰＣＣＨ）によってネットワークに送信される。ＨＳ−ＤＰＣＣＨの構造は、すべてのダウンリンクキャリアに関して、１つのアップリンクを介してフィードバック情報を送信するニーズに対応するように設計されている。
【０００５】
８キャリア動作の導入は、アップリンクフィードバックに課題を提示する。ネットワークが４つを超えるキャリアを同時に送信している場合、ワイヤレス送／受信装置（ＷＴＲＵ）は、すべてのキャリアに関するデータ受信に応答（ａｃｋｎｏｗｌｅｄｇｅ）できることが必要であり、ＭＩＭＯが構成される場合、すべてのデータストリームに応答できることが必要である。ＭＩＭＯ動作は、それぞれのダウンリンクキャリアにおいて独立して構成可能であるため、すべての可能なダウンリンク構成に関してＨＳ−ＤＰＣＣＨフィードバック設計が実行されるべきである。ＭＩＭＯを用いて最高で８つまでのキャリアが構成可能にされる場合、肯定応答（ＡＣＫ）状態、否定応答（ＮＡＣＫ）状態、不連続送信（ＤＴＸ）状態の組合せの数は７８−１＝５，７６４，８００個の状態になる。ＣＱＩ報告情報（ｒｅｐｏｒｔｉｎｇ  ｉｎｆｏｒｍａｔｉｏｎ）も４つのキャリア動作と比べて２倍になる。
【発明の概要】
【０００６】
ワイヤレス送／受信装置（ＷＴＲＵ）は、拡散係数が１２８である複数のＨＳ−ＤＰＣＣＨを経由して、複数のセルに関して、ＨＡＲＱ−ＡＣＫメッセージ、および／またはＣＱＩメッセージもしくはＰＣＩ／ＣＱＩメッセージを生成ならびに送信することができる。それぞれのＨＡＲＱ−ＡＣＫメッセージを２つのセルにマッピンすることが可能であり、それぞれのＣＱＩまたはＰＣＩ／ＣＱＩメッセージを１つのセルにマッピングすることが可能である。いずれのセルもそのＨＳ−ＤＰＣＣＨにおいてアクティブ化または非アクティブ化されることを条件に、これらのセルをＨＳ−ＤＰＣＣＨ内でＨＡＲＱ−ＡＣＫメッセージおよびＣＱＩまたはＰＣＩ／ＣＱＩメッセージにリマッピング（ｒｅｍａｐｐｅｄ）することが可能である。それぞれのＨＳ−ＤＰＣＣＨ上のアクティブなセルの数およびＭＩＭＯ構成状態に基づいて、それぞれのＨＳ−ＤＰＣＣＨ上のＨＡＲＱ−ＡＣＫメッセージ、またはＣＱＩもしくはＰＣＩ／ＣＱＩメッセージに関する電力オフセットを独立して判断することが可能である。プリアンブルおよび／またはポストアンブルを送信するための条件が両方のＨＳ−ＤＰＣＣＨにおいて満たされることを条件に、ＨＡＲＱプリアンブルおよび／またはＨＡＲＱポストアンブルを両方のＨＳ−ＤＰＣＣＨにおいて同時に送信することが可能である。
【図面の簡単な説明】
【０００７】
添付の図面と共に、例として提示される以下の記述から、より詳細な理解を得ることができるであろう。
【図１Ａ】１つまたは複数の開示される実施形態を実施することができる、例示的な通信システムのシステム図である。
【図１Ｂ】図１Ａに例示された通信システム内で使用することができる、例示的なワイヤレス送／受信装置（ＷＴＲＵ）のシステム図である。
【図１Ｃ】図１Ａに例示された通信システム内で使用することができる、例示的な無線アクセスネットワークおよび例示的なコアネットワークのシステム図である。
【図２】拡散係数（ＳＦ）が６４であるＨＳ−ＤＰＣＣＨの例示的なフィードバックメッセージフォーマットを示す図である。
【図３】ＳＦが６４であるＨＳ−ＤＰＣＣＨの例示的なフィードバックメッセージフォーマットを示す図である。
【図４】ＳＦが６４であるＨＳ−ＤＰＣＣＨの例示的なフィードバックメッセージフォーマットを示す図である。
【図５】ＳＦが１２８であるＨＳ−ＤＰＣＣＨの例示的なメッセージフォーマットを示す図である。
【図６】一実施形態による、ＳＦ＝６４の１つのＨＳ−ＤＰＣＣＨに対するＨＡＲＱ−ＡＣＫメッセージの例示的な物理チャネルマッピングを示す図である。
【図７】一実施形態による、ＳＦ＝６４の１つのＨＳ−ＤＰＣＣＨに対するＣＱＩ（または、ＰＣＩ／ＣＱＩ）メッセージの例示的な物理チャネルマッピングを示す図である。
【図８】一実施形態による、ＳＦ＝１２８の２つのＨＳ−ＤＰＣＣＨに対するＨＡＲＱ−ＡＣＫメッセージの例示的な物理チャネルマッピングを示す図である。
【図９】一実施形態による、ＳＦ＝１２８の２つのＨＳ−ＤＰＣＣＨに対するＣＱＩ（または、ＰＣＩ／ＣＱＩ）メッセージの例示的な物理チャネルマッピングを示す図である。
【図１０】ＣＱＩ報告が２つのサブフレームによって送信される、ＳＦ＝６４の１つのＨＳ−ＤＰＣＣＨの例示的なキャリア関連付け（ｃａｒｒｉｅｒ  ａｓｓｏｃｉａｔｉｏｎ）を示す図である。
【図１１】ＣＱＩ報告が２つのサブフレームによって送信される、ＳＦ＝１２８の２つのＨＳ−ＤＰＣＣＨの例示的なキャリア関連付けを示す図である。
【図１２】ＭＩＭＯを用いない、６つのセル（６Ｃ）の場合の、ＳＦが１２８である１つのＨＳ−ＤＰＣＣＨの例示的なメッセージレイアウトフォーマットを示す図である。
【図１３】ＭＩＭＯを用いない、３つのセル（３Ｃ）の場合の、ＳＦが１２８である１つのＨＳ−ＤＰＣＣＨの例示的なメッセージレイアウトフォーマットを示す図である。
【図１４】ＳＦ＝１２８の２つのＨＳ−ＤＰＣＣＨのアクティブ化／非アクティブ化時の例示的なチャネルごとのキャリア関連付けを示す図である。
【図１５】ＳＦ＝１２８の２つのＨＳ−ＤＰＣＣＨのアクティブ化／非アクティブ化時の例示的なクロスチャネルキャリア関連付けを示す図である。
【図１６】８Ｃ−ＨＳＤＰＡ８Ｃ／７Ｃ特殊事例の、ＳＦ＝１２８の例示的なＨＳ−ＤＰＣＣＨフレームフォーマットを示す図である。
【発明を実施するための形態】
【０００８】
図１Ａは、１つまたは複数の開示される実施形態を実装することができる、例示的な通信システム１００の図である。通信システム１００は、音声、データ、ビデオ、メッセージング、ブロードキャストなどのコンテンツを複数のワイヤレスユーザに提供する多元接続システムであってもよい。通信システム１００は、ワイヤレスユーザが、ワイヤレス帯域幅を含めて、システムリソースを共有することによって、そのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）など、１つまたは複数のチャネルアクセス方法を用いることが可能である。
【０００９】
図１Ａに示すように、通信システム１００は、ワイヤレス送／受信装置（ＷＴＲＵ）１０２ａ、１０２ｂ、１０２ｃ、１０２ｄ、無線アクセスネットワーク（ＲＡＮ）１０４、コアネットワーク１０６、公衆電話交換網（ＰＳＴＮ）１０８、インターネット１１０、およびその他のネットワーク１１２を含むことが可能であるが、開示される実施形態は、任意の数のＷＴＲＵ、基地局、ネットワーク、および／またはネットワーク要素を企図することが理解されよう。ＷＴＲＵ１０２ａ、１０２ｂ、１０２ｃ、１０２ｄのそれぞれは、ワイヤレス環境で動作および／または通信するように構成された任意のタイプのデバイスであってもよい。例として、ＷＴＲＵ１０２ａ、１０２ｂ、１０２ｃ、１０２ｄは、ワイヤレス信号を送信および／または受信するように構成可能であり、ユーザ装置（ＵＥ）、移動局、固定加入者装置または移動加入者装置、ページャ、セルラ電話、携帯情報端末（ＰＤＡ）、スマートフォン、ラップトップ、ネットブック、パーソナルコンピュータ、ワイヤレスセンサ、家庭用電化製品などを含むことが可能である。
【００１０】
通信システム１００は、基地局１１４ａおよび基地局１１４ｂを含むことも可能である。基地局１１４ａ、１１４ｂのそれぞれは、ＷＴＲＵ１０２ａ、１０２ｂ、１０２ｃ、１０２ｄのうちの少なくとも１つとワイヤレスでインターフェースをとり、コアネットワーク１０６、インターネット１１０、および／またはネットワーク１１２など、１つまたは複数の通信ネットワークに対するアクセスを円滑にするように構成された任意のタイプのデバイスであってもよい。例として、基地局１１４ａ、１１４ｂは、ベーストランシーバステーション（ＢＴＳ）、Ｎｏｄｅ  Ｂ、ｅＮｏｄｅ  Ｂ、ホームＮｏｄｅ  Ｂ、ホームｅＮｏｄｅ  Ｂ、サイトコントローラ、アクセスポイント（ＡＰ）、ワイヤレスルータなどであってもよい。基地局１１４ａ、１１４ｂはそれぞれ単一の要素として示されているが、基地局１１４ａ、１１４ｂは、任意の数の相互接続された基地局および／またはネットワーク要素を含むことが可能である点が理解されよう。
【００１１】
基地局１１４ａは、基地局コントローラ（ＢＳＣ）、無線ネットワークコントローラ（ＲＮＣ）、リレーノードなど、他の基地局および／またはネットワーク要素（図示せず）を含むことも可能なＲＡＮ１０４の一部であってもよい。基地局１１４ａおよび／または基地局１１４ｂは、セル（図示せず）と呼ばれる場合もある特定の地理的領域内でワイヤレス信号を送信および／または受信するように構成可能である。セルは、セルセクタにさらに分割可能である。例えば、基地局１１４ａに関連するセルを３つのセクタに分割することができる。したがって、一実施形態では、基地局１１４ａは、３つのトランシーバ、すなわち、セルのそれぞれのセクタに関して１つのトランシーバを含むことが可能である。別の実施形態では、基地局１１４ａは、多入力多出力（ＭＩＭＯ）技術を用いることが可能であり、したがって、セルのそれぞれのセクタに関して複数のトランシーバを利用することができる。
【００１２】
基地局１１４ａ、１１４ｂは、任意の適切なワイヤレス通信リンク（例えば、無線周波数（ＲＦ）、マイクロ波、赤外線（ＩＲ）、紫外線（ＵＶ）、可視光線など）であってもよいエアインターフェース１１６を介してＷＴＲＵ１０２ａ、１０２ｂ、１０２ｃ、１０２ｄのうちの１つまたは複数と通信することができる。エアインターフェース１１６は、任意の適切な無線アクセス技術（ＲＡＴ）を使用して確立可能である。
【００１３】
より詳細には、上で述べたように、通信システム１００は、多元接続システムであってもよく、ＣＤＭＡ、ＴＤＭＡ、ＦＤＭＡ、ＯＦＤＭＡ、ＳＣ−ＦＤＭＡなど、１つまたは複数のチャネルアクセス方式を用いることが可能である。例えば、ＲＡＮ１０４内の基地局１１４ａおよびＷＴＲＵ１０２ａ、１０２ｂ、１０２ｃは、広帯域ＣＤＭＡ（ＷＣＤＭＡ）を使用して、エアインターフェース１１６を確立することができる、ユニバーサル移動通信システム（ＵＭＴＳ）地上波無線アクセス（ＵＴＲＡ）などの無線技術を実施することが可能である。ＷＣＤＭＡは、高速パケットアクセス（ＨＳＰＡ）および／または進化型ＨＳＰＡ（ＨＳＰＡ＋）などの通信プロトコルを含むことが可能である。ＨＳＰＡは、高速ダウンリンクパケットアクセス（ＨＳＤＰＡ）および／または高速アップリンクパケットアクセス（ＨＳＵＰＡ）を含むことが可能である。
【００１４】
別の実施形態では、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用して、エアインターフェース１１６を確立することができる、進化型ＵＭＴＳ地上波無線アクセス（Ｅ−ＵＴＲＡ）などの無線技術を実施することが可能である。
【００１５】
他の実施形態では、基地局１１４ａ、およびＷＴＲＵ１０２ａ、１０２ｂ、１０２ｃは、ＩＥＥＥ８０２．１６（すなわち、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）（ＷｉＭＡＸ））、ＣＤＭＡ２０００、ＣＤＭＡ２０００  １Ｘ、ＣＤＭＡ２０００ＥＶ−ＤＯ、暫定基準２０００（ＩＳ−２０００）、暫定基準９５（ＩＳ−９５）、暫定基準８５６（ＩＳ−８５６）、移動体通信用グローバルシステム（ＧＳＭ（登録商標））、ＧＳＭ進化型高速データレート（Ｅｎｈａｎｃｅｄ  Ｄａｔａ  ｒａｔｅｓ  ｆｏｒ  ＧＳＭ  Ｅｖｏｌｕｔｉｏｎ）（ＥＤＧＥ）、ＧＳＭ  ＥＤＧＥ（ＧＥＲＡＮ）などの無線技術を実施することが可能である。
【００１６】
図１Ａの基地局１１４ｂは、例えば、ワイヤレスルータ、ホームＮｏｄｅ  Ｂ、ホームｅＮｏｄｅ  Ｂ、またはアクセスポイントであってもよく、事業所、住宅、車両、構内など、局所化された領域内でワイヤレス接続性を促すための任意の適切なＲＡＴを利用することが可能である。一実施形態では、基地局１１４ｂ、およびＷＴＲＵ１０２ｃ、１０２ｄは、ＩＥＥＥ８０２．１１などの無線技術を実施して、ワイヤレスローカルエリアネットワーク（ＷＬＡＮ）を確立することができる。別の実施形態では、基地局１１４ｂ、およびＷＴＲＵ１０２ｃ、１０２ｄは、ＩＥＥＥ８０２．１５などの無線技術を実施して、ワイヤレスパーソナルエリアネットワーク（ＷＰＡＮ）を確立することができる。さらに別の実施形態では、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示すように、基地局１１４ｂは、インターネット１１０に対する直接接続を有することが可能である。したがって、基地局１１４ｂは、コアネットワーク１０６を経由してインターネット１１０にアクセスすることを必要としない可能性がある。
【００１７】
ＲＡＮ１０４は、音声サービス、データサービス、アプリケーションサービス、および／またはボイスオーバインターネットプロトコル（ＶｏＩＰ）サービスをＷＴＲＵ１０２ａ、１０２ｂ、１０２ｃ、１０２ｄのうちの１つもしく複数に提供するように構成された任意のタイプのネットワークであってもよいコアネットワーク１０６と通信することができる。例えば、コアネットワーク１０６は、呼制御、請求サービス、モバイル位置情報サービス、プリペイド電話、インターネット接続性、ビデオ配信などを提供すること、および／またはユーザ認証など、ハイレベルのセキュリティ機能を実行することが可能である。図１Ａに示されないが、ＲＡＮ１０４および／またはコアネットワーク１０６は、ＲＡＮ１０４と同じＲＡＴ、または異なるＲＡＴを用いる、他のＲＡＮと直接的または間接的に通信できることが理解されよう。例えば、Ｅ−ＵＴＲＡ無線技術を利用している可能性があるＲＡＮ１０４に接続されていることに加えて、コアネットワーク１０６は、ＧＳＭ無線技術を用いている別のＲＡＮ（図示せず）と通信することも可能である。
【００１８】
コアネットワーク１０６は、ＷＴＲＵ１０２ａ、１０２ｂ、１０２ｃ、１０２ｄがＰＳＴＮ１０８、インターネット１１０、および／またはその他のネットワーク１１２にアクセスするためのゲートウェイとして機能することも可能である。ＰＳＴＮ１０８は、旧式電話サービス（ＰＯＴＳ）を提供する回線交換電話網を含むことが可能である。インターネット１１０は、ＴＣＰ／ＩＰインターネットプロトコル群内の伝送制御プロトコル（ＴＣＰ）、ユーザデータグラムプロトコル（ＵＤＰ）、およびインターネットプロトコル（ＩＰ）など、一般的な通信プロトコルを使用する、相互接続されたコンピュータネットワークおよびデバイスのグローバルシステムを含むことが可能である。ネットワーク１１２は、他のサービスプロバイダによって所有および／もしくは操作されている有線通信ネットワークまたはワイヤレス通信ネットワークを含むことが可能である。例えば、ネットワーク１１２は、ＲＡＮ１０４と同じＲＡＴ、または異なるＲＡＴを用いることができる、１つもしくは複数のＲＡＮに接続された別のコアネットワークを含むことが可能である。
【００１９】
通信システム１００内のＷＴＲＵ１０２ａ、１０２ｂ、１０２ｃ、１０２ｄのうちのいくつかまたはすべてはマルチモード機能を含むことが可能であり、すなわち、ＷＴＲＵ１０２ａ、１０２ｂ、１０２ｃ、１０２ｄは、種々のワイヤレスリンクによって種々のワイヤレスネットワークと通信するための複数のトランシーバを含むことが可能である。例えば、図１Ａに示すＷＴＲＵ１０２ｃは、セルラベースの無線技術を用いることができる基地局１１４ａと、かつＩＥＥＥ８０２無線技術を用いることができる基地局１１４ｂと通信するように構成可能である。
【００２０】
図１Ｂは、例示的なＷＴＲＵ１０２のシステム図である。図１Ｂに示すように、ＷＴＲＵ１０２は、プロセッサ１１８、トランシーバ１２０、送／受信要素１２２、スピーカ／マイクロフォン１２４、キーパッド１２６、ディスプレイ／タッチパッド１２８、取外し不可能なメモリ１０６、取外し可能なメモリ１３２、電源１３４、全地球測位システム（ＧＰＳ）チップセット１３６、およびその他の周辺装置１３８を含むことが可能である。このＷＴＲＵ１０２は、ある実施形態と整合しながら、前述の要素のいずれかの下位組合せを含むことが可能である点が理解されよう。
【００２１】
プロセッサ１１８は、汎用プロセッサ、専用プロセッサ、従来のプロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意のその他のタイプの集積回路（ＩＣ）、状態機械などであってもよい。プロセッサ１１８は、信号符号化、データ処理、電力制御、入出力処理、および／またはＷＴＲＵ１０２がワイヤレス環境で動作するのを可能にする任意のその他の機能性を実行することができる。プロセッサ１１８は、送／受信要素１２２に結合可能なトランシーバ１２０に結合可能である。図１Ｂは、プロセッサ１１８およびトランシーバ１２０を別個の構成要素として示すが、プロセッサ１１８およびトランシーバ１２０を電子パッケージ内または電子チップ内に一緒に統合することが可能である点が理解されよう。
【００２２】
送／受信要素１２２は、エアインターフェース１１６を介して基地局（例えば、基地局１１４ａ）に信号を送信し、基地局（例えば、基地局１１４ａ）から信号を受信するように構成可能である。例えば、一実施形態では、送／受信要素１２２は、ＲＦ信号を送信および／または受信するように構成されたアンテナであってもよい。別の実施形態では、送／受信要素１２２は、例えば、ＩＲ信号、ＵＶ信号、または可視光線信号を送信および／または受信するように構成されたエミッタ／検出器であってもよい。さらに別の実施形態では、送／受信要素１２２は、ＲＦ信号と光信号の両方を送受信するように構成可能である。送／受信要素１２２は、ワイヤレス信号の任意の組合せを送信および／または受信するように構成可能であることが理解されよう。
【００２３】
加えて、図１Ｂで、送／受信要素１２２は単一の要素として示されているが、ＷＴＲＵ１０２は、任意の数の送／受信要素１２２を含むことが可能である。より詳細には、ＷＴＲＵ１０２は、ＭＩＭＯ技術を用いることができる。したがって、一実施形態では、ＷＴＲＵ１０２は、エアインターフェース１１６を介してワイヤレス信号を送受信するための、２つ以上の送／受信要素１２２（例えば、複数のアンテナ）を含むことが可能である。
【００２４】
トランシーバ１２０は、送／受信要素１２２によって送信されることになる信号を変調して、送／受信要素１２２によって受信される信号を復調するように構成可能である。上で述べたように、ＷＴＲＵ１０２は、マルチモード機能を有することが可能である。したがって、トランシーバ１２０は、ＷＴＲＵ１０２が、例えば、ＵＴＲＡおよびＩＥＥＥ８０２．１１など、複数のＲＡＴを経由して通信することを可能にするための複数のトランシーバを含むことが可能である。
【００２５】
ＷＴＲＵ１０２のプロセッサ１１８をスピーカ／マイクロフォン１２４、キーパッド１２６、および／またはディスプレイ／タッチパッド１２８（例えば、液晶ディスプレイ（ＬＣＤ）表示装置もしくは有機発光ダイオード（ＯＬＥＤ）表示装置）に結合することが可能であり、ＷＴＲＵ１０２のプロセッサ１１８は、スピーカ／マイクロフォン１２４、キーパッド１２６、および／またはディスプレイ／タッチパッド１２８（例えば、液晶ディスプレイ（ＬＣＤ）表示装置もしくは有機発光ダイオード（ＯＬＥＤ）表示装置）からユーザ入力データを受信することが可能である。プロセッサ１１８は、スピーカ／マイクロフォン１２４、キーパッド１２６、および／またはディスプレイ／タッチパッド１２８にユーザデータを出力することも可能である。加えて、プロセッサ１１８は、取外し不可能なメモリ１０６および／または取外し可能なメモリ１３２など、任意のタイプの適切なメモリからの情報にアクセスすること、ならびにメモリ内にデータを記憶することが可能である。取外し不可能なメモリ１０６は、ランダムアクセスメモリ（ＲＡＭ）、読出し専用メモリ（ＲＯＭ）、ハードディスク、または任意のその他のタイプのメモリ記憶デバイスを含むことが可能である。取外し可能なメモリ１３２は、加入者識別モジュール（ＳＩＭ）カード、メモリスティック、セキュアデジタル（ＳＤ）メモリカードなどを含むことが可能である。他の実施形態では、プロセッサ１１８は、サーバまたはホームコンピュータ（図示せず）など、ＷＴＲＵ１０２上に物理的に配置されていないメモリから情報にアクセスすること、およびメモリ内にデータを記憶することが可能である。
【００２６】
プロセッサ１１８は、電源１３４から電力を受信することができ、ＷＴＲＵ１０２内の他の構成要素に対して電力を分配し、かつ／またはＷＴＲＵ１０２内の他の構成要素に対する電力を制御するように構成可能である。電源１３４は、ＷＴＲＵ１０２に電力供給するための任意の適切なデバイスであってもよい。例えば、電源１３４は、１つまたは複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）、など）、太陽電池、燃料電池などを含むことが可能である。
【００２７】
プロセッサ１１８を、ＷＴＲＵ１０２の現在の位置に関する位置情報（例えば、経度および緯度）を提供するように構成可能なＧＰＳチップセット１３６に結合することも可能である。ＧＰＳチップセット１３６からの情報に加えて、またはその代わりに、ＷＴＲＵ１０２は、エアインターフェース１１６を介して基地局（例えば、基地局１１４ａ、１１４ｂ）から位置情報を受信すること、および／または２つ以上の近傍の基地局から受信されている信号のタイミングに基づいて、その位置を判断することが可能である。ＷＴＲＵ１０２は、ある実施形態と整合しながら、任意の適切な位置判断方法を用いて位置情報を獲得することが可能である点が理解されよう。
【００２８】
プロセッサ１１８は、追加の特徴、機能性、および／または有線接続もしくはワイヤレス接続性を提供する、１つまたは複数のソフトウェアモジュールおよび／もしくはハードウェアモジュールを含むことが可能なその他の周辺装置１３８とさらに結合可能である。例えば、周辺装置１３８は、加速度計、イーコンパス、衛星トランシーバ、（写真用またはビデオ用の）デジタルカメラ、ユニバーサルシリアルバス（ＵＳＢ）ポート、振動デバイス、テレビジョントランシーバ、ハンズフリーヘッドセット、Ｂｌｕｅｔｏｏｔｈ（登録商標）モジュール、周波数変調（ＦＭ）無線装置、デジタルミュージックプレイヤ、メディアプレイヤ、ビデオゲームプレイヤモジュール、インターネットブラウザなどを含むことが可能である。
【００２９】
図１Ｃは、ある実施形態による、ＲＡＮ１０４およびコアネットワーク１０６のシステム図である。上で述べたように、ＲＡＮ１０４は、ＵＴＲＡ無線技術を用いて、エアインターフェース１１６を介してＷＴＲＵ１０２ａ、１０２ｂ、１０２ｃと通信することが可能である。ＲＡＮ１０４は、コアネットワーク１０６と通信することも可能である。図１Ｃに示すように、ＲＡＮ１０４は、エアインターフェース１１６を介してＷＴＲＵ１０２ａ、１０２ｂ、１０２ｃと通信するための１つまたは複数のトランシーバをそれぞれ含むことが可能なＮｏｄｅ−Ｂ１４０ａ、１４０ｂ、１４０ｃを含むことが可能である。Ｎｏｄｅ−Ｂ１４０ａ、１４０ｂ、１４０ｃは、ＲＡＮ１０４内の特定のセル（図示せず）とそれぞれ関連付けられることが可能である。ＲＡＮ１０４は、ＲＮＣ１４２ａ、１４２ｂを含むことも可能である。このＲＡＮ１０４は、ある実施形態に整合しながら、任意の数のＮｏｄｅ  ＢおよびＲＮＣを含むことが可能である点が理解されよう。
【００３０】
図１Ｃに示すように、Ｎｏｄｅ−Ｂ１４０ａ、１４０ｂはＲＮＣ１４２ａと通信することができる。加えて、Ｎｏｄｅ−Ｂ１４０ｃは、ＲＮＣ１４２ｂと通信することができる。Ｎｏｄｅ−Ｂ１４０ａ、１４０ｂ、１４０ｃは、Ｉｕｂインターフェースを経由して、それぞれのＲＮＣ１４２ａ、１４２ｂと通信することができる。ＲＮＣ１４２ａ、１４２ｂは、Ｉｕｒインターフェースを経由して、互いと通信することができる。ＲＮＣ１４２ａ、１４２ｂのそれぞれは、ＲＮＣ１４２ａ、１４２ｂのそれぞれが接続される、それぞれのＮｏｄｅ−Ｂ１４０ａ、１４０ｂ、１４０ｃを制御するように構成可能である。加えて、ＲＮＣ１４２ａ、１４２ｂのそれぞれは、アウターループ電力制御、負荷制御、承認制御（ａｄｍｉｓｓｉｏｎ  ｃｏｎｔｒｏｌ）、パケットスケジューリング、ハンドオーバ制御、マクロダイバーシティ、セキュリティ機能、データ暗号化など、他の機能性を実行するか、またはこれらをサポートするように構成可能である。
【００３１】
図１Ｃに示すコアネットワーク１０６は、メディアゲートウェイ（ＭＧＷ）１４４、モバイルスイッチングセンタ（ＭＳＣ）１４６、サービス提供ＧＰＲＳサポートノード（ＳＧＳＮ）１４８、および／またはゲートウェイＧＰＲＳサポートノード（ＧＧＳＮ）１５０を含むことが可能である。上述の要素のそれぞれはコアネットワーク１０６の一部として示されているが、これらの要素のうちのいずれか１つはコアネットワークオペレータ以外のエンティテイによって所有および／または操作可能である点が理解されよう。
【００３２】
ＲＡＮ１０４内のＲＮＣ１４２ａを、ＩｕＣＳインターフェースを経由して、コアネットワーク１０６内のＭＳＣ１４６に接続することが可能である。ＭＳＣ１４６をＭＧＷ１４４に接続することが可能である。ＭＳＣ１４６およびＭＧＷ１４４は、ＰＳＴＮ１０８など、回路交換網に対するアクセスをＷＴＲＵ１０２ａ、１０２ｂ、１０２ｃに提供して、ＷＴＲＵ１０２ａ、１０２ｂ、１０２ｃと通常の陸線通信デバイスとの間の通信を円滑にすることができる。
【００３３】
ＲＡＮ１０４内のＲＮＣ１４２ａを、ＩｕＰＳインターフェースを経由してコアネットワーク１０６内のＳＧＳＮ１４８と接続することも可能である。ＳＧＳＮ１４８をＧＧＳＮ１５０と接続することが可能である。ＳＧＳＮ１４８およびＧＧＳＮ１５０は、インターネット１１０など、パケット交換網に対するアクセスをＷＴＲＵ１０２ａ、１０２ｂ、１０２ｃに提供して、ＷＴＲＵ１０２ａ、１０２ｂ、１０２ｃとＩＰ可能にされたデバイスとの間の通信を円滑にすることができる。
【００３４】
上で述べたように、他のサービスプロバイダによって所有および／または操作される他の有線ネットワークもしくはワイヤレスネットワークを含むことが可能なその他のネットワーク１１２にコアネットワーク１０６を接続することも可能である。
【００３５】
以下で、「ＰＣＩ／ＣＱＩ」および「ＣＱＩ」という用語は、文脈に応じて、交換可能に使用される場合があり、「セル」、「ＨＳ−ＤＳＣＨセル」、「周波数」、および「キャリア」という用語は交換可能に使用される。ＨＳ−ＤＳＣＨセルは、サービス提供ＨＳ−ＤＳＣＨセルまたは二次サービス提供ＨＳ−ＤＳＣＨセルであってもよい。「一次サービス提供セル」および「サービス提供ＨＳ−ＤＳＣＨセル」という用語は交換可能に使用される場合があり、「二次サービス提供セル」および「二次サービス提供ＨＳ−ＤＳＣＨセル」という用語は交換可能に使用される。「ＨＳ−ＤＰＣＣＨ１」、「ＨＳ−ＤＰＣＣＨ」、および「一次ＨＳ−ＤＰＣＣＨ」という用語は交換可能に使用される場合がある。「ＨＳ−ＤＰＣＣＨ２」、「ＨＳ−ＤＰＣＣＨ２」、および「二次ＨＳ−ＤＰＣＣＨ」という用語は交換可能に使用される場合がある。ＭＣ−ＨＳＤＰＡでは、Ｓｅｃｏｎｄａｒｙ＿Ｃｅｌｌ＿Ｅｎａｂｌｅｄは、構成された二次サービス提供ＨＳ−ＤＳＣＨセルの数と等しい。「Ｓｅｃｏｎｄａｒｙ＿Ｃｅｌｌ＿Ｅｎａｂｌｅｄは３よりも大きい」と記載されているとき、それは８Ｃ−ＨＳＤＰＡを意味する場合がある。
【００３６】
下の実施形態は、単一のアップリンクがフィードバックに関して使用され、ＨＡＲＱ−ＡＣＫメッセージおよびＣＱＩ（または、ＰＣＩ／ＣＱＩ）メッセージが異なる存続時間内で独立して符号化および送信される事例を参照して説明される。しかし、これらの実施形態は、デュアルアップリンクまたは複数のアップリンクが使用される事例（例えば、マルチキャリア高速アップリンクパケットアクセス（ＨＳＵＰＡ））にも適用可能である点に留意されたい。これらの実施形態は８Ｃ−ＨＳＤＰＡを参照して説明されるが、これらの実施形態は、任意の数のダウンリンクキャリアおよびアップリンクキャリアを有するマルチキャリア動作に適用可能である点にも留意されたい。８Ｃ−ＨＳＤＰＡに関してＳＦが１２８である２つのＨＳ−ＤＰＣＣＨに関する実施形態は、２つ以上のＨＳ−ＤＰＣＣＨが構成される他の事例にも適用可能な場合がある点にも留意されたい。
【００３７】
ＨＳ−ＤＰＣＣＨは、ＨＡＲＱ−ＡＣＫメッセージおよびＣＱＩ（または、ＭＩＭＯが構成されている場合、ＰＣＩ／ＣＱＩ）メッセージを搬送することが可能である。ＨＳ−ＤＰＣＣＨフレーム構造は、ＷＴＲＵが複数のダウンリンクキャリア動作に関して構成されるとき、従来のＨＳ−ＤＰＣＣＨフレーム構造と同じであってもよい。長さ２ミリ秒（３×２５６０個のチップ）のそれぞれのＨＳ−ＤＰＣＣＨサブフレームは、それぞれ、長さが２，５６０個のチップである、３つのスロットを有する。
【００３８】
一実施形態では、新しいＨＳ−ＤＰＣＣＨスロットフォーマットは、拡散係数（ＳＦ）６４を用いて定義され、８Ｃ−ＨＳＤＰＡに関してＳＦが６４である１つのＨＳ−ＤＰＣＣＨを使用することが可能である。ＳＦが６４である場合、ＨＳ−ＤＰＣＣＨの利用可能なビットの数は（ＨＳ−ＤＰＣＣＨが同じ二位相偏移（ＢＰＳＫ）変調を使用すると仮定すると）、ＳＦ＝１２８であるＨＳ−ＤＰＣＣＨスロットフォーマットと比較して、サブフレーム当たり２倍である。
【００３９】
表１は、異なるＨＳ−ＤＰＣＣＨスロットフォーマットを示す。スロットフォーマット＃２は、６４のＳＦを有するＨＳ−ＤＰＣＣＨスロットフォーマットである。スロットフォーマット＃２は、スロット当たり４０ビットを搬送し、ＨＳ−ＤＰＣＣＨサブフレームで計１２０ビットが搬送される。スロットフォーマット＃２の場合、１つのＨＳ−ＤＰＣＣＨサブフレームは、４つの１０ビットＨＡＲＱ−ＡＣＫ符号語、および４つの２０ビットＣＱＩ（または、ＰＣＩ／ＣＱＩ）メッセージを搬送することができる。スロットフォーマット＃１は、スロットごとに２０ビットを搬送し、ＨＳ−ＤＰＣＣＨサブフレームで計６０ビットが搬送される。スロットフォーマット＃１の場合、１つのＨＳ−ＤＰＣＣＨサブフレームは、２つの１０ビットＨＡＲＱ−ＡＣＫ符号語、および２つの２０ビットＣＱＩ（または、ＰＣＩ／ＣＱＩ）メッセージを搬送することができる。
【００４０】
【表１】
2014506437.tif 000003
【００４１】
３つを超える二次サービス提供ＨＳ−ＤＳＣＨセルが構成される（すなわち、Ｓｅｃｏｎｄａｒｙ＿Ｃｅｌｌ＿Ｅｎａｂｌｅｄ＞３である）場合、ＨＳ−ＤＰＣＣＨスロットフォーマット＃２を使用することが可能である。Ｓｅｃｏｎｄａｒｙ＿Ｃｅｌｌ＿Ｅｎａｂｌｅｄが４、５、６、または７であり、いずれのセル内にもＭＩＭＯが構成されていない場合、ＨＳ−ＤＰＣＣＨスロットフォーマット＃１を使用することが可能である。あるいは、３つを超える二次サービス提供ＨＳ−ＤＳＣＨセルを用いて（ＲＲＣによって）構成される（すなわち、Ｓｅｃｏｎｄａｒｙ＿Ｃｅｌｌ＿Ｅｎａｂｌｅｄ＞３）ときはいつでも、ＷＴＲＵはＨＳ−ＤＰＣＣＨスロットフォーマット＃１を使用することが可能である。
【００４２】
特殊事例に関するいくつかの例を除いて、セルは対にされて、セルの対に関して、ＨＡＲＱ−ＡＣＫ状態（すなわち、肯定ＡＣＫまたは否定ＡＣＫ）が結合符号化され（ｊｏｉｎｔｌｙ  ｅｎｃｏｄｅｄ）、それぞれのセルに関して、ＣＱＩもしくはＰＣＩ／ＣＱＩが独立して符号化される。８Ｃ−ＨＳＤＰＡの場合、最高で４つまでの結合符号化されたＨＡＲＱ−ＡＣＫメッセージおよび８つのＣＱＩ（または、ＰＣＩ／ＣＱＩ）メッセージを生成することが可能である。
【００４３】
ＨＡＲＱ−ＡＣＫメッセージおよびＣＱＩ（または、ＰＣＩ／ＣＱＩ）メッセージを別個にグループ化して、ＨＳ−ＤＰＣＣＨサブフレーム内の異なる時間区分内に配置することが可能である。図２は、一実施形態による、例示的なフィードバックメッセージフォーマットを示す。ＨＳ−ＤＰＣＣＨサブフレームの第１のタイムスロット２０２を、時間単位で連結された、４つの符号化されたＨＡＲＱ−ＡＣＫメッセージ（すなわち、符号語）を含むＨＡＲＱ−ＡＣＫメッセージに割り当てることができ、符号化されたＣＱＩ（または、ＰＣＩ／ＣＱＩ）メッセージを搬送するために、ＨＳ−ＤＰＣＣＨサブフレーム内の残りの２つのタイムスロット２０４、２０６を割り当てることができる。ＨＡＲＱ−ＡＣＫメッセージの４つのセット、およびＣＱＩ（または、ＰＣＩ／ＣＱＩ）メッセージの４つのセットがＨＳ−ＤＰＣＣＨサブフレームによって送信される。ＨＡＲＱ−ＡＣＫメッセージおよびＣＱＩ（または、ＰＣＩ／ＣＱＩ）メッセージは、時間単位で連結される（すなわち、伝送の際に時分割多重化される）。
【００４４】
あるいは、サブフレームのそれぞれ半分は、図３に示すように、２つのＨＡＲＱ−ＡＣＫメッセージおよび２つのＣＱＩ（または、ＰＣＩ／ＣＱＩ）メッセージを含むことが可能である。あるいは、図４に示すように、ＨＡＲＱ−ＡＣＫフィードバックメッセージおよびＣＱＩ（または、ＰＣＩ／ＣＱＩ）フィードバックメッセージのそれぞれのセットを連続的に配列することが可能である。
【００４５】
図２〜４では、フィードバックメッセージのそれぞれのセットは、ＨＡＲＱ−ＡＣＫメッセージおよびＣＱＩ（または、ＰＣＩ／ＣＱＩ）メッセージを含む。例えば、フィードバックメッセージの第１のセットは、１０ビットのＡ／Ｎ１、および２０ビットのＣＱＩ１（または、ＰＣＩ／ＣＱＩ１）を含む。ＨＡＲＱ−ＡＣＫメッセージおよびＣＱＩ（または、ＰＣＩ／ＣＱＩ）メッセージは、同じセットで互いと結びつけられるか、または特定のキャリアに対して結びつけられるとは限らない場合があり、フィードバックメッセージセットの番号付けは、下の実施形態を通して特定のキャリアとの関連付けを示すとは限らない点に留意されたい。
【００４６】
別の実施形態では、最高で８つまでのキャリアに関するアップリンクフィードバックをサポートするために、ＳＦが１２８である２つの（１つまたは複数の）ＨＳ−ＤＰＣＣＨ物理チャネル（すなわち、スロットフォーマット＃１）を使用することが可能である。シングルキャリアアップリンク動作またはデュアルキャリアアップリンク動作（すなわち、ＳＣ−ＨＳＵＰＡまたはＤＣ−ＨＳＵＰＡ）がサポートされる場合、２つのＨＳ−ＤＰＣＣＨは同じアップリンクキャリア（例えば、一次アップリンク周波数）内で同じチャネル化符号を使用しても、または異なるチャネル化符号を使用してもよい。したがって、ＭＣ−ＨＳＤＰＡで、Ｓｅｃｏｎｄａｒｙ＿Ｃｅｌｌ＿Ｅｎａｂｌｅｄ＜４である場合、それぞれのワイヤレスリンクには１つのＨＳ−ＤＰＣＣＨが存在する可能性があり、そうでない場合、２つのＨＳ−ＤＰＣＣＨが存在する可能性がある。２つのＨＳ−ＤＰＣＣＨが送信される場合、これらのＨＳ−ＤＰＣＣＨは同じタイミングを有することが可能である。図５は、ＳＦが１２８であるＨＳ−ＤＰＣＣＨに関する、例示的なメッセージレイアウトフォーマットを示し、この場合、ＨＳ−ＤＰＣＣＨ１およびＨＳ−ＤＰＣＣＨ２は、ＳＦ＝１２８の同じチャネル化符号または別個のチャネル化符号を使用する物理チャネルである。それぞれのＨＳ−ＤＰＣＣＨは、ＨＡＲＱ−ＡＣＫメッセージおよびＣＱＩ（または、ＰＣＩ／ＣＱＩ）メッセージの２つのセットを搬送することができる。ＨＳ−ＤＰＣＣＨ１に関しては、Ａ／Ｎ１およびＡ／Ｎ２は第１のタイムスロット５０２において搬送され、ＰＣＩ／ＣＱＩ１は第２のタイムスロット５０４において搬送され、ＰＣＩ／ＣＱＩ２は第３のタイムスロット５０６において搬送される。ＨＳ−ＤＰＣＣＨ２に関しては、Ａ／Ｎ３およびＡ／Ｎ４は第１のタイムスロット５０２において搬送され、ＰＣＩ／ＣＱＩ３は第２のタイムスロット５０４において搬送され、ＰＣＩ／ＣＱＩ４は第３のタイムスロット５０６において搬送される。デュアル（または、マルチ）キャリアアップリンク動作がサポートされる場合、２つのＨＳ−ＤＰＣＣＨを別個のアップリンクキャリアにおいて搬送することが可能であり、この場合、それぞれのアップリンク周波数上に１つのＨＳ−ＤＰＣＣＨが存在する可能性がある。
【００４７】
ＳＦが６４である１つのＨＳ−ＤＰＣＣＨ（すなわち、スロットフォーマット＃２）が使用される場合、Ｎｍａｘ−ｄｐｄｃｈ（すなわち、個別物理データチャネルの最大数）が０または１に構成されるとき、ＨＳ−ＤＰＣＣＨを直交（Ｑ）ブランチにマッピングすることが可能であり、この場合、表２または表３に示すように、チャネル化符号を割り振ることが可能である。表２および表３は、異なるスロットフォーマット用のＨＳ−ＤＰＣＣＨに関する、例示的なチャネル化符号割り振りを示す。Ｃｃｈ，ｘ，ｙは、ＳＦがｘである直交可変拡散係数（ＯＶＳＦ）符号ツリー内の第ｙ番目のチャネル化符号を意味する。
【００４８】
【表２】
2014506437.tif 000004
【００４９】
【表３】
2014506437.tif 000005
【００５０】
あるいは、Ｎｍａｘ−ｄｐｄｃｈが０または１に構成されているとき、ＳＦが６４であるＨＳ−ＤＰＣＣＨを同相（Ｉ）ブランチにマッピングすることが可能であり、チャネル化符号をＣｃｈ，６４，８と定義することが可能である。
【００５１】
８Ｃ−ＨＳＤＰＡで、ＳＦが１２８である２つのＨＳ−ＤＰＣＣＨ（ＨＳ−ＤＰＣＣＨ１およびＨＳ−ＤＰＣＣＨ２）が使用される場合、これらの２つのＨＳ−ＤＰＣＣＨを同じＩ／Ｑブランチまたは異なるＩ／Ｑブランチにマッピングすることが可能である。一実施形態では、表１で定義されたＨＳ−ＤＰＣＣＨスロットフォーマット＃１を使用することによって、ＨＳ−ＤＰＣＣＨ１およびＨＳ−ＤＰＣＣＨ２を同じチャネル化符号上のＱ／ＩブランチまたはＩ／Ｑブランチにそれぞれマッピングすることが可能である。以下のように、ＨＳ−ＤＰＣＣＨ１およびＨＳ−ＤＰＣＣＨ２を同じチャネル化符号を有するＱ／Ｉブランチにマッピングすること（すなわち、Ｑ／Ｉ多重化すること）またはＩ／Ｑブランチにマッピングすることが可能である。すなわち、Ｎｍａｘ−ｄｐｄｃｈ＝０であるとき、チャネル化符号は（Ｃｃｈ，１２８，１６，Ｃｃｈ，１２８，１６）であってもよく、Ｎｍａｘ−ｄｐｄｃｈ＝１であるとき、チャネル化符号は（Ｃｃｈ，１２８，１６，Ｃｃｈ，１２８，１６）であってもよい。（Ｃｃｈ，１２８，ｘ，Ｃｃｈ，１２８，ｙ）は、ＳＦ＝１２８のデュアルＨＳ−ＤＰＣＣＨ（すなわち、表１のＨＳ−ＤＰＣＣＨスロットフォーマット＃１）に関して選択されたチャネル化符号の対を示し、この場合、Ｃｃｈ，１２８，ｘは、ＨＳ−ＤＰＣＣＨ１に関して使用されるチャネル化符号であり、Ｃｃｈ，１２８，ｙは、ＨＳ−ＤＰＣＣＨ２に関して使用されるチャネル化符号である。あるいは、以下のように、ＨＳ−ＤＰＣＣＨ１およびＨＳ−ＤＰＣＣＨ２を同じチャネル化符号を用いて、それぞれ、ＱブランチならびにＩブランチにマッピングすることが可能である。すなわち、Ｎｍａｘ−ｄｐｄｃｈ＝０であるとき、チャネル化符号は（Ｃｃｈ，１２８，１６，Ｃｃｈ，１２８，１６）であってもよく、Ｎｍａｘ−ｄｐｄｃｈ＝１であるとき、チャネル化符号は（Ｃｃｈ，１２８，３２，Ｃｃｈ，１２８，３２）であってもよい。
【００５２】
別の実施形態では、ＨＳ−ＤＰＣＣＨ１およびＨＳ−ＤＰＣＣＨ２を異なるチャネル化符号上のＱ／ＩブランチまたはＩ／Ｑブランチにマッピングすることが可能である。例えば、Ｎｍａｘ−ｄｐｄｃｈ＝１であるとき、チャネル化符号Ｃｃｈ，１２８，３３（あるいは、Ｃｃｈ，１２８，３２、もしくはＣｃｈ，１２８、３４、またはＣｃｈ，１２８，３５）を用いて、ＨＳ−ＤＰＣＣＨ１をＱブランチにマッピングすることが可能であるのに対して、チャネル化符号Ｃｃｈ，１２８，１６を用いて、ＨＳ−ＤＰＣＣＨ２をＩブランチにマッピングすることが可能である。あるいは、Ｎｍａｘ−ｄｐｄｃｈ＝１であるとき、チャネル化符号Ｃｃｈ，１２８，１６を用いて、ＨＳ−ＤＰＣＣＨ１をＩブランチにマッピングすることが可能であるのに対して、チャネル化符号Ｃｃｈ，１２８，３３を用いて、ＨＳ−ＤＰＣＣＨ２をＱブランチにマッピングすることが可能である。
【００５３】
あるいは、以下のように、同じチャネル化符号または異なるチャネル化符号の対を用いて、ＨＳ−ＤＰＣＣＨ１およびＨＳ−ＤＰＣＣＨ２を、それぞれ、ＱブランチおよびＩブランチにマッピングすることが可能である。すなわち、Ｎｍａｘ−ｄｐｄｃｈ＝０であるとき、チャネル化符号は（Ｃｃｈ，１２８，１６，Ｃｃｈ，１２８，１６）であってもよく、Ｎｍａｘ−ｄｐｄｃｈ＝１であるとき、チャネル化符号は（Ｃｃｈ，１２８，３５，Ｃｃｈ，１２８，１６）、（Ｃｃｈ，１２８，３４，Ｃｃｈ，１２８，１６）、（Ｃｃｈ，１２８，３３，Ｃｃｈ，１２８，１６）、または（Ｃｃｈ，１２８，３２，Ｃｃｈ，１２８，１６）であってもよい。
【００５４】
あるいは、以下のように、異なるチャネル化符号の対を用いて、ＨＳ−ＤＰＣＣＨ１およびＨＳ−ＤＰＣＣＨ２を、それぞれ、ＩブランチおよびＱブランチにマッピングすることが可能である。すなわち、Ｎｍａｘ−ｄｐｄｃｈ＝０であるとき、チャネル化符号は（Ｃｃｈ，１２８，１６，Ｃｃｈ，１２８，１６）であってもよく、Ｎｍａｘ−ｄｐｄｃｈ＝１であるとき、チャネル化符号は（Ｃｃｈ，１２８，１６，Ｃｃｈ，１２８，３３）であってもよい。
【００５５】
さらに別の実施形態では、ＨＳ−ＤＰＣＣＨ１およびＨＳ−ＤＰＣＣＨ２を異なるチャネル化符号上の同じブランチ（例えば、ＱブランチまたはＩブランチ）にマッピングすることが可能である。ＨＳ−ＤＰＣＣＨ１およびＨＳ−ＤＰＣＣＨ２を両方とも、以下のように、異なるチャネル化符号の対を用いて、Ｑブランチにマッピングすることが可能である。すなわち、Ｎｍａｘ−ｄｐｄｃｈ＝０であるとき、チャネル化符号は（Ｃｃｈ，１２８，２２，Ｃｃｈ，１２８，６）、（Ｃｃｈ，１２８，２３，Ｃｃｈ，１２８，７）、または（Ｃｃｈ，１２８，２９，Ｃｃｈ，１２８，１３）であってもよく、Ｎｍａｘ−ｄｐｄｃｈ＝１であるとき、チャネル化符号は（Ｃｃｈ，１２８，１９，Ｃｃｈ，１２８，５１）または（Ｃｃｈ，１２８，２０，Ｃｃｈ，１２８，５２）であってもよい。
【００５６】
あるいは、以下のように、異なるチャネル化符号の対を用いて、ＨＳ−ＤＰＣＣＨ１およびＨＳ−ＤＰＣＣＨ２を両方ともＩブランチにマッピングすることが可能である。すなわち、Ｎｍａｘ−ｄｐｄｃｈ＝０であるとき、チャネル化符号の対は（Ｃｃｈ，１２８，２４，Ｃｃｈ，１２８，８）であってもよく、Ｎｍａｘ−ｄｐｄｃｈ＝１であるとき、チャネル化符号の対は（Ｃｃｈ，１２８，２０，Ｃｃｈ，１２８，４）、（Ｃｃｈ，１２８，９，Ｃｃｈ，１２８，２５）、（Ｃｃｈ，１２８，１１，Ｃｃｈ，１２８，２６）、または（Ｃｃｈ，１２８，３，Ｃｃｈ，１２８，１９）であってもよい。
【００５７】
８Ｃ−ＨＳＤＰＡでは、構成されたセル（すなわち、キャリア）のうちのいくつかを、ネットワークによって動的にアクティブ化および非アクティブ化すること、またはＷＴＲＵによって自動的にアクティブ化および非アクティブ化することが可能である。８Ｃ−ＨＳＤＰＡに関して、ＳＦ＝１２８のデュアルチャネル化符号が使用される（すなわち、（Ｃｃｈ，１２８，ｘ，Ｃｃｈ，１２８，ｙ）が、ＨＳ−ＤＰＣＣＨ１およびＨＳ−ＤＰＣＣＨ２に関してそれぞれ使用されるチャネル化符号である）とき、アクティブ化または非アクティブ化時に４つ以下のセルがアクティブな場合、ＳＦ＝１２８の１つのＨＳ−ＤＰＣＣＨを使用することが可能であり、ＨＳ−ＤＰＣＣＨに関するチャネル化符号はＣｃｈ，１２８，ｘまたはＣｃｈ，１２８，ｙであってもよい。あるいは、Ｎｍａｘ−ｄｐｄｃｈ＝０であるとき、チャネル化符号は、Ｃｃｈ，１２８，１６であってもよく、Ｎｍａｘ−ｄｐｄｃｈ＝１であるとき、Ｃｃｈ，１２８，３２であってもよい。
【００５８】
アクティブ化または非アクティブ化時に、２つ以下のセルがアクティブであるか、または３つのセルがアクティブであるものの、いずれのセル内にもＭＩＭＯが構成されていない場合、ＳＦ＝２５６の１つのＨＳ−ＤＰＣＣＨを使用することが可能であり、ＨＳ−ＤＰＣＣＨに関するチャネル化符号を表２にあるように割り振ることができる（スロットフォーマット＃０）。５つのセル（５Ｃ）または６つのセル（６Ｃ）がアクティブであり、いずれのセル内にもＭＩＭＯが構成されていない場合、ＳＦ＝１２８の１つのＨＳ−ＤＰＣＣＨを使用することが可能であり、上で開示された実施形態のうちの１つから、ＨＳ−ＤＰＣＣＨに関するチャネル化符号を選択することが可能である。
【００５９】
図６は、一実施形態による、ＳＦ＝６４の１つのＨＳ−ＤＰＣＣＨに対するＨＡＲＱ−ＡＣＫメッセージの例示的な物理チャネルマッピングを示す。ＨＡＲＱ−ＡＣＫメッセージ（ＨＡＲＱ−ＡＣＫ１〜ＨＡＲＱ−ＡＣＫ４）はチャネル符号化され（６０２）（すなわち、それぞれのＨＡＲＱ−ＡＣＫメッセージに関して、符号ブックから１０ビットの符号語が選択され）、符号語は以下のように連結される（６０４）：
（ｗ０  ｗ１…ｗ９  ｗ１０…ｗ１９…ｗ２９…ｗ３９）＝（ａｃｋ１０  ａｃｋ１１…ａｃｋ１９  ａｃｋ２０  ａｃｋ２１…ａｃｋ２９  ａｃｋ３０  ａｃｋ３１…ａｃｋ３９  ａｃｋ４０  ａｃｋ４１…ａｃｋ４９）
連結された符号語は（１つまたは複数の）物理チャネルにマッピングされ（６０６）、昇順で（または、あるいは降順で）無線で送信される。
【００６０】
図７は、一実施形態による、ＳＦ＝６４の１つのＨＳ−ＤＰＣＣＨに対するＣＱＩ（または、ＰＣＩ／ＣＱＩ）メッセージの例示的な物理チャネルマッピングを示す。非ＭＩＭＯのＣＱＩメッセージ（または、ＭＩＭＯのタイプＡもしくはタイプＢのＰＣＩ／ＣＱＩメッセージ）はチャネル符号化され（７０２）、チャネル符号化されたビットは以下のように連結される（７０４）：
（ｂ０  ｂ１…ｂ１９  ｂ２０  ｂ２１…ｂ３９  ｂ４０…ｂ５９  ｂ６０…ｂ７９）＝（ｃｑｉ１０  ｃｑｉ１１…ｃｑｉ１１９  ｃｑｉ２０  ｃｑｉ２１…ｃｑｉ２１９  ｃｑｉ３０  ｃｑｉ３１…ｃｑｉ３１９  ｃｑｉ４０  ｃｑｉ４１…ｃｑｉ４１９）
連結されたビットは（１つまたは複数の）物理チャネルにマッピングされ（７０６）、昇順で（または、あるいは降順で）無線で送信される。
【００６１】
図８は、一実施形態による、ＳＦ＝１２８の２つのＨＳ−ＤＰＣＣＨに対するＨＡＲＱ−ＡＣＫメッセージの例示的な物理チャネルマッピングを示す。ＨＳ−ＤＰＣＣＨは、図５で開示したように、フィードバックメッセージの４つのセットと協働することが可能である。図８は、単に説明を簡単にするために、ＨＡＲＱ−ＡＣＫ３メッセージおよびＨＡＲＱ−ＡＣＫ４メッセージをＨＳ−ＤＰＣＣＨ２にマッピングすることを示し、同じ処理をＨＡＲＱ−ＡＣＫ１メッセージおよびＨＡＲＱ−ＡＣＫ２メッセージに関して実行することが可能である。ＨＡＲＱ−ＡＣＫメッセージ（図８のＨＡＲＱ−ＡＣＫ３およびＨＡＲＱ−ＡＣＫ４）はチャネル符号化され（８０２）（すなわち、それぞれのＨＡＲＱ−ＡＣＫメッセージに関して、符号ブックから１０ビットの符号語が選択され）、符号語は以下のように連結される（８０４）：
（ｗ０  ｗ１…ｗ９  ｗ１０  ｗ１１…ｗ１９）＝（ａｃｋ３０  ａｃｋ３１…ａｃｋ３９  ａｃｋ４０  ａｃｋ４１…ａｃｋ４９）
連結されたビットは（１つまたは複数の）物理チャネルにマッピングされ（８０６）、昇順で（または、あるいは降順で）無線で送信される。
【００６２】
図９は、一実施形態による、ＳＦ＝１２８の２つのＨＳ−ＤＰＣＣＨに対するＣＱＩ（または、ＰＣＩ／ＣＱＩ）メッセージの例示的な物理チャネルマッピングを示す。ＨＳ−ＤＰＣＣＨは、図５に示したように、フィードバックメッセージの４つのセットと協働することが可能である。図９は、単に説明を簡単にするために、ＣＱＩ３（または、ＰＣＩ／ＣＱＩ３）メッセージおよびＣＱＩ４（または、ＰＣＩ／ＣＱＩ４）メッセージをＨＳ−ＤＰＣＣＨ２にマッピングすることを示し、同じ処理をＣＱＩ１（または、ＰＣＩ／ＣＱＩ１）メッセージおよびＣＱＩ２（または、ＰＣＩ／ＣＱＩ２）メッセージに関して実行することが可能である。ＣＱＩ（または、ＰＣＩ／ＣＱＩ）メッセージ（この例では、ＣＱＩ３（もしくは、ＰＣＩ／ＣＱＩ３）およびＣＱＩ４（もしくは、ＰＣＩ／ＣＱＩ４））はチャネル符号化され（９０２）、チャネル符号化されたビットは以下のように連結される（９０４）：
（ｂ０  ｂ１…ｂ１９  ｂ２０  ｂ２１…ｂ３９）＝（ｃｑｉ３０  ｃｑｉ３１…ｃｑｉ３１９  ｃｑｉ４０  ｃｑｉ４１…ｃｑｉ４１９）
連結されたビットは（１つまたは複数の）物理チャネルにマッピングされ（９０６）、昇順で（または、あるいは降順で）無線で送信される。
【００６３】
フィードバックメッセージ（ＨＡＲＱ−ＡＣＫメッセージまたはＣＱＩ（もしくは、ＰＣＩ／ＣＱＩ）メッセージのいずれか）と対応するダウンリンクＨＳ−ＤＳＣＨキャリア（または、セル）との間の関連付けに関する実施形態が以下で開示される。
【００６４】
ＷＴＲＵは、サービス提供ＨＳ−ＤＳＣＨセル、および最高で７つまでの二次サービス提供ＨＳ−ＤＳＣＨセルとのＲＲＣシグナリングにより、ネットワークによって構成される。８つのダウンリンクサービス提供セルを対ごとにグループ化することが可能である。セルのそれぞれの対に関するＨＡＲＱ−ＡＣＫ状態（すなわち、ＡＣＫ状態またはＮＡＣＫ状態）を組み合わせて、ＨＡＲＱ−ＡＣＫｎによって示されるＨＡＲＱ−ＡＣＫメッセージを形成し、この場合、ｎ＝１、２、３、４である。表４は、サービス提供セルに対するＨＡＲＱ−ＡＣＫメッセージの例示的な関連付けを示す。ＨＡＲＱ−ＡＣＫメッセージのそれぞれを２つのサービス提供セルの下に配置することができ、これは、これらの２つのセルに関するＨＡＲＱ−ＡＣＫフィードバックを組み合わせて、対応するＨＡＲＱ−ＡＣＫメッセージにすることを表す。
【００６５】
【表４】
2014506437.tif 000006
【００６６】
ＣＱＩ報告の場合、（２０，７／１０）または（２０，５）リードマラー符号化を使用して、ＣＱＩ（または、ＰＣＩ／ＣＱＩ）メッセージを符号化することができる（すなわち、ＣＱＩまたはＰＣＩ／ＣＱＩ値は、５ビット、７ビット、または１０ビットのＣＱＩ（もしくは、ＰＣＩ／ＣＱＩ）メッセージにマッピングされ、ＣＱＩ（または、ＰＣＩ／ＣＱＩ）メッセージは（２０，７／１０）または（２０，５）符号化によって２０ビットに符号化される）。それぞれのセルに関するＣＱＩ（または、ＰＣＩ／ＣＱＩ）情報を独立して個々に符号化することが可能である。したがって、セルに関して最高で８つまでのＣＱＩ（または、ＰＣＩ／ＣＱＩ）メッセージが生成されるが、図２〜５に見られるように、１つのＨＳ−ＤＰＣＣＨサブフレームは最高で４つのＣＱＩ（または、ＰＣＩ／ＣＱＩ）メッセージをサポートするため、これらのメッセージは１つのＨＳ−ＤＰＣＣＨサブフレーム内にぴったりと入らないことになる。一部の（例えば、４つの）ＣＱＩ（または、ＰＣＩ／ＣＱＩ）メッセージを異なるＨＳ−ＤＰＣＣＨサブフレームで送信することが可能であり、これは、２つ以上のサブフレームの最低ＣＱＩフィードバックサイクル（４ミリ秒）をもたらすことになる。表５は、一実施形態による、ＣＱＩ（または、ＰＣＩ／ＣＱＩ）メッセージに対するサービス提供セルの例示的な関連付けを示し、この場合、第２のＰＣＩ／ＣＱＩ報告は、第１のＰＣＩ／ＣＱＩ報告とは異なるサブフレームで送信される。２つの関係するＨＳ−ＤＰＣＣＨサブフレームは、ＣＱＩフィードバックサイクルまたはその他のネットワーク設定に応じて、時間単位で連続的であっても、連続的でなくてもよい。
【００６７】
【表５】
2014506437.tif 000007
【００６８】
図１０は、ＳＦ＝６４の１つのＨＳ−ＤＰＣＣＨに関するキャリア関連付けを示し、この場合、ＣＱＩ（または、ＰＣＩ／ＣＱＩ）報告は、上記の関連付け事例（表４および５）に従って、２つのサブフレームによって送信される。Ｃ０はサービス提供ＨＳ−ＤＳＣＨセルを指し、Ｃ１は第１の二次サービス提供ＨＳ−ＤＳＣＨセルを指し、Ｃ２は第２の二次サービス提供ＨＳ−ＤＳＣＨセルを指す、等々である。Ｃ０からＣ８に関するＡ／Ｎ１からＡ／Ｎ４は、サブフレーム１およびサブフレーム２の第１のタイムスロット１００２、１００８において送信され、セルＣ０、Ｃ２、Ｃ４、およびＣ６に関する第１のＣＱＩ（または、ＰＣＩ／ＣＱＩ）報告はサブフレーム１の第２のタイムスロットおよび第３のタイムスロット１００４、１００６において送信され、セルＣ１、Ｃ３、Ｃ５、およびＣ７に関する第２のＣＱＩ（または、ＰＣＩ／ＣＱＩ）報告はサブフレーム２の第２のタイムスロットおよび第３のタイムスロット１０１０、１０１２において送信される。
【００６９】
図１１は、ＳＦ＝１２８の２つのＨＳ−ＤＰＣＣＨに関するキャリア関連付けを示し、この場合、ＣＱＩ（または、ＰＣＩ／ＣＱＩ）報告は、上記の関連付け事例（表４および５）に従って、２つのサブフレームによって送信される。Ｃ０からＣ８に関するＡ／Ｎ１からＡ／Ｎ４は、ＨＳ−ＤＰＣＣＨ１上およびＨＳ−ＤＰＣＣＨ２上のサブフレーム１ならびにサブフレーム２の第１のタイムスロット１１０２、１１０８において送信され、Ｃ０、Ｃ２、Ｃ４、およびＣ６に関する第１のＣＱＩ（または、ＰＣＩ／ＣＱＩ）報告は、ＨＳ−ＤＰＣＣＨ１上およびＨＳ−ＤＰＣＣＨ２上のサブフレーム１の第２のタイムスロットならびに第３のタイムスロット１１０４、１１０６において送信され、セルＣ１、Ｃ３、Ｃ５、およびＣ７に関する第２のＣＱＩ（または、ＰＣＩ／ＣＱＩ）報告は、ＨＳ−ＤＰＣＣＨ１上およびＨＳ−ＤＰＣＣＨ２上のサブフレーム２の第２のタイムスロットならびに第３のタイムスロット１１１０、１１１２において送信される。
【００７０】
キャリアのアクティブ化／非アクティブ化時のＨＡＲＱ−ＡＣＫメッセージに対するキャリア関連付けに関する実施形態が以下で開示される。構成されるセルのうちのいくつかをネットワークによって動的にアクティブ化および非アクティブ化することが可能であり、またはすべての８つのキャリアを用いてＷＴＲＵを構成しなくてもよい。二次サービス提供セルがアクティブでないとき、そのアクティブでない二次サービス提供セルに関して、送信されることになるＨＡＲＱ−ＡＣＫ情報およびＣＱＩ（または、ＰＣＩ／ＣＱＩ）情報は存在しない。特定のＨＡＲＱ−ＡＣＫメッセージに関連する対の中の二次サービス提供セルが両方とも非アクティブ化される場合、対応する時間間隔にわたっていなかる信号の無線送信も発生しない可能性がある。
【００７１】
ＳＦ＝６４の１つのＨＳ−ＤＰＣＣＨが構成される場合、ＳＦ＝６４では４つのＨＡＲＱ−ＡＣＫメッセージをタイムスロット（例えば、図２に示すタイムスロット２０２）に割り振ることができるため、それぞれの個々のＨＡＲＱ−ＡＣＫメッセージ（すなわち、図２のＡ／Ｎ１〜Ａ／Ｎ４のうちのいずれか１つ）が不連続送信される（ＤＴＸされる）ように割り振られる（すなわち、そのスロットの対応するＨＡＲＱ−ＡＣＫ区分が送信されない）場合、非フルスロット（ｎｏｎ−ｆｕｌｌ−ｓｌｏｔ）伝送が発生する可能性がある。
【００７２】
一実施形態では、ＳＦ＝６４の１つのＨＳ−ＤＰＣＣＨが構成されるとき、ＨＡＲＱ−ＡＣＫスロットに関して非フルスロット伝送を回避するために、キャリアのアクティブ化／非アクティブ化状態に応じて、ＨＡＲＱ−ＡＣＫメッセージに対するキャリア関連付けを動的に更新することが可能である。（１つまたは複数の）セルのアクティブ化または非アクティブ化が発生する場合、キャリア（すなわち、サービス提供セル）を異なるＨＡＲＱ−ＡＣＫメッセージにリマッピングすることが可能である。空のＨＡＲＱ−ＡＣＫメッセージスロットが可能な限り利用可能にされ、リマッピングの後で、他のＨＡＲＱ−ＡＣＫメッセージを繰り返して、冗長性を増大させ、伝送信頼性を改善することによって、空のＨＡＲＱ−ＡＣＫメッセージスロットを満たすことができるように、動的なキャリア関連付けを実行することが可能である。
【００７３】
１つのサービス提供セル（または、複数のセル）のアクティブ化または非アクティブ化が発生するときはいつでも、例えば、（例えば、サービス提供ＨＳ−ＤＳＣＨセルが第０番目とラベル付される）昇順または降順のそれらのラベルに従って、残りのアクティブなサービス提供セルを再度順序付けすることが可能である。順序付けられたサービス提供セルは対ごとにグループ化される。アクティブなセルの数が奇数である場合、最後の対は、１つのサービス提供セルだけを含むように割り振られる。セルのそれぞれの対のＨＡＲＱ−ＡＣＫ状態を組み合わせて、ＨＡＲＱ−ＡＣＫメッセージのうちの１つに割り当てる。
【００７４】
アクティブな二次サービス提供セルの数に応じて、ＨＡＲＱ−ＡＣＫ情報の反復を実行することが可能である。アクティブなセルの数が１または２である（すなわち、Ｓｅｃｏｎｄａｒｙ＿Ｃｅｌｌ＿Ａｃｔｉｖｅ＝０または１の）場合、ＨＡＲＱ−ＡＣＫ１を準備して、すべての他の３つのＨＡＲＱ−ＡＣＫメッセージを通して繰り返す。アクティブなセルの数が３または４である（すなわち、Ｓｅｃｏｎｄａｒｙ＿Ｃｅｌｌ＿Ａｃｔｉｖｅ＝２または３の）場合、ＨＡＲＱ−ＡＣＫ１およびＨＡＲＱ−ＡＣＫ２を準備して、ＨＡＲＱ−ＡＣＫ３内およびＨＡＲＱ−ＡＣＫ４内でそれぞれ繰り返すことが可能である。アクティブなセルの数が５または６である（すなわち、Ｓｅｃｏｎｄａｒｙ＿Ｃｅｌｌ＿Ａｃｔｉｖｅ＝４または５の）場合、ＨＡＲＱ−ＡＣＫ１、ＨＡＲＱ−ＡＣＫ２、およびＨＡＲＱ−ＡＣＫ３を準備して、それらのうちの１つがＨＡＲＱ−ＡＣＫ４内で繰り返される。この場合、サービス提供ＨＳ−ＤＳＣＨセルがサポートされる場合、ＨＡＲＱ−ＡＣＫ１を繰り返すことが可能である。あるいは、時分割多重化（ＴＤＭ）の形でＨＡＲＱ−ＡＣＫ１からＨＡＲＱ−ＡＣＫ３を繰り返すことが可能である。あるいは、ＨＡＲＱ−ＡＣＫ２またはＨＡＲＱ−ＡＣＫ３のうちの１つを繰り返すことが可能である。
【００７５】
表６は、一実施形態による、例示的な動的なキャリア関連付けを示す。Ｃ０をサービス提供ＨＳ−ＤＳＣＨセルとして示し、Ｃ１、…、Ｃｎを、上記の再順序付けおよびリマッピング実施形態のうちの１つに従ってラベル付けした後のアクティブな二次サービス提供ＨＳ−ＤＳＣＨセルとして示す（この場合、ｎ＝Ｓｅｃｏｎｄａｒｙ＿Ｃｅｌｌ＿Ａｃｔｉｖｅ）。例えば、キャリアの非アクティブ化の後で、第１の二次サービス提供セルおよび第４の二次サービス提供セルがアクティブな状態に留まる場合、Ｃ１は第１の二次サービス提供セルになり、Ｃ２は第４の二次サービス提供セルになる。
【００７６】
【表６】
2014506437.tif 000008
【００７７】
表７は、動的なキャリア関連付けの別の例を示す。この例では、サービス提供ＨＳ−ＤＳＣＨセル（Ｃ０）に対する信頼性がより強く強調される。あるいは、表６内および表７内のいずれかの行を組み合わせて、キャリア関連付けに関する新しい表を形成することが可能である。
【００７８】
【表７】
2014506437.tif 000009
【００７９】
別の実施形態では、構成されたサービス提供セルを２つのグループに分割することが可能であり、そのグループ内で動的なキャリア関連付けを実行することが可能である。例えば、第１のグループ内のサービス提供セルは、ＨＡＲＱ−ＡＣＫ１およびＨＡＲＱ−ＡＣＫ２と関連付けられるか、またはＨＡＲＱ−ＡＣＫ１およびＨＡＲＱ−ＡＣＫ２にリマッピングされ、第２のグループ内のサービス提供セルは、ＨＡＲＱ−ＡＣＫ３およびＨＡＲＱ−ＡＣＫ４と関連付けられるか、またはＨＡＲＱ−ＡＣＫ３およびＨＡＲＱ−ＡＣＫ４にリマッピングされる。１つのグループ内のＨＡＲＱ−ＡＣＫメッセージに関連して、アクティブなサービス提供セルが十分存在しないことにより、そのＨＡＲＱ−ＡＣＫメッセージが空である場合、その空のＨＡＲＱ−ＡＣＫメッセージに関して、そのグループ内の他のＨＡＲＱ−ＡＣＫメッセージを繰り返すことが可能である。グループ全体が空である場合、空のグループのＨＡＲＱ−ＡＣＫメッセージ内で他のグループのＨＡＲＱ−ＡＣＫメッセージを繰り返すことが可能である。
【００８０】
表８は、本実施形態による、例示的な動的なキャリア関連付けを示す。Ｃ０を一次サービス提供セル（すなわち、サービス提供ＨＳ−ＤＳＣＨセル）として示し、Ｃ１１、Ｃ１２、…、Ｃ１ｎ（ｎ＝１、２、３）をグループ１内のアクティブな二次セル（すなわち、二次ＨＳ−ＤＳＣＨセル）として示し、Ｃ２１、Ｃ２２、…、Ｃ２ｍ（ｍ＝１、２、３、４）をグループ２内のアクティブな二次セルとして示す。表８では、Ｓｅｃｏｎｄａｒｙ＿Ｃｅｌｌ＿Ａｃｔｉｖｅ１は、グループ１内のアクティブな二次サービス提供セルの数であり、Ｓｅｃｏｎｄａｒｙ＿Ｃｅｌｌ＿Ａｃｔｉｖｅ２は、グループ２内のアクティブな二次サービス提供セルの数である。
【００８１】
【表８】
2014506437.tif 000010
【００８２】
表９は、別の例示的な動的なキャリア関連付けを示す。この例では、より多くのシングルキャリア構成に関してＨＡＲＱ１およびＨＡＲＱ２が可能にされる。あるいは、表８内および表９内のいずれかの行を組み合わせて、新しいキャリア関連付け表を形成することができる。
【００８３】
【表９】
2014506437.tif 000011
【００８４】
別の実施形態では、リマッピングを可能にしないことによって、キャリア関連付けを半動的にすることが可能である。二次サービス提供セルがアクティブなとき、ＨＡＲＱ−ＡＣＫメッセージに対するその関連付けがネットワークによって構成されると、ＨＡＲＱ−ＡＣＫメッセージに対するその関連付けは変更されなくてもよい。同じＨＡＲＱ−ＡＣＫメッセージに割り当てられたすべての二次サービス提供セルが非アクティブ化されるとき、対応するＨＡＲＱ−ＡＣＫフィールドは送信するための信号を有さない場合があり、これは非フルスロット伝送をもたらす。他のＨＡＲＱ−ＡＣＫメッセージの伝送を繰り返すことによって、非フルスロット伝送を回避することができる。例えば、アクティブなサービス提供セルが非アクティブ化されているか、または構成されていないために、それらのアクティブなサービス提供セルのうちのいずれかに関連するＨＡＲＱ−ＡＣＫメッセージが存在しない場合、（サービス提供ＨＳ−ＤＳＣＨセルに関連する）ＨＡＲＱ−ＡＣＫ１を繰り返すことができる。
【００８５】
別の実施形態では、キャリア関連付けを固定することが可能であり、二次サービス提供セルのアクティブ化／非アクティブ化時にリマッピングおよび繰り返しを実行しなくてもよい。ＨＡＲＱ−ＡＣＫメッセージによってサポートされるセルが両方とも非アクティブ化されるか、または構成されていない場合、ＤＴＸ符号語を送信することによって、非フルスロット伝送を回避することが可能である。
【００８６】
１２８のＳＦを有する、２つのＨＳ−ＤＰＣＣＨが使用される場合、図５に示すように、ＨＳ−ＤＰＣＣＨ１上およびＨＳ−ＤＰＣＣＨ２上のＨＳ−ＤＰＣＣＨサブフレームの第１のタイムスロット内に２つのＨＡＲＱ−ＡＣＫフィールドが含まれる。いずれかの個々のＨＡＲＱ−ＡＣＫメッセージがＤＴＸされることが可能にされる場合、半スロット伝送が発生する場合がある。ＳＦ＝１２８の２つのＨＳ−ＤＰＣＣＨが構成されるとき、ＨＡＲＱ−ＡＣＫフィールドに関して非フルスロット伝送を回避するために、それらのＨＡＲＱ−ＡＣＫ情報を送信する必要があるときはいつでも、サービス提供ＨＳ−ＤＳＣＨセル、すなわち、第１の二次サービス提供ＨＳ−ＤＳＣＨセル、第２の二次サービス提供ＨＳ−ＤＳＣＨセル、および第３の二次サービス提供ＨＳ−ＤＳＣＨセルに関連するＨＡＲＱ−ＡＣＫ情報を常にＨＳ−ＤＰＣＣＨ１において送信することが可能であり、第４の二次サービス提供ＨＳ−ＤＳＣＨセル、第５の二次サービス提供ＨＳ−ＤＳＣＨセル、第６の二次サービス提供ＨＳ−ＤＳＣＨセル、および第７の二次サービス提供ＨＳ−ＤＳＣＨセルに関連するＨＡＲＱ−ＡＣＫ情報をＨＳ−ＤＰＣＣＨ２において送信することが可能であるように（すなわち、２つのＨＳ−ＤＰＣＣＨの間にＨＡＲＱ−ＡＣＫのリマッピングがないように）、いずれかの二次サービス提供ＨＳ−ＤＳＣＨセルのアクティブ化／非アクティブ化時に、チャネルごとのリマッピングおよび／または反復を実行することが可能である（すなわち、それぞれのＨＳ−ＤＰＣＣＨ内、すなわち、ＨＳ−ＤＰＣＣＨ１内またはＨＳ−ＤＰＣＣＨ２内でリマッピングおよび／または反復を独立して実行することが可能である）。より詳細には、サービス提供ＨＳ−ＤＳＣＨセルに関連しない他のＨＳ−ＤＰＣＣＨ（例えば、図１１に示すＨＳ−ＤＰＣＣＨ２）である二次ＨＳ−ＤＰＣＣＨは、下のアクティブ化／非アクティブ化時のリマッピングおよび反復規則に従うことができる。
【００８７】
二次ＨＳ−ＤＰＣＣＨ（ＨＳ−ＤＰＣＣＨ２）内の４つのアクティブなセルの場合、リマッピングも繰り返しも不要である。（それぞれのＨＡＲＱ−ＡＣＫメッセージがセルの対に対応する）２つのＨＡＲＱ−ＡＣＫメッセージは符号化されて、事前定義された順序で（例えば、アクティブなキャリアの数の点で、昇順で、または、あるいは降順で）同じスロット内に連結される。例えば、ＨＡＲＱ−ＡＣＫ３は、第４の二次サービス提供ＨＳ−ＤＳＣＨセルおよび第５の二次サービス提供ＨＳ−ＤＳＣＨセルの対に関して、その順序で、ＨＡＲＱ応答メッセージを含むことが可能であり、ＨＡＲＱ−ＡＣＫ４は、第６の二次サービス提供ＨＳ−ＤＳＣＨセルおよび第７の二次サービス提供ＨＳ−ＤＳＣＨセルの対に関して、その順序で、ＨＡＲＱ応答メッセージを含むことが可能である。
【００８８】
二次ＨＳ−ＤＰＣＣＨ内の３つのアクティブ化されたセルの場合、非アクティブ化された二次サービス提供セルの代わりにＤＴＸメッセージが送信されることを除いて、ＨＡＲＱ−ＡＣＫメッセージは、４つのアクティブ化されたセルの場合と同じように送信される。この場合、キャリア関連付けリマッピングを実行しても、または実行しなくてもよく、繰り返しは不要である。
【００８９】
二次ＨＳ−ＤＰＣＣＨ内の２つのアクティブ化されたセルの場合、上位層によって示される最低指標を有する、二次サービス提供ＨＳ−ＤＳＣＨセルおよび他のアクティブ化された二次サービス提供ＨＳ−ＤＳＣＨセルの対に関するＨＡＲＱ−ＡＣＫメッセージは、その順序で、結合符号化され、繰り返されて、ＨＳ−ＤＰＣＣＨサブフレームのＨＡＲＱ−ＡＣＫスロット全体を満たす。
【００９０】
二次ＨＳ−ＤＰＣＣＨ内の１つのアクティブ化されたセルの場合、そのアクティブなセルに関するＨＡＲＱ−ＡＣＫメッセージは、ＤＴＸと結合符号化され、繰り返されて、ＨＳ−ＤＰＣＣＨサブフレームのＨＡＲＱ−ＡＣＫスロット全体を満たす。
【００９１】
二次ＨＳ−ＤＰＣＣＨ内の０個のアクティブ化されたセルの場合、ＨＳ−ＤＰＣＣＨサブフレーム内のＨＡＲＱ−ＡＣＫスロット全体をＤＴＸすることが可能であるか、またはＤＴＸ符号語（すなわち、Ｄ／Ｄ）により満たすこと（および、繰り返すこと）が可能である。ＷＴＲＵが、そのＨＡＲＱ−ＡＣＫ情報が同じＨＳ−ＤＰＣＣＨにマッピングされるセルのうちのいずれかに関するＨＳ−ＳＣＣＨを検出しないものの、そのＨＡＲＱ−ＡＣＫ情報が他のＨＳ−ＤＰＣＣＨにマッピングされるセルに関して、少なくとも１つのＨＳ−ＳＣＣＨが検出される場合、ＷＴＲＵは、それに関してＷＴＲＵがいずれのＨＳ−ＳＣＣＨ伝送も検出しなかったＨＳ−ＤＰＣＣＨのＨＡＲＱ−ＡＣＫフィールド内でＤＴＸ符号語を繰り返すことができる。
【００９２】
別の実施形態では、いずれかのサービス提供セルのアクティブ化または非アクティブ化時に、クロスチャネルリマッピングおよびクロスチャネル反復を実行することが可能である（すなわち、２つのＨＳ−ＤＰＣＣＨ（ＨＳ−ＤＰＣＣＨ１およびＨＳ−ＤＰＣＣＨ２）を通してキャリア関連付けリマッピングおよび／またはキャリア関連付け反復を実行することが可能である。アクティブなサービス提供セルの数が１である（すなわち、Ｓｅｃｏｎｄａｒｙ＿Ｃｅｌｌ＿Ａｃｔｉｖｅ＝０）場合、そのサービス提供ＨＳ−ＤＳＣＨセルに関するＨＡＲＱ−ＡＣＫ状態情報は、ＤＴＸと結合符号化され、繰り返されて、ＨＳ−ＤＰＣＣＨ１内のＨＡＲＱ−ＡＣＫスロット全体を満たすのに対して、ＨＳ−ＤＰＣＣＨ２はＤＴＸされる。アクティブなサービス提供セルの数が２である（すなわち、Ｓｅｃｏｎｄａｒｙ＿Ｃｅｌｌ＿Ａｃｔｉｖｅ＝１）場合、そのサービス提供ＨＳ−ＤＳＣＨセルおよびアクティブな二次サービス提供ＨＳ−ＤＳＣＨセルに関するＨＡＲＱ−ＡＣＫ状態情報は、結合符号化され、繰り返されて、ＨＳ−ＤＰＣＣＨ１内のＨＡＲＱ−ＡＣＫスロット全体を満たすのに対して、ＨＳ−ＤＰＣＣＨ２はＤＴＸされる。アクティブなサービス提供セルの数が３または４である場合（すなわち、Ｓｅｃｏｎｄａｒｙ＿Ｃｅｌｌ＿Ａｃｔｉｖｅ＝２または３）、３つまたは４つのサービス提供セルに関するＨＡＲＱ−ＡＣＫ状態情報はリマッピングされて、ＨＡＲＱ−ＡＣＫ１およびＨＡＲＱ−ＡＣＫ２に関して再グループ化され、ＨＳ−ＤＰＣＣＨ１内のＨＡＲＱ−ＡＣＫスロット全体を満たすのに対して、ＨＳ−ＤＰＣＣＨ２はＤＴＸされる。アクティブなサービス提供セルが５つ以上である（すなわち、Ｓｅｃｏｎｄａｒｙ＿Ｃｅｌｌ＿Ａｃｔｉｖｅ＞３）場合、（サービス提供ＨＳ−ＤＳＣＨセルを含めて）４つのアクティブなセルに関するＨＡＲＱ−ＡＣＫ状態情報を再グループ化し、ＨＡＲＱ−ＡＣＫ１およびＨＡＲＱ−ＡＣＫ２にリマッピングし、ＨＳ−ＤＰＣＣＨ１内のＨＡＲＱ−ＡＣＫスロット全体を満たすことが可能であり、残りのアクティブな二次サービス提供セルをＨＡＲＱ−ＡＣＫ３（および、必要な場合、ＨＡＲＱ−ＡＣＫ４）にリマッピングし、必要な場合、繰り返して、ＨＳ−ＤＰＣＣＨ２内のＨＡＲＱ−ＡＣＫスロットを満たすことが可能である。
【００９３】
アクティブなサービス提供セルの数が３から６であり、いずれのセル内にもＭＩＭＯが構成されていない特殊事例の場合、３つのセルを１つのグループにグループ化することが可能であり、残りのセルを別のグループにグループ化することが可能である。（最高で３つまでの）それぞれのグループ内のＨＡＲＱ−ＡＣＫ状態情報を、ＭＩＭＯを用いない３Ｃに関する符号化方式に従って、それぞれ、結合符号化することが可能であり、２つのＨＡＲＱ−ＡＣＫ符号語は、１２８のＳＦを有する、１つのＨＳ−ＤＰＣＣＨのＨＡＲＱ−ＡＣＫスロットを満たすことが可能である。
【００９４】
図１２は、ＭＩＭＯを用いない６Ｃに関する、ＳＦが１２８である１つのＨＳ−ＤＰＣＣＨに関する、例示的なメッセージレイアウトを示す。Ｃ０からＣ２に関するＡ／Ｎ１およびＣ３からＣ５に関するＡ／Ｎ２は、サブフレーム１およびサブフレーム２の第１のタイムスロット１２０２、１２０８においてそれぞれ送信され、セルＣ０およびＣ３に関する第１のＣＱＩ報告は、サブフレーム１の第２のタイムスロットおよび第３のタイムスロット１２０４、１２０６においてそれぞれ送信され、セルＣ１＋Ｃ２およびＣ４＋Ｃ５に関する第２のＣＱＩ報告は、サブフレーム２の第２のタイムスロットおよび第３のタイムスロット１２１０、１２１２においてそれぞれ送信される。
【００９５】
アクティブなサービス提供セルの数が３である別の特殊事例の場合、アクティブなセルは１つのグループにグループ化され、３つのセルに関するＨＡＲＱ−ＡＣＫ状態情報は、ＭＩＭＯを用いない３Ｃに関する符号化方式に従って、結合符号化され、次いで、符号語が繰り返され、ＳＦが１２８である１つのＨＳ−ＤＰＣＣＨのＨＡＲＱ−ＡＣＫスロット全体を満たす。
【００９６】
図１３は、ＭＩＭＯを用いない３Ｃに関する、ＳＦが１２８である１つのＨＳ−ＤＰＣＣＨに関する、例示的なメッセージレイアウトフォーマットを示す。Ｃ０からＣ２に関するＡ／Ｎは、サブフレーム１およびサブフレーム２の第１のタイムスロット１３０２、１３０８においてそれぞれ繰り返され、Ｃ０に関する第１のＣＱＩ報告は、サブフレーム１の第２のタイムスロットおよび第３のタイムスロット１３０４、１３０６において送信され（繰り返され）、Ｃ１およびＣ２に関する第２のＣＱＩ報告は、サブフレーム２の第２のタイムスロットおよび第３のタイムスロット１３１０、１３１２において送信される（繰り返される）。
【００９７】
あるいは、ＳＦが１２８である２つのＨＳ−ＤＰＣＣＨが使用されるとき、リマッピングは可能にされなくてもよいが、繰り返しは可能にされてもよい。二次サービス提供セルがアクティブなとき、ＨＡＲＱ−ＡＣＫメッセージに対するその関連付けがネットワークによって構成されると、ＨＡＲＱ−ＡＣＫメッセージに対するその関連付けは変更されなくてもよく、同じＨＡＲＱ−ＡＣＫメッセージに割り当てられた二次サービス提供セルが非アクティブ化されるとき、他のＨＡＲＱ−ＡＣＫメッセージからのフィードバック情報を繰り返すことによって、非フルスロット伝送を回避することが可能である。
【００９８】
あるいは、ＳＦが１２８である２つのＨＳ−ＤＰＣＣＨが使用されるとき、二次サービス提供セルのアクティブ化／非アクティブ化時に、リマッピングおよび繰り返しを実行しなくてもよい。ＨＡＲＱ−ＡＣＫメッセージに関連するセルが両方とも非アクティブ化されるか、または構成されていない場合、ＤＴＸ符号語を送信することによって、非フルスロット伝送を回避することが可能である。
【００９９】
あるいは、ＨＳ−ＤＰＣＣＨ２内の４つのセルがアクティブ化されるのに対して、ＨＳ−ＤＰＣＣＨ１内の１つまたは複数の二次サービス提供セルが非アクティブ化される事例では、クロスチャネルのリマッピングは可能にされなくてもよく、ＨＳ−ＤＰＣＣＨ１内でＨＡＲＱ−ＡＣＫメッセージのリマッピングおよび／または繰り返しを実行することが可能である。
【０１００】
別の実施形態では、ＳＦが１２８である２つのＨＳ−ＤＰＣＣＨが使用されるとき、リマッピングは可能にしないが、繰り返しを可能にすることによって、キャリア関連付けを半動的にすることが可能である。二次サービス提供セルがアクティブなとき、ＨＡＲＱ−ＡＣＫメッセージに対するその関連付けがネットワークによって構成されると、ＨＡＲＱ−ＡＣＫメッセージに対するその関連付けは変更されなくてもよい。同じＨＡＲＱ−ＡＣＫメッセージに割り当てられた二次サービス提供セルが非アクティブ化されるとき、他のＨＡＲＱ−ＡＣＫメッセージからのフィードバック情報を繰り返すことによって、非フルスロット伝送を回避することが可能である。例えば、ＨＡＲＱ−ＡＣＫ２メッセージがアクティブなサービス提供セルのうちのいずれとも関連しない場合、ＨＡＲＱ−ＡＣＫ１を繰り返すことができる。
【０１０１】
別の実施形態では、キャリア関連付けを固定することが可能である（すなわち、ＳＦが１２８である２つのＨＳ−ＤＰＣＣＨが使用されるとき、二次サービス提供セルのアクティブ化／非アクティブ化時に、リマッピングおよび繰り返しは実行されない）。ＨＡＲＱ−ＡＣＫメッセージに関連する両方のセルが非アクティブ化されるか、または構成されていない場合、ＤＴＸ符号語を送信することによって、非フルスロット伝送を回避することが可能である。
【０１０２】
（１つまたは複数の）二次サービス提供セルのアクティブ化および非アクティブ化時のＣＱＩ報告制限に関する実施形態が以下で開示される。
【０１０３】
（１つもしくは複数の）二次サービス提供セルが非アクティブ化されるとき、（１つもしくは複数の）アクティブでないサービス提供セルに関するＣＱＩ（または、ＰＣＩ／ＣＱＩ）報告は送信されない場合がある。加えて、ＷＴＲＵは、ネットワーク構成（例えば、ネットワークによって大きなＣＱＩフィードバックサイクルが構成されること）に続いて、一部のサブフレームでＣＱＩ（または、ＰＣＩ／ＣＱＩ）を送信しない場合がある。これらの事象のうちのいずれかにおいて、ＳＦが６４である１つのＨＳ−ＤＰＣＣＨが構成されるとき、個々のＣＱＩメッセージは半タイムスロット間隔を利用するため、半スロット伝送が発生する可能性がある。ＳＦ＝６４の１つのＨＳ−ＤＰＣＣＨが使用される場合、半スロット伝送を回避するために、以下の実施形態を実施することが可能である。
【０１０４】
一実施形態では、ＣＱＩを同時に報告するために、ＣＱＩメッセージに対応するサービス提供セルの対が同じタイムスロットで報告されることを必要とする場合がある。すなわち、タイムスロットでＣＱＩメッセージのうちの１つだけを送信することが可能にされない場合がある。例えば、図１０のＣ４およびＣ６は、単独で送信されることを可能にされない場合がある。
【０１０５】
二次サービス提供セルのうちのいくつかが非アクティブ化され、結果として、半スロット伝送をもたらす可能性がある場合、同じタイムスロット内の別の半スロット内に配置されたＣＱＩメッセージを繰り返して、フルタイムスロットを満たすことが可能である。あるいは、ＣＱＩ値の通常の範囲に関して使用されない新しいＣＱＩ値であってもよい、新しいＣＱＩのＤＴＸ符号語（例えば、ＭＩＭＯが構成されない場合、もしくはＭＩＭＯが構成され、単一のストリーム制限が構成される場合、ＣＱＩ値＝０もしくはＣＱＩ値＝３１、またはＭＩＭＯが構成され、単一のストリーム制限が構成されない場合、ＣＱＩ値＝１５）を導入して、非アクティブ化されたセルに関するＣＱＩを置換し、半スロット伝送を回避することが可能である。あるいは、非アクティブ化されたセルに関する伝送をＤＴＸすることによって、半スロット伝送を可能にすることができる。あるいは、アクティブなセルの対が１つのスロットを満たすように、アクティブなセルを再グループ化および／またはリマッピングすることが可能である。アクティブなセルが奇数である場合、アクティブなセルのうちの１つを繰り返すこと、またはＣＱＩのＤＴＸ符号語と対にすること、またはＤＴＸすることが可能である。
【０１０６】
ＳＦが１２８である２つのＨＳ−ＤＰＣＣＨを用いて構成される間に、二次サービス提供ＨＳ−ＤＳＣＨセルのアクティブ化／非アクティブ化時に、サービス提供セルを、ＣＱＩ（または、ＰＣＩ／ＣＱＩ）報告のために、再グループ化すること、リマッピングすること、および／または繰り返すことが可能である。
【０１０７】
一実施形態では、サービス提供ＨＳ−ＤＳＣＨセルが送信される必要がある（すなわち、２つのＨＳ−ＤＰＣＣＨ間にＣＱＩ情報のリマッピングがない）ときはいつでも、サービス提供ＨＳ−ＤＳＣＨセル、すなわち、第１の二次サービス提供ＨＳ−ＤＳＣＨセル、第２の二次サービス提供ＨＳ−ＤＳＣＨセル、および第３の二次サービス提供ＨＳ−ＤＳＣＨセルに関連するＣＱＩ情報を、常に、ＨＳ−ＤＰＣＣＨ１において送信することが可能であり、第４の二次サービス提供ＨＳ−ＤＳＣＨセル、第５の二次サービス提供ＨＳ−ＤＳＣＨセル、第６の二次サービス提供ＨＳ−ＤＳＣＨセル、および第７の二次サービス提供ＨＳ−ＤＳＣＨセルに関連するＣＱＩ情報をＨＳ−ＤＰＣＣＨ２において送信することが可能であるように、ＳＦが１２８である２つのＨＳ−ＤＰＣＣＨが８Ｃ−ＨＳＤＰＡ内で構成されるとき、ＣＱＩ報告のためにチャネルごとの反復を使用することが可能である（すなわち、それぞれのＨＳ−ＤＰＣＣＨ（ＨＳ−ＤＰＣＣＨ１またはＨＳ−ＤＰＣＣＨ２のいずれか）内でチャネルごとのＣＱＩ反復を独立して実行することが可能である）。ＨＳ−ＤＰＣＣＨにおいて４つのセルがアクティブな場合、２つのアクティブなセルのＣＱＩまたはＰＣＩ／ＣＱＩメッセージは、ＨＳ−ＤＰＣＣＨの１つのサブフレームで送信され、他の２つのアクティブなセルのＣＱＩまたはＰＣＩ／ＣＱＩメッセージは、事前定義された順序で、ＨＳ−ＤＰＣＣＨの別のサブフレームで送信される。例えば、ＨＳ−ＤＰＣＣＨ２の場合、第４の二次サービス提供ＨＳ−ＤＳＣＨセル（ＣＱＩ３、またはＰＣＩ／ＣＱＩ３）および第６の二次サービス提供ＨＳ−ＤＳＣＨセル（ＣＱＩ４、またはＰＣＩ／ＣＱＩ４）に関する報告は図９に従ってマッピングされ、第５の二次サービス提供ＨＳ−ＤＳＣＨセル（ＣＱＩ３、またはＰＣＩ／ＣＱＩ３）および第７の二次サービス提供ＨＳ−ＤＳＣＨセル（ＣＱＩ４、またはＰＣＩ／ＣＱＩ４）に関する報告は図９に従ってマッピングされる。Ｓｅｃｏｎｄａｒｙ＿Ｃｅｌｌ＿Ａｃｔｉｖｅが７未満であるとき、ＣＱＩまたはＰＣＩ／ＣＱＩ報告のマッピングは、以下を除いて、Ｓｅｃｏｎｄａｒｙ＿Ｃｅｌｌ＿Ａｃｔｉｖｅが７である場合と同じであってもよい。
【０１０８】
ＨＳ−ＤＰＣＣＨにおいて３つのセルがアクティブな場合、ＨＳ−ＤＰＣＣＨ物理チャネルマッピング機能は、入力ビットｂｋをそのサブフレームのＣＱＩ（または、ＰＣＩ／ＣＱＩ）フィールドの対応するスロット内の物理チャネルに直接的にマッピングすることが可能であるのに対して、ＣＱＩ（または、ＰＣＩ／ＣＱＩ）フィールドの他のスロットは、１つだけのアクティブなセルがマッピングされるサブフレームでＤＴＸされる。
【０１０９】
ＨＳ−ＤＰＣＣＨにおいて２つのセルがアクティブな場合、一方のセルのＣＱＩまたはＰＣＩ／ＣＱＩメッセージがＨＳ−ＤＰＣＣＨの１つのサブフレームで送信され、もう一方のセルのＣＱＩまたはＰＣＩ／ＣＱＩメッセージがＨＳ−ＤＰＣＣＨの別のサブフレームで送信されるように、これらのアクティブなセルは、ＨＳ−ＤＰＣＣＨ内でリマッピングされ、それぞれのＣＱＩまたはＰＣＩ／ＣＱＩメッセージは繰り返されて、対応するサブフレームのＣＱＩスロット内を満たす。
【０１１０】
ＨＳ−ＤＰＣＣＨにおいて１つのセルがアクティブな場合、ＨＳ−ＤＰＣＣＨサブフレームの２つのスロットにおいて、アクティブなセルのＣＱＩまたはＰＣＩ／ＣＱＩメッセージを繰り返すことが可能である。二次サービス提供ＨＳ−ＤＳＣＨセルのアクティブ化／非アクティブ化時の上記の物理チャネルマッピング規則は、一次ＨＳ−ＤＰＣＣＨおよび二次ＨＳ−ＤＰＣＣＨの両方に適用される。サービス提供ＨＳ−ＤＳＣＨセルが常にアクティブ化可能なＨＳ−ＤＰＣＣＨ１に関連すると仮定すると、ＨＳ−ＤＰＣＣＨ２内のすべての二次サービス提供ＨＳ−ＤＳＣＨセルが非アクティブ化される特殊事例が存在し、したがって、ＨＳ−ＤＰＣＣＨ２サブフレームの２つのＣＱＩ（または、ＰＣＩ／ＣＱＩ）スロットをＤＴＸすることが可能であるか、またはＣＱＩ  ＤＴＸ符号語を繰り返すことによって、それらのスロットを満たすことが可能である。
【０１１１】
別の実施形態では、ＳＦが１２８である２つのＨＳ−ＤＰＣＣＨが８Ｃ−ＨＳＤＰＡ内で構成されるとき、ＣＱＩ報告のために、クロスチャネルリマッピングおよび／またはクロスチャネル反復を実行することが可能である。アクティブな二次サービス提供セルの数が０に等しい（すなわち、Ｓｅｃｏｎｄａｒｙ＿Ｃｅｌｌ＿Ａｃｔｉｖｅ＝０）とき、サービス提供ＨＳ−ＤＳＣＨセルに関するＣＱＩもしくはＰＣＩ／ＣＱＩを繰り返して、ＨＳ−ＤＰＣＣＨ１サブフレーム内の２スロットＣＱＩまたはＰＣＩ／ＣＱＩフィールドを満たすことが可能であるのに対して、ＨＳ−ＤＰＣＣＨ２をＤＴＸすることが可能である。
【０１１２】
アクティブな二次サービス提供セルの数が１に等しい（すなわち、Ｓｅｃｏｎｄａｒｙ＿Ｃｅｌｌ＿Ａｃｔｉｖｅ＝１）場合、それぞれのアクティブなセルに関するＣＱＩもしくはＰＣＩ／ＣＱＩを繰り返して、ＨＳ−ＤＰＣＣＨ１サブフレーム内の２スロットＣＱＩまたはＰＣＩ／ＣＱＩフィールドを満たすことが可能であるのに対して、ＨＳ−ＤＰＣＣＨ２をＤＴＸすることが可能である。アクティブ化／非アクティブ化の前に、アクティブ化された二次サービス提供ＨＳ−ＤＳＣＨセルがＨＳ−ＤＰＣＣＨ２と関連付けられる場合、ＨＳ−ＤＰＣＣＨ２がＤＴＸされるとき、アクティブな二次サービス提供ＨＳ−ＤＳＣＨセルに関するＣＱＩもしくはＰＣＩ／ＣＱＩをＨＳ−ＤＰＣＣＨ１の２つのスロットにリマッピングすることが可能である。
【０１１３】
アクティブな二次サービス提供セルの数が２または３に等しい（すなわち、Ｓｅｃｏｎｄａｒｙ＿Ｃｅｌｌ＿Ａｃｔｉｖｅ＝２または３）場合、アクティブなセルに関するＣＱＩもしくはＰＣＩ／ＣＱＩを２つのＨＳ−ＤＰＣＣＨ１サブフレームの第１のＣＱＩまたはＰＣＩ／ＣＱＩ報告および第２のＣＱＩまたはＰＣＩ／ＣＱＩ報告の４つのスロットにリマッピングすることが可能であるのに対して、ＨＳ−ＤＰＣＣＨ２をＤＴＸすることが可能である。第１のＣＱＩまたはＰＣＩ／ＣＱＩ報告は、第１のＨＳ−ＤＰＣＣＨサブフレームにマッピングされた４つのＣＱＩまたはＰＣＩ／ＣＱＩメッセージであり、第２のＣＱＩまたはＰＣＩ／ＣＱＩ報告は、後続のＨＳ−ＤＰＣＣＨサブフレームにマッピングされた別の４つのＣＱＩまたはＰＣＩ／ＣＱＩメッセージである。図１１では、Ｃ０、Ｃ２、Ｃ４、およびＣ６は、第１のＣＱＩまたはＰＣＩ／ＣＱＩ報告を含み、Ｃ１、Ｃ３、Ｃ５、およびＣ７は、第２のＣＱＩまたはＰＣＩ／ＣＱＩ報告を含む。
【０１１４】
Ｓｅｃｏｎｄａｒｙ＿Ｃｅｌｌ＿Ａｃｔｉｖｅ＝２の場合、ＣＱＩまたはＰＣＩ／ＣＱＩ報告に関する２つのＨＳ−ＤＰＣＣＨ１サブフレームの４つのスロットのうちの１つをＤＴＸすること、またはＣＱＩのＤＴＸ符号語によって満たすことが可能である。
【０１１５】
Ｓｅｃｏｎｄａｒｙ＿Ｃｅｌｌ＿Ａｃｔｉｖｅ＞３の場合、（サービス提供ＨＳ−ＤＳＣＨセルを含む）４つのアクティブなセルをＨＳ−ＤＰＣＣＨ１において搬送された第１のＣＱＩまたはＰＣＩ／ＣＱＩ報告および第２のＣＱＩまたはＰＣＩ／ＣＱＩ報告にリマッピングすることが可能であり、アクティブな二次サービス提供ＨＳ−ＤＳＣＨセルの数に応じて、残りのアクティブな二次サービス提供ＨＳ−ＤＳＣＨセルをＨＳ−ＤＰＣＣＨ２において搬送された第１のＣＱＩ報告もしくはＰＣＩ／ＣＱＩ報告および／または第２のＣＱＩ報告もしくはＰＣＩ／ＣＱＩ報告にリマッピングすることが可能である。Ｓｅｃｏｎｄａｒｙ＿Ｃｅｌｌ＿Ａｃｔｉｖｅ＝４または５の場合、ＨＳ−ＤＰＣＣＨ２にリマッピングされたそれぞれのアクティブな二次サービス提供ＨＳ−ＤＳＣＨセルに関するＣＱＩもしくはＰＣＩ／ＣＱＩを繰り返して、ＨＳ−ＤＰＣＣＨ２内の２スロットＣＱＩまたはＰＣＩ／ＣＱＩフィールドを満たすことが可能である。Ｓｅｃｏｎｄａｒｙ＿Ｃｅｌｌ＿Ａｃｔｉｖｅ＝６の場合、それぞれのアクティブなセルに関するＣＱＩもしくはＰＣＩ／ＣＱＩをＨＳ−ＤＰＣＣＨ１またはＨＳ−ＤＰＣＣＨ２の１つのスロット内に満たすことが可能であり、非アクティブ化されたセルに関するＣＱＩもしくはＰＣＩ／ＣＱＩをＤＴＸすること、またはＣＱＩのＤＴＸ符号語によってＨＳ−ＤＰＣＣＨ２内の１スロットＣＱＩまたはＰＣＩ／ＣＱＩフィールド内に示すことが可能である。
【０１１６】
あるいは、ＭＩＭＯを用いずに、３〜６つのアクティブなセルが構成される場合、これらのセルを、図１２に示すように、ＳＦが１２８である１つのＨＳ−ＤＰＣＣＨにリマッピングすることが可能である。ＭＩＭＯを用いずに、３つのセルが構成される場合、これらの３つのセルを１つのグループにリマッピングすることが可能である。３Ｃに関するＨＡＲＱ−ＡＣＫ情報を繰り返して、ＨＡＲＱ−ＡＣＫスロットのすべてを満たすことが可能であり、図１３に示すように、ＣＱＩを繰り返して、ＨＳ−ＤＰＣＣＨの２スロットＣＱＩフィールドを満たすことが可能である（すなわち、サービス提供ＨＳ−ＤＳＣＨセルに関するＣＱＩは第１のＣＱＩ報告内で符号化され、繰り返され、２つの二次セルに関するＣＱＩは、第２のＣＱＩ報告内で結合符号化されて、繰り返される）。
【０１１７】
あるいは、２つのＨＳ−ＤＰＣＣＨを通してアクティブなセルのリマッピングは可能にされてなくてもよいが、ＨＳ−ＤＰＣＣＨ１またはＨＳ−ＤＰＣＣＨ２のいずれかに関連するアクティブなセルの数が２以下であるとき、それぞれのアクティブなセルに関するＣＱＩまたはＰＣＩ／ＣＱＩを繰り返して、ＨＳ−ＤＰＣＣＨ１サブフレームまたはＨＳ−ＤＰＣＣＨ２サブフレームのいずれかの２スロットＣＱＩフィールドを満たすことが可能である。そのＨＳ−ＤＰＣＣＨに関連するアクティブなセルの数が２を超えるとき、ＣＱＩフィールドをＤＴＸすることが可能であるか、またはＣＱＩのＤＴＸ符号語を非アクティブ化されたセルに対応するＣＱＩスロット内に満たすことが可能である。
【０１１８】
あるいは、２つのＨＳ−ＤＰＣＣＨを通してアクティブなセルのリマッピングは可能にされなくてもよく、非アクティブ化された二次セルＣＱＩまたはＰＣＩ／ＣＱＩをＤＴＸすることが可能であるか、またはＨＳ−ＤＰＣＣＨ１もしくはＨＳ−ＤＰＣＣＨ２のいずれかの対応するＣＱＩスロットまたはＰＣＩ／ＣＱＩスロット内のＣＱＩのＤＴＸ符号語によって置換することが可能である。
【０１１９】
あるいは、ＨＳ−ＤＰＣＣＨ１内の１つまたは複数の二次サービス提供セルが非アクティブ化される間に、ＨＳ−ＤＰＣＣＨ２内の４つのセルがアクティブ化される場合、２つのＨＳ−ＤＰＣＣＨに関してクロスチャネルリマッピングは可能にされなくてもよい。
【０１２０】
別の実施形態では、リマッピングは可能にしないが、ＨＳ−ＤＰＣＣＨ１またはＨＳ−ＤＰＣＣＨ２のいずれかに関連するアクティブなセルの数が２以下であるとき、それぞれのアクティブなセルに関するＣＱＩまたはＰＣＩ／ＣＱＩを繰り返して、ＨＳ−ＤＰＣＣＨ１サブフレーム内またはＨＳ−ＤＰＣＣＨ２サブフレーム内の２スロットＣＱＩフィールドを満たすことを可能にすることによって、キャリア関連付けを半動的にすることが可能である。ＨＳ−ＤＰＣＣＨに関連するアクティブなセルの数が２を超えるとき、非アクティブ化されたセルに関するＣＱＩスロットをＤＴＸすることが可能であるか、またはＣＱＩのＤＴＸ符号語を満たすことが可能である。
【０１２１】
別の実施形態では、キャリア関連付けを固定することが可能であり（すなわち、２つのＨＳ−ＤＰＣＣＨを通してアクティブなセルのリマッピングは可能にされない）、非アクティブ化された二次セルに関するＣＱＩもしくはＰＣＩ／ＣＱＩは送信（すなわち、ＤＴＸ）されなくてもよいか、またはＨＳ−ＤＰＣＣＨ１もしくはＨＳ−ＤＰＣＣＨ２のいずれかの対応するＣＱＩスロットまたはＰＣＩ／ＣＱＩスロット内のＣＱＩのＤＴＸ符号語と置換されなくてもよい。
【０１２２】
表１０および１１は、異なる数のダウンリンクキャリアが構成されるときの、ＨＡＲＱ−ＡＣＫフィールドまたはＰＣＩ／ＣＱＩフィールドのいずれかに関する例示的なキャリア関連付けを示す。これらの表では、Ｃ０は、一次サービス提供セルに関するＨＡＲＱ−ＡＣＫフィールドまたはＰＣＩ／ＣＱＩフィールドのいずれかを示し、Ｃ１１、Ｃ１２、…、Ｃ１ｎ（ｎ＝１、２、３）は、第１のＨＳ−ＤＰＣＣＨ（ＨＳ−ＤＰＣＣＨ１）において搬送された二次セルに関するＨＡＲＱ−ＡＣＫフィールドまたはＰＣＩ／ＣＱＩフィールドのいずれかを示し、Ｃ２１、Ｃ２２、…、Ｃ２ｍ（ｍ＝１、２、３、４）は、第２のＨＳ−ＤＰＣＣＨ（ＨＳ−ＤＰＣＣＨ２）において搬送された二次セルを示す。
【０１２３】
【表１０】
2014506437.tif 000012
【０１２４】
【表１１】
2014506437.tif 000013
【０１２５】
図１４および１５を参照して、アクティブ化／非アクティブ化時のキャリア関連付けの例示的な実装形態が記述される。図１４は、ＳＦ＝１２８の２つのＨＳ−ＤＰＣＣＨに関するアクティブ化／非アクティブ化時の、例示的なチャネルごとのキャリア関連付けを示す。図１５は、ＳＦ＝１２８の２つのＨＳ−ＤＰＣＣＨに関するアクティブ化／非アクティブ化時の、例示的なクロスチャネルキャリア関連付けを示す。これらの例では、アクティブ化／非アクティブ化時に、Ｃ０、Ｃ１、Ｃ４、およびＣ５として示される４つのセルがアクティブ化される（すなわち、Ｓｅｃｏｎｄａｒｙ＿Ｃｅｌｌ＿Ａｃｔｉｖｅ＝３）。
【０１２６】
図１４に示すように、ＨＡＲＱ−ＡＣＫフィールドおよびＣＱＩフィールドの両方に関してチャネルごとのキャリア関連付けを適用するとき、ＨＳ−ＤＰＣＣＨ１内およびＨＳ−ＤＰＣＣＨ２内でリマッピングおよび反復が独立して実行される。図１５に示すように、ＨＡＲＱ−ＡＣＫフィールドおよびＣＱＩフィールドの両方に関して、クロスチャネルキャリア関連付けを適用するとき、４つのサービス提供セル（Ｃ０、Ｃ１、Ｃ４、Ｃ５）に関するＨＡＲＱ−ＡＣＫ情報は、ＨＡＲＱ−ＡＣＫ１およびＨＡＲＱ−ＡＣＫ２に再グループ化／リマッピングされ、ＨＳ−ＤＰＣＣＨ１内のＨＡＲＱ−ＡＣＫスロット１５０２、１５０８を満たす。加えて、４つのアクティブなセル（Ｃ０、Ｃ１、Ｃ４、Ｃ５）に関するＣＱＩまたはＰＣＩ／ＣＱＩは、２つのＨＳ−ＤＰＣＣＨ１サブフレームの第１のＣＱＩまたはＰＣＩ／ＣＱＩ報告および第２のＣＱＩまたはＰＣＩ／ＣＱＩ報告の４つのスロット１５０４、１５０６、１５１０、１５１２にリマッピングされるのに対して、二次ＨＳ−ＤＰＣＣＨはＤＴＸされる。
【０１２７】
チャネルごとのキャリア関連付けと比較して、８Ｃ−ＨＳＤＰＡで、ＳＦ＝１２８の２つのＨＳ−ＤＰＣＣＨに関するアクティブ化／非アクティブ化時に、ＨＳ−ＤＰＣＣＨ２をＤＴＸして、電力を節約することが可能であるため、クロスチャネルキャリア関連付けは立法メートル（ＣＭ）値を低減させることができる。
【０１２８】
それらのグループのいずれにも４つを超えるキャリアが属さないという制約を伴って、すべてのアクティブなキャリアを２つのグループに分割し、次いで、先に記述されたＨＡＲＱ−ＡＣＫキャリア関連付け実施形態およびＣＱＩキャリア関連付け実施形態のうちの１つもしくはそれらの任意の組合せによって、それぞれのグループの全キャリアをＨＳ−ＤＰＣＣＨ１またはＨＳ−ＤＰＣＣＨ２にマッピングすることによって、キャリアのアクティブ化／非アクティブ化時または構成時のキャリア関連付けを定義することが可能である。
【０１２９】
例えば、４つのアクティブなキャリアの場合、図１４に示すように、２つのキャリアをＨＳ−ＤＰＣＣＨ１と関連付けることが可能であり、他の２つのキャリアをＨＳ−ＤＰＣＣＨ２と関連付けることが可能である。あるいは、図１５に示すように、４つのキャリアをＨＳ−ＤＰＣＣＨ１と関連付けることが可能であり、０個のキャリアをＨＳ−ＤＰＣＣＨ２と関連付けることが可能である（すなわち、ＨＳ−ＤＰＣＣＨ２をＤＴＸすることが可能である）。あるいは、３つのキャリアをＨＳ−ＤＰＣＣＨ１と関連付けることが可能であり、１つのキャリアをＨＳ−ＤＰＣＣＨ２と関連付けることが可能である。あるいは、１つのキャリアをＨＳ−ＤＰＣＣＨ１と関連付けることが可能であり、３つのキャリアをＨＳ−ＤＰＣＣＨ２と関連付けることが可能である。
【０１３０】
別の例に関して、６つのアクティブなキャリアの場合、３つのキャリアをＨＳ−ＤＰＣＣＨ１と関連付けることが可能であり、他の３つのキャリアをＨＳ−ＤＰＣＣＨ２と関連付けることが可能である。あるいは、４つのキャリアをＨＳ−ＤＰＣＣＨ１と関連付けることが可能であり、２つのキャリアをＨＳ−ＤＰＣＣＨ２と関連付けることが可能である。あるいは、２つのキャリアをＨＳ−ＤＰＣＣＨ１と関連付けることが可能であり、４つのキャリアをＨＳ−ＤＰＣＣＨ２と関連付けることが可能である。
【０１３１】
ＭＩＭＯを用いない６Ｃ／５Ｃ構成の特殊事例に関する実施形態が以下で開示される。いずれのセル内にもＭＩＭＯが構成されず、６つまたは５つのサービス提供セルが構成されるとき、アップリンクフィードバックによってサポートされるトランスポートブロックはかなり削減される。ＭＩＭＯを用いない６Ｃ／５Ｃの場合、図５に示すような、フレームフォーマットを用いた、ＳＦ＝１２８の１つのＨＳ−ＤＰＣＣＨ（ＨＳ−ＤＰＣＣＨ１だけ）を使用することが可能である。ＳＦ＝１２８の１つのＨＳ−ＤＰＣＣＨは、ＨＡＲＱ−ＡＣＫメッセージおよびＣＱＩメッセージの２つのセットを搬送することができる。表１に指定されるようなスロットフォーマット１、および表２に指定されるような対応するチャネル化符号を６Ｃに関するＨＳ−ＤＰＣＣＨフレームフォーマットに適用することが可能である。
【０１３２】
ＨＡＲＱ−ＡＣＫ符号化の場合、構成されたサービス提供セルを２つのグループに分割することができる。それぞれのグループは３つのセルを含む（５Ｃ構成の場合、第２のグループは２つのセルを含むことが可能である）。例えば、一次サービス提供セル、ならびに第１のサービス提供セルおよび第２のサービス提供セルはグループ１内に配置されてもよく、第３のセルから第５のセルはグループ２内に配置されてもよい。
【０１３３】
表１２に示すように、グループ内のすべてのセルからのＡＣＫ／ＮＡＣＫフィードバックを結合符号化することが可能であり、この場合、Ａ、Ｎ、またはＤは、ＡＣＫ、ＮＡＣＫ、およびＤＴＸをそれぞれ表す。５Ｃ構成の場合、ダミーセルは第２のグループ内にあり、最後のセルに関する位置に対応するＤＴＸ状態を有すると仮定する。符号化の結果として、２つのＨＡＲＱ−ＡＣＫ符号語が生成される。
【０１３４】
【表１２】
2014506437.tif 000014
【０１３５】
表１２では、Ｄ／Ｄ／Ｄ状態はＨＳ−ＤＰＣＣＨにおいて伝送がないことによって暗に示されるため、Ｄ／Ｄ／Ｄ状態は含まれない。６Ｃ／５Ｃ構成の場合、グループ内のすべてのサービス提供セルがＤＴＸ状態を有するとき、半スロット伝送が発生する可能性がある。
【０１３６】
半スロット伝送を回避するために、上記の表にＤＴＸ符号語を導入することができる。表１３内の符号語のうちの１つをＤＴＸ符号語として使用することができる。これらの選択肢のうちのいずれかは表１２内で指定された符号ブック内の他の符号語に対して３の最小距離を提示し、主要な符号語（Ａ／Ａ／Ａ、Ａ／Ａ／Ｎ、Ａ／Ｎ／Ａ、Ｎ／Ａ／Ａ）に対して４の最小距離を提示することになる。
【０１３７】
【表１３】
2014506437.tif 000015
【０１３８】
あるいは、主要な符号語（Ａ／Ａ／Ａ、Ａ／Ａ／Ｎ、Ａ／Ｎ／Ａ、Ｎ／Ａ／Ａ）に対して最小距離＞４を提示することになるＤＴＸ符号語を表１４から選択することが可能であり、選択されたＤＴＸ符号語に対して２の距離を有する符号語の数は削減される。
【０１３９】
【表１４】
2014506437.tif 000016
【０１４０】
あるいは、符号ブック内の他の符号語に対して３の最小距離を提供することになるＤＴＸ符号語を表１５から選択することができる。
【０１４１】
【表１５】
2014506437.tif 000017
【０１４２】
あるいは、表１２内のＰＲＥ符号またはＰＯＳＴ符号語をＤＴＸ符号語として使用することができる。
【０１４３】
６Ｃ／５Ｃの場合、二次サービス提供セルのうちのいくつかが非アクティブ化されるとき、それらのアクティブでないセルに関連するＨＡＲＱ−ＡＣＫ情報を報告する必要はない。ＨＡＲＱ−ＡＣＫメッセージに対するキャリア関連付けをリマッピングして、ＨＳ−ＤＰＣＣＨの伝送信頼性または電力効率を改善することが可能である。
【０１４４】
グループ内のすべてのサービス提供セルが非アクティブ化される場合、半スロット伝送が発生する可能性がある。半スロット伝送を回避するために、セルのアクティブ化／非アクティブ化が発生すると、サービス提供セルをリマッピングおよび再グループ化することが可能である。グループ内のＡＣＫ／ＮＡＣＫ情報は、次いで、結合符号化される。アクティブなセルが不十分であることから、１つのＨＡＲＱ−ＡＣＫメッセージが空のままで残されている場合、ＨＡＲＱ−ＡＣＫスロットで他のＨＡＲＱ−ＡＣＫメッセージを繰り返すことができる。
【０１４５】
サービス提供ＨＳ−ＤＳＣＨセルをＣ０として示し、すべてのアクティブな二次サービス提供セルをＣ１、Ｃ２、…、Ｃｎとして示す（ｎ＝Ｓｅｃｏｎｄａｒｙ＿Ｃｅｌｌ＿Ａｃｔｉｖｅ）。表１６および１７は、６Ｃ／５Ｃ事例の例示的なキャリア関連付けを示す。表１６および１７の行を、任意の構成で組み合わせて、新しいキャリア関連付け表を形成することができる。
【０１４６】
【表１６】
2014506437.tif 000018
【０１４７】
【表１７】
2014506437.tif 000019
【０１４８】
あるいは、構成された二次サービス提供セルに関するキャリア関連付けは同じ状態に留まってもよい（すなわち、セルのアクティブ化／非アクティブ化が発生するとき、リマッピングが実行されない）が、第２のグループ内のすべてのサービス提供セルが非アクティブ化されるとき、ＨＡＲＱ−ＡＣＫ２内でＨＡＲＱ−ＡＣＫ１を繰り返すことができる。
【０１４９】
ＨＳ−ＤＰＣＣＨに関する、ＳＦ＝１２８のスロットフォーマット１の場合、図１１に示されるように、サブフレーム内に２つのＣＱＩメッセージが利用可能である。６Ｃ／５Ｃの事例のＣＱＩ報告では、ＣＱＩを対にし、かつ／または結合符号化し、次いで、異なるサブフレームにおいて時分割多重化（ＴＤＭ）様式で送信することが可能である。最低ＣＱＩフィードバックサイクルを４ミリ秒に等しくすることができる。あるいは、それぞれのサービス提供セルに関するＣＱＩを独立して符号化し、ＴＤＭ様式で送信することが可能であり、これは結果として、より長いＣＱＩフィードバックサイクルをもたらすことになる。
【０１５０】
あるいは、キャリアのそれぞれの対に関して単一のＰＣＩ／ＣＱＩメッセージを送信することによって、送信される必要があるＰＣＩ／ＣＱＩメッセージの数を削減することが可能である。これは、ＰＣＩ／ＣＱＩメッセージの数を半分に削減する効果を有する。それぞれの対に関する単一のメッセージは、対にされたキャリアに関する平均ＰＣＩ／ＣＱＩ値、もしくは１つのＰＣＩ／ＣＱＩ値および２つのＰＣＩ／ＣＱＩ値の間の差のデルタ値、または結合符号化された値を含むことが可能である。
【０１５１】
６Ｃ／５Ｃ事例に関する二次サービス提供セルをＬ１シグナリング（すなわち、高速共有制御チャネル（ＨＳ−ＳＣＣＨ）命令）を介して動的にアクティブ化または非アクティブ化することが可能である。１つのＨＳ−ＳＣＣＨ命令によって、複数の二次サービス提供セルを同時にアクティブ化および非アクティブ化することが可能である。表１８は、６Ｃ／５Ｃ事例に関する、例示的なアクティブ化状態および非アクティブ化状態を示す。表１９は、表１８のアクティブ化状態および非アクティブ化状態にマッピングされたＨＳ−ＳＣＣＨ命令に関する例示的なビット割当てを示す。表１８および１９はある例として提供され、他の形態のビット割当ても可能である点に留意されたい。
【０１５２】
【表１８−１】
2014506437.tif 000020
【０１５３】
【表１８−２】
2014506437.tif 000021
【０１５４】
【表１９−１】
2014506437.tif 000022
【０１５５】
【表１９−２】
2014506437.tif 000023
【０１５６】
もう１つの特殊事例は、いずれのセル内にもＭＩＭＯが構成されてない、８つまたは７つのキャリア構成（８Ｃ／７Ｃ事例）である。いずれのセル内にもＭＩＭＯが構成されていない、８Ｃ−ＨＳＤＰＡの特殊事例の場合、サポートされることになるトランスポートブロックの総数は８である。図１６は、８Ｃ−ＨＳＤＰＡ  ８Ｃ／７Ｃ特殊事例に関する、ＳＦ＝１２８の例示的なＨＳ−ＤＰＣＣＨフレームフォーマットを示す。４つのキャリアに関するＡＣＫ／ＮＡＣＫメッセージを結合符号化することが可能である。４つのセル（または、４つのセルおよび３つのセル）に関するＨＡＲＱ−１およびＨＡＲＱ−２は、それぞれ、第１のタイムスロット１６０２において送信され、ＣＱＩ報告は第２のタイムスロットおよび第３のタイムスロット１６０４、１６０６において送信される。ＭＩＭＯを用いない８Ｃ／７Ｃに関するＨＡＲＱ−ＡＣＫフィードバックに関する符号ブックは、ＰＲＥ符号語およびＰＯＳＴ符号語を除いて、結合符号化された４つのサービス提供セルに関する８０（３４−１＝８０）個の複合ＨＡＲＱ−ＡＣＫ状態に対応する必要がある。４つのセルの複合ＡＣＫ／ＮＡＣＫ状態は表２０に列挙される。
【０１５７】
【表２０】
2014506437.tif 000024
【０１５８】
符号語の数を削減するために、表２０内の一部の状態を合併することが可能である。一実施形態では、ＷＴＲＵがサービス提供セルからの伝送状態について知らされ、ＡＣＫ／ＮＡＣＫ状態のうちのいくつかは決して発生しないことになるように、ダウンリンク制御シグナリング手順を修正することが可能である。これは、ＨＳ−ＤＰＳＣＨのトランスポートブロックサイズを報告する２つのキャリアをダウンリンク物理チャネル内で対にすることによって達成可能である。
【０１５９】
両方のサービス提供セルがサブフレームで８Ｃ／７Ｃ特殊モードを用いて構成されたＷＴＲＵにデータを送信しているとき、２つのデータストリームに関する（トランスポートブロックサイズ、変調パラメータなど）ダウンリンク制御情報をＷＴＲＵに報告することができる制御シグナリングに関してタイプ３ＨＳ−ＳＣＣＨを使用することが可能である。制御情報の２つのセットをそれら２つのセルからのダウンリンク伝送と関連付けることが可能である。したがって、１つのＨＳ−ＳＣＣＨだけをそれらのキャリアのいずれかにおいて送信することが可能である。あるいは、ＨＳ−ＳＣＣＨを両方のキャリアにおいて送信して、受信の信頼性を改善することができる。サブフレーム内のセルの対のうち１つのセルがデータをＷＴＲＵに送信しているとき、ＨＳ−ＰＤＳＣＨを送信しているキャリアにおいてタイプ１ＨＳ−ＳＣＣＨを送信することが可能である。したがって、タイプ１ＨＳ−ＳＣＣＨがサブフレームでＷＴＲＵにおいて受信された場合、それはその対の中の他のサービス提供セルがＤＴＸされることを暗に示す。このＨＳ−ＳＣＣＨ構成の場合、表２１に示すように、２つのセルに関するＡＣＫ／ＮＡＣＫ状態を削減することが可能である。
【０１６０】
【表２１】
2014506437.tif 000025
【０１６１】
表２２は、統合を適用した後の８Ｃ／７Ｃ特殊事例に関する例示的な符号ブックを示す。
【０１６２】
【表２２】
2014506437.tif 000026
【０１６３】
１つのサービス提供セル内でＭＩＭＯが構成されている７Ｃ、２つのサービス提供セル内でＭＩＭＯが構成されている６Ｃ、または３つのサービス提供セル内でＭＩＭＯが構成されている５Ｃなど、他の事例に上記の実施形態を拡張することが可能であり、この場合、ＭＩＭＯモードで構成されたサービス提供セルをＨＳ−ＳＣＣＨ伝送の際に対にする必要はない。
【０１６４】
この実施形態を先に記述された６Ｃ／５Ｃ特殊事例に適用することも可能であり、この場合、構成されていないサービス提供セルに関するＡＣＫ／ＮＡＣＫ状態はＤＴＸによって示される。
【０１６５】
別の実施形態では、符号ブック削減は、制限されたダウンリンク伝送の概念を導入することによって達成可能である。例えば、構成されたサービス提供セルを対にすることが可能であり、データ伝送に関して両方のサービス提供セルがスケジュールされている場合、サブフレームにおいてＨＳ−ＰＤＳＣＨ伝送を可能にすることができる。次いで、表２２に指定されるＡＣＫ／ＮＡＣＫ符号化を適用することが可能である。
【０１６６】
別の実施形態では、表２３に示すように、対にされたサービス提供セルに関して、グループ化されたＤＴＸ報告を導入することが可能である。次いで、表２２に指定されたようなＡＣＫ／ＮＡＣＫ符号化を適用することが可能である。
【０１６７】
【表２３】
2014506437.tif 000027
【０１６８】
グループ化された報告のために、ＭＩＭＯストリームまたはＭＩＭＯキャリアを束にすることによって、８Ｃ−ＨＳＤＰＡに関するフィードバック情報の量を削減することができる。一次ストリームおよび二次ストリームに関してＡＣＫ／ＮＡＣＫ報告をグループ化することによって、ＭＩＭＯが構成された概括的な事例に関するＡＣＫ／ＮＡＣＫフィードバックを簡素化することができる。表２４は、例示的なＡＣＫ／ＮＡＣＫグループ化を示す。この方式の場合、８Ｃの概括的な事例に関しても、表２２内の符号ブックを同様に使用することが可能である。
【０１６９】
【表２４】
2014506437.tif 000028
【０１７０】
あるいは、または加えて、グループ化されたＨＡＲＱ−ＡＣＫ報告のために、サービス提供セルを対にすることができる。例えば、第３のサービス提供セルおよび第７のサービス提供セルを対にすることが可能であり、一次ストリームまたは二次ストリームのいずれかに関して、２つのセルに関するＨＡＲＱ−ＡＣＫ状態を表２４にあるようにグループ化することが可能である。この実施形態の場合、８Ｃの概括的な事例に関して、ＳＦ＝１２８のスロットフォーマットを使用することが可能である。
【０１７１】
ＣＱＩまたはＰＣＩ／ＣＱＩをより長いフィードバックサイクルを用いてＴＤＭ様式でネットワークに報告することが可能である。あるいは、例えば、２つのＣＱＩを平均化すること、最悪のチャネルもしくはキャリアに対応する最悪ＣＱＩを選択すること、または、最善のチャネルもしくはキャリアに対応する最善のＣＱＩを選択することによって、サービス提供セルの対のＣＱＩ（ＣＱＩ／ＰＣＩ）を組み合わせて、１つのセットのフィードバックにすることが可能である。
【０１７２】
あるいは、１つまたは複数の他のセルに関して報告されたフィードバックの基礎として、１つのセルに関して報告されたフィードバックを使用することが可能である。ＷＴＲＵは、Ｎ個の（１つまたは複数の）基本ＣＱＩ、およびデルタ（すなわち、差分）（１つまたは複数の）ＣＱＩの最高でＮ個までの対応するセットをネットワークに報告することができる。基本ＣＱＩは、（すなわち、最善のチャネル／キャリアに対応する）中間ＣＱＩであってもよく、平均ＣＱＩであってもよく、最善ＣＱＩであってもよく、またはすべてのＣＱＩのうちの最悪のＣＱＩであってもよく、デルタ（すなわち、差分）ＣＱＩは、その基本ＣＱＩに関する差異として定義される。基本ＣＱＩは、１つの周波数帯域内のすべてのキャリアの平均ＣＱＩまたは最善のＣＱＩであってもよく、デルタＣＱＩは、基本ＣＱＩに関する周波数帯域内のそれぞれのキャリアのオフセットＣＱＩであってもよい。基本ＣＱＩは、特定のセルの実際のＣＱＩであってもよい。
【０１７３】
Ｎは、事前定義されてもよく、または周波数帯域内で構成されたキャリアの数、もしくはＭＩＭＯ構成、キャリアのアクティブ化／非アクティブ化状態、またはフィードバックＣＱＩペイロードに影響を及ぼすその他の要因など、キャリア構成に応じて、上位層によって信号送信されてもよい、１以上の整数値である。例えば、２つの周波数帯域を通じてすべてのキャリアが構成される場合、すべての構成されたキャリアが横断している帯域の総数としてＮを選択することが可能である（すなわち、この例ではＮ＝２）。
【０１７４】
デルタＣＱＩの数は、基本ＣＱＩと対にされた、構成されたキャリアの数、または基本ＣＱＩと対にされた、アクティブ化されたキャリアの数に依存する場合がある。基本ＣＱＩおよびデルタＣＱＩを対にすることは、事前定義されてもよく、または事前決定された規則に基づいて上位層によって信号送信されてもよい。
【０１７５】
基本ＣＱＩおよびデルタＣＱＩを周波数分割多重化（ＦＤＭ）様式で報告することが可能である。あるいは、基本ＣＱＩおよびデルタＣＱＩをＴＤＭ様式で報告することが可能である（すなわち、１つの基本ＣＱＩが伝送時間間隔（ＴＴＩ）ｋ内で報告され、基本ＣＱＩに関するデルタＣＱＩが後続のＴＴＩ内で報告される。あるいは、基本ＣＱＩおよびデルタＣＱＩをＦＤＭ様式およびＴＤＭ様式の混合の形で報告することが可能である。
【０１７６】
８Ｃ−ＨＳＤＰＡのＨＳ−ＤＰＣＣＨ電力オフセット設定に関する実施形態が以下で記述される。
【０１７７】
８Ｃ−ＨＳＤＰＡでは、ＷＴＲＵにおいて構成されたまたはアクティブ化されたキャリアの数に基づいて、異なるＨＳ−ＤＰＣＣＨスロットフォーマットを使用することが可能である。ＨＡＲＱ−ＡＣＫ電力オフセットは、ＭＩＭＯを構成したキャリアの数に依存する場合がある。Ｐｅ＿ｓｔｒとして示される、ストリーム単位ベースで、もしくはＰｅ＿ｃｗとして示される、符号語単位ベースで、またはＰｒ＿ＲＬＣとして示される、ＲＬＣ再伝送確率でＨＡＲＱ−ＡＣＫ電力オフセットを判断するための測定基準として、特定の誤警報目標に対する検出誤差および誤検出の確率（例えば、１％または１０％）を使用することが可能である。ＨＡＲＱ−ＡＣＫに関する電力オフセットを設計するときのＰｅ＿ｓｔｒ、Ｐｅ＿ｃｗ、およびＰｒ＿ＲＬＣに関する性能目標は、それぞれ、１％、１％、および０．０１％であってもよい。アクティブ化されたキャリアの数、およびＭＩＭＯを構成したキャリアの数など、異なる構成を考慮すると、符号ブックに関する性能目標を維持するために必要とされる最大電力オフセットは、シミュレーションによって取得可能であり、Ｓｅｃｏｎｄａｒｙ＿Ｃｅｌｌ＿Ａｃｔｉｖｅが３より大きい（すなわち、８Ｃ−ＨＳＤＰＡに関する）ときのＨＡＲＱ−ＡＣＫフィールド（すなわち、ＨＡＲＱ−ＡＣＫを搬送するＨＳ−ＤＰＣＣＨスロット）に関する様々な電力オフセット設定方式が下で開示される。
【０１７８】
６４の拡散係数が使用される概括的な事例の場合、ＨＡＲＱ−ＡＣＫ電力オフセット設定は表２５にあるように定義可能である。概して、より低い拡散係数を使用することによる拡散利得損失を補完するために、ＳＦ＝６４のほとんどすべての事例に関して、より高い電力オフセットが仮定される。下の表では、ΔＡＣＫ、ΔＮＡＣＫ、およびΔＣＱＩに関する値は上位層によって設定されて、定量化された振幅比ＡｈＳに変換される。
【０１７９】
【表２５】
2014506437.tif 000029
【０１８０】
あるいは、最大電力を必要とする最悪の事例を含めて、すべての考えられる事例に関してＨＡＲＱ−ＡＣＫ性能を保証するために、ＳＦ＝６４のＳｅｃｏｎｄａｒｙ＿Ｃｅｌｌ＿Ａｃｔｉｖｅ＞３のときの、すべての事例に関するＨＡＲＱ−ＡＣＫ電力オフセット設定は表２６にあるように定義可能である。
【０１８１】
【表２６】
2014506437.tif 000030
【０１８２】
ＳＦ＝１２８が使用されるとき、ＭＩＭＯを用いない６Ｃ／５Ｃの特殊事例の場合、干渉レベルを低減することができるように、ＨＡＲＱ−ＡＣＫ電力オフセットをあまり控え目でなく設定することが可能である。ＳＦ＝６４が使用される概括的な事例の場合の対応する構成と比較して、電力オフセットを１だけ削減することができる。例えば、ＭＩＭＯを用いず、Ｓｅｃｏｎｄａｒｙ＿Ｃｅｌｌ＿Ａｃｔｉｖｅ＝４または５、かつＳＦ＝１２８が使用されるときのＨＡＲＱ−ＡＣＫ電力オフセット設定は、表２７にあるように定義可能である。別の例の場合、ＭＩＭＯを用いず、Ｓｅｃｏｎｄａｒｙ＿Ｃｅｌｌ＿Ａｃｔｉｖｅ＝４または５、かつＳＦ＝１２８が使用されるときのＨＡＲＱ−ＡＣＫ電力オフセット設定は、表２８にあるように定義可能である。
【０１８３】
【表２７】
2014506437.tif 000031
【０１８４】
【表２８】
2014506437.tif 000032
【０１８５】
あるいは、ＭＩＭＯを用いない（ＳＦ＝１２８）６Ｃ／５Ｃ、およびＭＩＭＯを用いた（ＳＦ＝６４）６Ｃ／５Ｃの特殊事例を同様に扱うことが可能であり、ＭＩＭＯを用いない（ＳＦ＝１２８）、６Ｃ／５Ｃに関するＨＡＲＱ−ＡＣＫ電力オフセット設定は表２５または２６にあるように定義可能である。
【０１８６】
概括的な事例および特殊事例の両方に関する、表２５から表２８で提案された電力オフセットを様々な形態で組み合わされた表の形で一緒に指定することが可能である点に留意されたい。
【０１８７】
同様に、ＳＦ＝１２８が使用されるときの、ＭＩＭＯを用いない、８Ｃ／７Ｃ構成の特殊事例の場合、ＳＦ＝６４が使用される概括的な事例の場合の対応する構成と比較して、電力オフセットを１だけ削減することができる。あるいは、表２２における、４つのサービス提供セルに関する結合符号ブックの性能を明らかにするために、表２７および２８とは異なるＨＡＲＱ電力オフセット設定を定義することが可能である。
【０１８８】
８Ｃ−ＨＳＤＰＡでは、ＷＴＲＵで構成された／アクティブ化されたキャリアの数に基づいて、異なるＨＳ−ＤＰＣＣＨチャネルフォーマットが使用される。ＣＱＩ電力オフセットは、ＭＩＭＯを構成したキャリアの数に依存する場合がある。ＨＳ−ＤＰＣＣＨのＣＱＩ伝送が、４ミリ秒の最低フィードバックサイクル、および異なる処理利得を有する８Ｃ−ＨＳＤＰＡ内でキャリアごとベースである（すなわち、ＭＩＭＯを用いない、６Ｃ／５Ｃ構成または８Ｃ／７Ｃ構成の特殊事例に関してＳＦ＝１２８が使用され、８Ｃ−ＨＳＤＰＡ内の残りの構成に関してＳＦ＝６４が使用される）事例では、ＣＱＩを伝送しているＨＳ−ＤＰＣＣＨスロットに関するＨＳ−ＤＰＣＣＨ電力設定は、以下のように説明される。
【０１８９】
８Ｃ−ＨＳＤＰＡで、ＳＦ＝６４が使用されるとき、Ｓｅｃｏｎｄａｒｙ＿Ｃｅｌｌ＿Ａｃｔｉｖｅ＞３の場合、ＣＱＩ電力オフセット設定は、表２９にあるように定義可能である。
【０１９０】
【表２９】
2014506437.tif 000033
【０１９１】
あるいは、ＳＦ＝６４を起因とする処理利得の損失を控え目に補完するために、ＣＱＩ電力オフセット設定は、表３０にあるように定義可能である。
【０１９２】
【表３０】
2014506437.tif 000034
【０１９３】
ＳＦ＝１２８が使用されるときの、ＭＩＭＯを用いない６Ｃ／５Ｃの特殊事例の場合、６Ｃ／５Ｃに関するＣＱＩのレイアウトに応じて、ＷＴＲＵは、スロット内の単一のセルに関するＣＱＩ報告を送信することが可能であるか、またはセルのこの対が別の単一のセルと共にサブフレーム内にレイアウトされている場合、ＷＴＲＵは、セルの対に関する複合ＣＱＩ報告をサブフレーム内またはスロットで送信することが可能である。
【０１９４】
例えば、５Ｃの場合、サービス提供ＨＳ−ＤＳＣＨセル、ならびに第１の二次サービス提供ＨＳ−ＤＳＣＨセルおよび第２の二次サービス提供ＨＳ−ＤＳＣＨセルに関するＣＱＩを１つのサブフレームで報告することが可能である（例えば、これらの３つのセルのうちの２つを結合符号化することが可能であり、これらの２つのセルに関する複合ＣＱＩ報告はサブフレームの１つのスロット内に入れられ、第３の単一のセルに関するＣＱＩはサブフレームの別のスロット内に入れられる）。第３の二次サービス提供ＨＳ−ＤＳＣＨセルおよび第４の二次サービス提供ＨＳ−ＤＳＣＨセルを結合符号化することが可能であり、これらの２つのセルに関する複合ＣＱＩ報告を別のサブフレーム（例えば、４ミリ秒の最小ＣＱＩフィードバックサイクルが必要とされる場合は、次のサブフレーム）内に入れることが可能である。
【０１９５】
別の例の場合、６Ｃの場合、ＣＱＩの２つのセットをそれぞれ２つの連続的なサブフレームに割り振り、４ミリ秒の最小フィードバックサイクルを維持することができる。ＣＱＩのそれぞれのセットは３つのセルに対応することが可能である。１つのサブフレームで、３つのセルのうち２つが結合符号化可能であり、複合ＣＱＩ報告がそのサブフレームの１つのスロット内に割り振られ、第３のセルがそのサブフレームの別のスロット内に割り振られることが可能である。
【０１９６】
ＭＩＭＯを用いず、Ｓｅｃｏｎｄａｒｙ＿Ｃｅｌｌ＿Ａｃｔｉｖｅ＝４または５、かつＳＦ＝１２８のときのＣＱＩ電力オフセット設定は、表３１にあるように定義可能である。あるいは、ＭＩＭＯを用いず、Ｓｅｃｏｎｄａｒｙ＿Ｃｅｌｌ＿Ａｃｔｉｖｅ＝４または５、かつＳＦ＝１２８のときのＣＱＩ電力オフセット設定は、表３２にあるように定義可能である。表２９または表３０で、Ｓｅｃｏｎｄａｒｙ＿Ｃｅｌｌ＿Ａｃｔｉｖｅ＝４および／または５のとき、いずれかの例を使用して、行を置換することが可能である。
【０１９７】
【表３１】
2014506437.tif 000035
【０１９８】
【表３２】
2014506437.tif 000036
【０１９９】
あるいは、説明を簡単にするために、ＭＩＭＯを用いない（ＳＦ＝１２８）６Ｃ／５Ｃ構成、およびＭＩＭＯが構成された（ＳＦ＝６４）６Ｃ／５Ｃ構成の特殊事例を同様に扱うことが可能であり、ＭＩＭＯを用いない（ＳＦ＝１２８）６Ｃ／５Ｃの場合のＣＱＩ電力オフセット設定は、表２９または表３０にあるように定義可能である。
【０２００】
ＳＦ＝１２８の２つのＨＳ−ＤＰＣＣＨが使用されるとき、ＨＳ−ＤＰＣＣＨ１およびＨＳ−ＤＰＣＣＨ２は両方とも、上位層から信号送信されたΔＡＣＫ、ΔＮＡＣＫ、およびΔＣＱＩの同じセットを使用することが可能である。しかし、ＷＴＲＵは、ＨＳ−ＤＰＣＣＨ１上およびＨＳ−ＤＰＣＣＨ２においてそれぞれマッピングされたアクティブなセルの数に基づいて、それぞれのＨＳ−ＤＰＣＣＨスロットに関する電力オフセット設定を独自に選択することができ、これは、結果として、２つのＨＳ−ＤＰＣＣＨに関して同じ電力オフセット設定または異なる電力オフセット設定をもたらす可能性がある。あるいは、２つのＨＳ−ＤＰＣＣＨは異なる電力オフセット設定を使用することが可能である。例えば、ＨＳ−ＤＰＣＣＨ２に関する電力オフセットは、ＨＳ−ＤＰＣＣＨ１に関する電力オフセットと共に、差分値Δｈｓ＿２１（ｄＢ）を用いて定義可能であり、この場合、Δｈｓ＿２１（ｄＢ）は、ＨＳ−ＤＰＣＣＨ１に対する、ＨＳ−ＤＰＣＣＨ２に関する電力オフセット差分値を示す。Δｈｓ＿２１は、ＨＡＲＱ−ＡＣＫフィールドおよびＰＣＩ／ＣＱＩフィールドに関して、同じ値または異なる値で定義されてもよい。Δｈｓ＿２１は、１つのＨＳ−ＤＰＣＣＨサブフレーム（ＴＴＩ）内の異なるスロットに関して、同じ値であっても、または異なる値であってもよい。Δｈｓ＿２１は、事前定義された値であっても、または上位層から信号送信されてもよい。
【０２０１】
対応するＨＳ−ＤＰＣＣＨ（すなわち、ＨＳ−ＤＰＣＣＨ１またはＨＳ−ＤＰＣＣＨ２）において個々にマッピングされたアクティブなセルの数、およびＭＩＭＯ構成状態に基づいて、それぞれのＨＳ−ＤＰＣＣＨに関する電力オフセットを判断することができる。例えば、２つの新しい項目、すなわち、それぞれ、ＨＳ−ＤＰＣＣＨ１内およびＨＳ−ＤＰＣＣＨ２内のアクティブ化された二次サービス提供ＨＳ−ＤＳＣＨセルの数として定義されるＳｅｃｏｎｄａｒｙ＿Ｃｅｌｌ＿Ａｃｔｉｖｅ＿１およびＳｅｃｏｎｄａｒｙ＿Ｃｅｌｌ＿Ａｃｔｉｖｅ＿２を導入することによって、４Ｃ−ＨＳＤＰＡに関する電力オフセット設定を８Ｃ−ＨＳＤＰＡで再度使用することが可能である。サービス提供ＨＳ−ＤＳＣＨセルが、非アクティブ化することができないＨＳ−ＤＰＣＣＨ１にマッピングされると仮定すると、Ｓｅｃｏｎｄａｒｙ＿Ｃｅｌｌ＿Ａｃｔｉｖｅ＝（Ｓｅｃｏｎｄａｒｙ＿Ｃｅｌｌ＿Ａｃｔｉｖｅ＿１＋Ｓｅｃｏｎｄａｒｙ＿Ｃｅｌｌ＿Ａｃｔｉｖｅ＿２）、ならびにＳｅｃｏｎｄａｒｙ＿Ｃｅｌｌ＿ＡｃｔｉｖｅをＨＳ−ＤＰＣＣＨ１に関してＳｅｃｏｎｄａｒｙ＿Ｃｅｌｌ＿Ａｃｔｉｖｅ＿１と置換することが可能であり、Ｓｅｃｏｎｄａｒｙ＿Ｃｅｌｌ＿ＡｃｔｉｖｅをＨＳ−ＤＰＣＣＨ２に関して（Ｓｅｃｏｎｄａｒｙ＿Ｃｅｌｌ＿Ａｃｔｉｖｅ＿２−１）と置換することが可能である。表３３および表３４は、それぞれ、（ＤＴＸされない場合）ＨＳ−ＤＰＣＣＨ１およびＨＳ−ＤＰＣＣＨ２に関するＣＱＩ電力オフセット設定のある例を示す。（ＤＴＸされない場合）ＨＳ−ＤＰＣＣＨ１およびＨＳ−ＤＰＣＣＨ２に関するＨＡＲＱ−ＡＣＫ電力オフセットを同様に取得することが可能である。
【０２０２】
【表３３】
2014506437.tif 000037
【０２０３】
【表３４】
2014506437.tif 000038
【０２０４】
誤警報の発生を削減し、それにより、ＡＣＫ／ＮＡＣＫ検出信頼性を改善するために、ＰＲＥ／ＰＯＳＴ符号語がＨＡＲＱ−ＡＣＫ符号ブック内に導入される。ネットワークによってＨＡＲＱ＿ｐｒｅａｍｂｌｅ＿ｍｏｄｅ＝１を用いてこの特徴が動作可能にされるとき、Ｎｏｄｅ  Ｂは、ＰＲＥの後、かつＰＯＳＴの前に、それらのサブフレームに関するＤＴＸ（すなわち、何の信号の伝送もない）からのＡＣＫ／ＮＡＣＫを区別する必要がない。誤警報設定によって直接的に影響を受ける、見逃された検出の確率はＡＣＫ／ＮＡＣＫ復号誤りの主要源であるため、ＰＲＥ／ＰＯＳＴの使用は、ＡＣＫ／ＮＡＣＫ検出性能をかなり改善することになる。
【０２０５】
ＳＦ＝６４の１つのＨＳ−ＤＰＣＣＨ（すなわち、ＨＳ−ＤＰＣＣＨスロットフォーマット２）が８Ｃ−ＨＳＤＰＡで使用される場合、ＨＳ−ＤＰＣＣＨサブフレーム内の１つのＨＡＲＱ−ＡＣＫスロット内に、図１０に示すような４つのＨＡＲＱ−ＡＣＫメッセージが導入される。加えて、非フルスロット伝送を回避するために、ＤＴＸ符号語（ＤＣＷ）が符号ブック内に含まれる。この仮定の下で、ＤＴＸがすべての４つのＨＡＲＱ−ＡＣＫメッセージに関して報告される場合、真のＤＴＸ（すなわち、ＨＡＲＱ−ＡＣＫスロットで信号を送信しないこと）が発生する。
【０２０６】
Ｎ＿ａｃｋｎａｃｋ＿ｔｒａｎｓｍｉｔは、ＡＣＫ／ＮＡＣＫの反復係数である。Ｎ＿ｃｑｉ＿ｔｒａｎｓｍｉｔは、ＣＱＩの反復係数である。ＨＡＲＱ＿ｐｒｅａｍｂｌｅ＿ｍｏｄｅは、プリアンブル／ポストアンブル伝送の状態を示す。Ｉｎｔｅｒ−ＴＴＩは、１つのＨＳ−ＰＤＳＣＨ伝送の始まりから次のＨＳ−ＰＤＳＣＨ伝送までの時間を定義する設定された期間数である。
【０２０７】
ＨＡＲＱ＿ｐｒｅａｍｂｌｅ＿ｍｏｄｅ＝１であり、ＨＳ−ＳＣＣＨにおいて受信された情報が廃棄されない場合、ＨＳ−ＰＤＳＣＨ上のサブフレームｎよりも早期のＨＳ−ＤＳＣＨ伝送の結果として、ＡＣＫ、もしくはＮＡＣＫ、またはＡＣＫおよびＮＡＣＫの任意の組合せがサブフレームｎ−１で送信されることにならない限り、ＷＴＲＵは、ＨＳ−ＤＰＣＣＨサブフレームｎ−１でＨＡＲＱ−ＡＣＫに割り振られたスロットで、ＨＡＲＱプリアンブル（すなわち、ＨＳ−ＤＰＣＣＨスロットフォーマット０に関してＰＲＥ、ＨＳ−ＤＰＣＣＨスロットフォーマット１に関してＰＲＥ／ＰＲＥ、ＨＳ−ＤＰＣＣＨスロットフォーマット２に関してＰＲＥ／ＰＲＥ／ＰＲＥ／ＰＲＥ）を送信する。Ｎ＿ａｃｋｎａｃｋ＿ｔｒａｎｓｍｉｔ＞１の場合、ＨＳ−ＰＤＳＣＨ上のサブフレームｎよりも早期のＨＳ−ＤＳＣＨ伝送の結果として、ＡＣＫ、もしくはＮＡＣＫ、またはＡＣＫおよびＮＡＣＫの任意の組合せがサブフレームｎ−２で送信されることにならない限り、ＷＴＲＵは、ＨＳ−ＤＰＣＣＨサブフレームｎ−２内のＨＡＲＱ−ＡＣＫに割り振られたスロットでＨＡＲＱプリアンブルを送信することができる。
【０２０８】
ＷＴＲＵは、対応するＨＳ−ＤＰＣＣＨサブフレームでＨＡＲＱ−ＡＣＫに割り振られたスロットで、ＭＡＣ−ｈｓまたはＭＡＣ−ｅｈｓから受信されたＡＣＫ／ＮＡＣＫ情報を送信することができる。Ｎ＿ａｃｋｎａｃｋ＿ｔｒａｎｓｍｉｔが１より大きいとき、ＷＴＲＵは、ＨＡＲＱ−ＡＣＫに割り振られたスロットで、次の（Ｎ＿ａｃｋｎａｃｋ＿ｔｒａｎｓｍｉｔ−１）連続ＨＳ−ＤＰＣＣＨサブフレームにおいてＡＣＫ／ＮＡＣＫ情報の伝送を繰り返すことが可能であり、その中でＡＣＫ／ＮＡＣＫ情報伝送が繰り返されるＨＳ−ＤＰＣＣＨサブフレームに対応するＨＳ−ＳＣＣＨサブフレームでいずれかのＨＳ−ＳＣＣＨを受信することも、またはその中でＡＣＫ／ＮＡＣＫ情報伝送が繰り返されるＨＳ−ＤＰＣＣＨサブフレームに対応するＨＳ−ＤＳＣＨサブフレーム内のＨＳ−ＰＤＳＣＨからのトランスポートブロックを受信または復号することも試みなくてもよい。
【０２０９】
ＡＣＫ、もしくはＮＡＣＫ、またはＡＣＫおよびＮＡＣＫの任意の組合せがＨＳ−ＤＰＣＣＨサブフレームｎで送信され、ＨＡＲＱ＿ｐｒｅａｍｂｌｅ＿ｍｏｄｅ＝１、かつＷＴＲＵ  ＩｎｔｅｒＴＴＩ≦Ｎ＿ａｃｋｎａｃｋ＿ｔｒａｎｓｍｉｔの場合、ＡＣＫもしくはＮＡＣＫ、またはＰＲＥもしくはＰＲＥ／ＰＲＥもしくはＰＲＥ／ＰＲＥ／ＰＲＥ／ＰＲＥ、またはＡＣＫおよびＮＡＣＫの任意の組合せがこのサブフレームで送信されることにならない限り、ＷＴＲＵは、ＨＳ−ＤＰＣＣＨサブフレームｎ＋２＊Ｎ＿ａｃｋｎａｃｋ＿ｔｒａｎｓｍｉｔ−１でＨＡＲＱ−ＡＣＫに割り振られたスロットで、ＨＡＲＱポストアンブル（すなわち、ＨＳ−ＤＰＣＣＨスロットフォーマット０に関してＰＯＳＴ、ＨＳ−ＤＰＣＣＨスロットフォーマット１に関してＰＯＳＴ／ＰＯＳＴ、およびＨＳ−ＤＰＣＣＨスロットフォーマット２に関してＰＯＳＴ／ＰＯＳＴ／ＰＯＳＴ／ＰＯＳＴ）を送信することができる。Ｎ＿ａｃｋｎａｃｋ＿ｔｒａｎｓｍｉｔ＞１の場合、ＡＣＫもしくはＮＡＣＫ、またはＰＲＥもしくはＰＲＥ／ＰＲＥもしくはＰＲＥ／ＰＲＥ／ＰＲＥ／ＰＲＥ、またはＡＣＫおよびＮＡＣＫの任意の組合せがこのサブフレームで送信されることにならない限り、ＨＳ−ＤＰＣＣＨサブフレームｎ＋２＊Ｎ＿ａｃｋｎａｃｋ＿ｔｒａｎｓｍｉｔ−２でＨＡＲＱ−ＡＣＫに割り振られたスロットでＨＡＲＱポストアンブル（ＰＯＳＴ）を送信する。
【０２１０】
ＰＲＥ／ＰＯＳＴを送信する際に上で指定された規則は、ＰＲＥ／ＰＯＳＴがサブフレームですべてのＡＣＫ／ＮＡＣＫメッセージに関して送信されることを必要とする。あるいは、４つのメッセージのうちの１つまたは一部はＰＲＥ／ＰＯＳＴ符号語であってもよく、それらの残りは、代わりに、ＤＴＸ符号語であってもよい。
【０２１１】
８Ｃ−ＨＳＤＰＡ内の２つのＳＦ＝１２８のＨＳ−ＤＰＣＣＨの場合、ＰＲＥ／ＰＯＳＴをチャネルごとベースで２つのＨＳ−ＤＰＣＣＨのそれぞれにおいて独立して送信することが可能である。ＨＡＲＱ＿ｐｒｅａｍｂｌｅ＿ｍｏｄｅ＝１、かつＨＳ−ＳＣＣＨにおいて受信された情報が廃棄されない場合、ＨＳ−ＰＤＳＣＨ上のサブフレームｎよりも早期のＨＳ−ＤＳＣＨ伝送の結果として、ＡＣＫもしくはＮＡＣＫ、またはＡＣＫおよびＮＡＣＫの任意の組合せがサブフレームｎ−１で送信されることにならない限り、ＷＴＲＵは、ＨＳ−ＤＰＣＣＨｉサブフレームｎ−１でＨＡＲＱ−ＡＣＫに割り振られたスロットでＨＡＲＱプリアンブル（すなわち、ＨＳ−ＤＰＣＣＨスロットフォーマット０に関してＰＲＥ、およびＨＳ−ＤＰＣＣＨスロットフォーマット１に関してＰＲＥ／ＰＲＥ）を送信することができる。Ｎ＿ａｃｋｎａｃｋ＿ｔｒａｎｓｍｉｔ＞１の場合、ＨＳ−ＰＤＳＣＨ上のサブフレームｎよりも早期のＨＳ−ＤＳＣＨ伝送の結果として、ＡＣＫもしくはＮＡＣＫ、またはＡＣＫおよびＮＡＣＫの任意の組合せがサブフレームｎ−２で送信されることにならない限り、ＷＴＲＵは、ＨＳ−ＤＰＣＣＨｉサブフレームｎ−２でＨＡＲＱ−ＡＣＫに割り振られたスロットでＨＡＲＱプリアンブルを送信することができる。
【０２１２】
ＷＴＲＵは、対応するＨＳ−ＤＰＣＣＨｉサブフレームでＨＡＲＱ−ＡＣＫに割り振られたスロットでＭＡＣ−ｈｓまたはＭＡＣ−ｅｈｓから受信されたＡＣＫ／ＮＡＣＫ情報を送信することが可能である。Ｎ＿ａｃｋｎａｃｋ＿ｔｒａｎｓｍｉｔが１よりも大きいとき、ＷＴＲＵは、ＨＡＲＱ−ＡＣＫに割り振られたスロットで次の（Ｎ＿ａｃｋｎａｃｋ＿ｔｒａｎｓｍｉｔ−１）連続ＨＳ−ＤＰＣＣＨｉサブフレームにおいてＡＣＫ／ＮＡＣＫ情報の伝送を繰り返すことが可能であり、その中でＡＣＫ／ＮＡＣＫ情報伝送が繰り返されるＨＳ−ＤＰＣＣＨｉサブフレームに対応するＨＳ−ＳＣＣＨサブフレームで任意のＨＳ−ＳＣＣＨを受信することも、またはその中でＡＣＫ／ＮＡＣＫ情報伝送が繰り返されるＨＳ−ＤＰＣＣＨｉサブフレームに対応するＨＳ−ＤＳＣＨサブフレームでＨＳ−ＰＤＳＣＨからのトランスポートブロックを受信もしくは復号することも試みなくてもよい。
【０２１３】
ＡＣＫもしくはＮＡＣＫ、またはＡＣＫおよびＮＡＣＫの任意の組合せがＨＳ−ＤＰＣＣＨｉサブフレームｎで送信され、ＨＡＲＱ＿ｐｒｅａｍｂｌｅ＿ｍｏｄｅ＝１、かつＷＴＲＵ  ＩｎｔｅｒＴＴＩ≦Ｎ＿ａｃｋｎａｃｋ＿ｔｒａｎｓｍｉｔの場合、ＡＣＫもしくはＮＡＣＫ、またはＰＲＥもしくはＰＲＥ／ＰＲＥ、またはＡＣＫおよびＮＡＣＫの任意の組合せがこのサブフレームで送信されることにならない限り、ＷＴＲＵは、ＨＳ−ＤＰＣＣＨｉサブフレームｎ＋２＊Ｎ＿ａｃｋｎａｃｋ＿ｔｒａｎｓｍｉｔ−１でＨＡＲＱ−ＡＣＫに割り振られたスロットでＨＡＲＱポストアンブル（すなわち、ＨＳ−ＤＰＣＣＨスロットフォーマット０に関してＰＯＳＴ、およびＨＳ−ＤＰＣＣＨスロットフォーマット１に関してＰＯＳＴ／ＰＯＳＴ）を送信することができる。Ｎ＿ａｃｋｎａｃｋ＿ｔｒａｎｓｍｉｔ＞１の場合、ＡＣＫもしくはＮＡＣＫ、またはＰＲＥもしくはＰＲＥ／ＰＲＥ、またはＡＣＫおよびＮＡＣＫの任意の組合せがこのサブフレームで送信されることにならない限り、ＷＴＲＵは、ＨＳ−ＤＰＣＣＨｉサブフレームｎ＋２＊Ｎ＿ａｃｋｎａｃｋ＿ｔｒａｎｓｍｉｔ−２でＨＡＲＱ−ＡＣＫに割り振られたスロットでＨＡＲＱポストアンブル（ＰＯＳＴ）を送信することができる。ＨＡＲＱ−ＡＣＫメッセージが上で記述されたように送信されることにならない限り、対応するＨＳ−ＤＰＣＣＨサブフレームでＨＡＲＱ−ＡＣＫに割り振られたスロット内のＨＳ−ＤＰＣＣＨｉにおいてＤＴＸを使用することが可能である。
【０２１４】
あるいは、それら両方のＨＳ−ＤＰＣＣＨが上で記述された独立したＰＲＥ／ＰＯＳＴ伝送として、単一のＨＳ−ＤＰＣＣＨに関して定義された要件を満たす場合、ＨＡＲＱプリアンブルおよびＨＡＲＱポストアンブルを２つのＨＳ−ＤＰＣＣＨにおいて同時に送信することが可能である。８Ｃ−ＨＳＤＰＡで使用される２×ＳＦ１２８のＨＳ−ＤＰＣＣＨのある例として、２つのＨＳ−ＤＰＣＣＨがアクティブな場合、伝送に先立って、ＨＡＲＱプリアンブル（すなわち、ＨＳ−ＤＰＣＣＨスロットフォーマット１に関してＰＲＥ／ＰＲＥ、ＳＦ＝１２８）を両方のＨＳ−ＤＰＣＣＨ（すなわち、ＨＳ−ＤＰＣＣＨ１およびＨＳ−ＤＰＣＣＨ２のそれぞれ）において送信することが可能であり、上で記述された伝送の後に、ＨＡＲＱポストアンブル（すなわち、ＨＳ−ＤＰＣＣＨスロットフォーマット１に関してＰＯＳＴ／ＰＯＳＴ、ＳＦ＝１２８）を両方のＨＳ−ＤＰＣＣＨ（すなわち、ＨＳ−ＤＰＣＣＨ１およびＨＳ−ＤＰＣＣＨ２のそれぞれ）において送信することが可能である。それらのＨＳ−ＤＰＣＣＨのいずれかにおいて、上で記述されたように、ＨＡＲＱ−ＡＣＫメッセージが送信されることにならない限り、対応するＨＳ−ＤＰＣＣＨサブフレームのそれぞれの中でＨＡＲＱ−ＡＣＫに割り振られたスロットでＨＳ−ＤＰＣＣＨ１上およびＨＳ−ＤＰＣＣＨ２においてＤＴＸを使用することが可能である。ＨＡＲＱ−ＡＣＫメッセージがアクティブなＨＳ−ＤＰＣＣＨのうちの１つだけにおいて送信されることになる場合、対応するＨＳ−ＤＰＣＣＨサブフレーム内の他のＨＳ−ＤＰＣＣＨ上のＨＡＲＱ−ＡＣＫフィールドでＤＴＸ符号語を繰り返すことができる。
【０２１５】
マルチキャリアＨＳＤＰＡに関して圧縮されたモード（以下、圧縮モード）ギャップで報告するための実施形態が以下で記述される。
【０２１６】
関連する個別物理チャネル（ＤＰＣＨ）またはフラクショナル個別物理チャネル（ｆｒａｃｔｉｏｎａｌ  ｄｅｄｉｃａｔｅｄ  ｐｈｙｓｉｃａｌ  ｃｈａｎｎｅｌ）（Ｆ−ＤＰＣＨ）における圧縮モード（ＣＭ）の間、ＨＳ−ＳＣＣＨの一部または対応するＨＳ−ＰＤＳＣＨの一部が、関連するＤＰＣＨもしくはＦ−ＤＰＣＨにおいてダウンリンク伝送ギャップと重複する場合、ＷＴＲＵはＨＳ−ＳＣＣＨ伝送またはＨＳ−ＰＤＳＣＨ伝送を無視することができる。この場合、対応するダウンリンク伝送に応答するために、ＷＴＲＵによってＡＣＫまたはＮＡＣＫのいずれも送信することができない。ＨＡＲＱ−ＡＣＫに割り振られたＨＳ−ＤＰＣＣＨスロットの一部が関連するＤＰＣＨ上のアップリンク伝送ギャップと重複する場合、ＷＴＲＵは、そのＨＳ−ＤＰＣＣＨスロット内のＨＳ−ＤＰＣＣＨにおいてＤＴＸを使用することができる。ＨＳ−ＤＰＣＣＨサブフレームで、ＣＱＩ情報に関して割り振られたスロットの一部が関連するＤＰＣＨにおいてアップリンク伝送ギャップと重複する場合、ＷＴＲＵは、そのＣＱＩ情報または複合ＰＣＩ／ＣＱＩ情報を（ＨＳ−ＤＰＣＣＨスロットフォーマット０が使用される場合）そのサブフレームで、または（ＨＳ−ＤＰＣＣＨスロットフォーマット１が使用される場合）そのスロットで送信することができない。ＣＱＩ報告または複合ＰＣＩ／ＣＱＩ報告が現在のＣＱＩフィールドでスケジュールされており、対応する３スロット基準期間が全部または一部ダウンリンク伝送ギャップと重複する場合、ＷＴＲＵは、現在のＣＱＩフィールド内、および次の（Ｎ＿ｃｑｉ＿ｔｒａｎｓｍｉｔ−１）サブフレームにおけるＣＱＩフィールド内のＤＴＸを使用することができる。
【０２１７】
２つのＳＦ＝１２８のＨＳ−ＤＰＣＣＨが８Ｃ−ＨＳＤＰＡで使用される場合、２つのＨＳ−ＤＰＣＣＨが同時に送信され、タイミング調整されるとき、上記の規則をこれらの２つのＨＳ−ＤＰＣＣＨのそれぞれまたは両方に適用することが可能である。アクティブ化／非アクティブ化時に１つのＨＳ−ＤＰＣＣＨが送信される場合、上記の規則をその送信されたＨＳ−ＤＰＣＣＨに適用することが可能である。
【０２１８】
ＷＴＲＵが２つの異なる帯域内で同時受信することができる２つの受信機を有することを特徴とするデュアルバンドデュアルキャリア（ｄｕａｌ  ｂａｎｄ  ｄｕａｌ  ｃａｒｒｉｅｒ）（ＤＢ−ＤＣ）ＨＳＤＰＡを導入する場合、ＤＢ−ＤＣのＨＳＤＰＡシステム、４Ｃ−ＨＳＤＰＡシステム、８Ｃ−ＨＳＤＰＡシステム、および／またはより多い数のキャリアのＨＳＤＰＡシステムを含めて、マルチキャリアＨＳＤＰＡシステム内のＤＬキャリアを２つの帯域内で構成することが可能である。構成されたキャリア／帯域のサブセットは圧縮モードにされてもよく、または構成されたキャリア／帯域のいずれも圧縮モードにされなくてもよく、これにより、周波数帯域特定の圧縮モード（ＣＭ）が構成されるとき、他のキャリア／帯域において中断されないデータ伝送を可能にする。上記の規則は、帯域ごとベースではなく、ＷＴＲＵごとベースである、圧縮モードに関して定義される。周波数帯域特定のＣＭを導入するとき、以下のように、対処すべきいくつかの課題が存在する。
【０２１９】
周波数帯域に特有のＣＭに関する第１の課題は、関連するＤＰＣＨまたはＦ−ＤＰＣＨにおける周波数帯域に特有のＣＭの間、ＷＴＲＵがＨＳ−ＳＣＣＨおよびＨＳ−ＰＤＳＣＨの受信をどのように処理するかである。
【０２２０】
一実施形態では、ＷＴＲＵは、関連するＤＰＣＨまたはＦ−ＤＰＣＨにおける周波数帯域に特有のＣＭの間、帯域ごとベースでＨＳ−ＳＣＣＨおよびＨＳ−ＰＤＳＣＨの受信を処理することができる。関連するＤＰＣＨまたはＦ−ＤＰＣＨにおいて周波数帯域に特有のＣＭで構成された（１つまたは複数の）帯域では、ＨＳ−ＳＣＣＨの一部、または対応するＨＳ−ＰＤＳＣＨの一部が関連するＤＰＣＨまたはＦ−ＤＰＣＨにおけるダウンリンク伝送ギャップと重複する場合、ＷＴＲＵはそれらの（１つもしくは複数の）帯域内のすべてのキャリアにおけるＨＳ−ＳＣＣＨ伝送またはＨＳ−ＰＤＳＣＨ伝送を無視することができる。この場合、対応するダウンリンク伝送に応答して、ＡＣＫも、ＮＡＣＫもＷＴＲＵによって送信されなくてもよい。関係するＨＡＲＱ−ＡＣＫフィールドが他の周波数帯域に属するダウンリンク伝送のうちのいずれかのフィールドと結合符号化される場合、ＷＴＲＵは、ＤＴＸ符号語を用いて、対応するダウンリンク伝送に応答することができる。そうでない場合、ＷＴＲＵは送信しなくてもよい（真のＤＴＸ）。あるいは、ＷＴＲＵは、その帯域内の対応するセルが非アクティブ化されるかのように、ＡＣＫ−ＮＡＣＫ符号ブック内の符号語を使用することが可能である。この実施形態は、単一の帯域が構成される場合、または４Ｃ−ＨＳＤＰＡが構成される場合に適用することも可能である。
【０２２１】
関連するＤＰＣＨまたはＦ−ＤＰＣＨにおいて周波数帯域に特有のＣＭで構成されていない（１つまたは複数の）帯域では、ＨＳ−ＳＣＣＨの一部または対応するＨＳ−ＰＤＳＣＨの一部が関連するＤＰＣＨまたはＦ−ＤＰＣＨにおけるダウンリンク伝送ギャップと重複する場合、ＷＴＲＵは、ＣＭなしに通常のように動作することができる（すなわち、ＷＴＲＵは、その（１つまたは複数の）帯域内の任意のキャリアにおいてＨＳ−ＳＣＣＨ伝送またはＨＳ−ＰＤＳＣＨ伝送を受信することができる）。この場合、対応するダウンリンク伝送に応答するために、ＷＴＲＵによって、ＡＣＫ、もしくはＮＡＣＫ、またはＤＴＸ符号語が送信されても、あるいは何の信号も送信されなくてもよい（真のＤＴＸ）。
【０２２２】
別の実施形態では、周波数帯域にかかわらず、ＨＳ−ＳＣＣＨの一部、または対応するＨＳ−ＰＤＳＣＨの一部が関連するＤＰＣＨもしくはＦ−ＤＰＣＨにおけるダウンリンク伝送ギャップと重複する場合、ＷＴＲＵはすべての構成された帯域のいずれかのキャリアにおけるＨＳ−ＳＣＣＨ伝送またはＨＳ−ＰＤＳＣＨ伝送を無視することができる。この場合、対応するダウンリンク伝送に応答するために、ＡＣＫもＮＡＣＫも、ＷＴＲＵによって送信されなくてもよい。すべてのダウンリンク伝送に応答して、ＷＴＲＵによって、真のＤＴＸを実行することが可能である。
【０２２３】
周波数帯域に特有のＣＭに関する第２の課題は、関連するＤＰＣＨまたはＦ−ＤＰＣＨにおける周波数帯域に特有のＣＭの間、ＷＴＲＵがＣＱＩまたはＰＣＩ／ＣＱＩをどのように報告するかである。
【０２２４】
一実施形態では、いずれかのキャリアがＣＭであるとき、任意の構成された周波数帯域内のＨＳＰＤＡセルのうちのいずれかに関するＣＱＩ報告は可能にされなくてもよい。詳細には、これは、従来のＣＭ規則に単に従い、ＣＱＩ報告をＤＴＸすることが可能である。ＣＱＩ報告または複合ＰＣＩ／ＣＱＩ報告が現在のＣＱＩフィールド内でスケジュールされ、かつ対応する３スロット基準期間が全部または一部ダウンリンク伝送ギャップと重複する場合、ＷＴＲＵは、その周波数帯域が周波数帯域に特有のＣＭで構成されているか、構成されていないかにかかわらず、現在のＣＱＩフィールド内、およびすべてのＨＳＤＰＡセルに関する次の（Ｎ＿ｃｑｉ＿ｔｒａｎｓｍｉｔ−１）サブフレームにおけるＣＱＩフィールド内のＤＴＸを使用することが可能である。
【０２２５】
別の実施形態では、すべての構成された周波数帯域内のＨＳＤＰＡセルに関するＣＱＩ報告が可能にされ得る。構成されたキャリア／帯域のサブセットをＣＭギャップに導入しても、または構成されたキャリア／帯域のいずれもＣＭギャップに導入しなくてもよく、かつ一次キャリアがＣＭギャップ内にないとき、これを適用することが可能である。例えば、ＣＭギャップを用いて１つまたは複数の二次キャリアが構成され、一次キャリア（または、ＨＳ−ＤＰＣＣＨが二次ＵＬキャリアにおいて搬送される場合、その二次ＵＬキャリアに関連する二次キャリア）がＣＭギャップを有しないとき、これが発生する。この実施形態は、結合符号化されたＣＱＩ事例に関して実行することも可能である。
【０２２６】
ＣＱＩ報告または複合ＰＣＩ／ＣＱＩ報告が現在のＣＱＩフィールド内でスケジュールされて、かつ対応する３スロット基準期間が全部または一部ダウンリンク伝送ギャップと重複する場合、ＷＴＲＵは、下で開示される第３の課題に関して定義されるように、ＣＱＩまたはＰＣＩ／ＣＱＩを現在のＣＱＩフィールド内、および次の（Ｎ＿ｃｑｉ＿ｔｒａｎｓｍｉｔ−１）サブフレームにおけるＣＱＩフィールド内で報告することができる。
【０２２７】
あるいは、周波数帯域に特有のＣＭで構成されていない帯域内のＨＳＤＰＡセルに関するＣＱＩ報告は可能にすることも、または周波数帯域に特有のＣＭで構成された帯域内のＨＳＤＰＡセルに関するＣＱＩ報告は可能にしなくてもよい。これは、ＭＣ−ＨＳＤＰＡの時間多重ＣＱＩ事例に関して実現可能である。関連するＤＰＣＨ上またはＦ−ＤＰＣＨにおいて周波数帯域に特有のＣＭで構成された（１つまたは複数の）帯域では、ＣＱＩ報告または複合ＰＣＩ／ＣＱＩ報告が現在のＣＱＩフィールド内でスケジュールされ、かつ対応する３スロット基準期間が全部または一部ダウンリンク伝送ギャップと重複する場合、ＷＴＲＵは現在のＣＱＩフィールド内、および次の（Ｎ＿ｃｑｉ＿ｔｒａｎｓｍｉｔ−１）サブフレームにおけるＣＱＩフィールド内のＤＴＸを使用することができる。周波数帯域に特有のＣＭで構成されていない（１つまたは複数の）帯域では、ＣＱＩ報告または複合ＰＣＩ／ＣＱＩ報告が現在のＣＱＩフィールド内でスケジュールされ、かつ対応する３スロット基準期間が全部または一部ダウンリンク伝送ギャップと重複する場合、ＷＴＲＵは、下で開示される第３の課題に関して定義されるように、ＣＱＩまたはＰＣＩ／ＣＱＩを現在のＣＱＩフィールド内および次の（Ｎ＿ｃｑｉ＿ｔｒａｎｓｍｉｔ−１）サブフレームにおけるＣＱＩフィールド内で報告することができる。
【０２２８】
周波数帯域に特有のＣＭに関する第３の課題は、関連するＤＰＣＨ上またはＦ−ＤＰＣＨにおける周波数帯域に特有のＣＭの間に何のＣＱＩまたはＰＣＩ／ＣＱＩを報告する必要があるかである。周波数帯域に特有のＣＭでない（１つまたは複数の）帯域では、ＣＱＩまたはＰＣＩ／ＣＱＩのレガシー定義を再使用することが可能である。
【０２２９】
構成された周波数帯域に特有のＣＭに関してギャップを経験する帯域では、有効なＰＣＩ／ＣＱＩが存在しない場合、対応する３スロット基準期間が全部または一部ダウンリンク伝送ギャップと重複する前に、先の（例えば、最後の）有効なＰＣＩ／ＣＱＩを繰り返すことが可能である。
【０２３０】
あるいは、ＣＭギャップに対応する、報告すべき有効なＣＱＩまたはＰＣＩ／ＣＱＩが存在しないとき、特殊なＣＱＩまたはＰＣＩ／ＣＱＩ符号語（もしくは、値）を報告することが可能である。この特殊なＣＱＩ符号語は、以下のうちの１つまたはそれらの任意の組合せであってもよい。すなわち、新しいＣＱＩのＤＴＸ符号語、ＣＱＩ値の通常範囲に対する「範囲外」ＣＱＩ値（例えば、ＭＩＭＯが構成されない事例、もしくはＭＩＭＯが構成され、かつ単一のストリーム制限が構成されている事例に関して、ＣＱＩ値＝０もしくはＣＱＩ値＝３１、またはＭＩＭＯが構成され、かつ単一のストリーム制限が構成されていない事例に関して、ＣＱＩ値＝１５）、報告すべき有効なＣＱＩまたは、ＰＣＩ／ＣＱＩ測定値が存在しないときに合意されたＣＱＩまたはＰＣＩ／ＣＱＩ符号語である（例えば、ＷＴＲＵは、ほとんどの場合、範囲外ＣＱＩを使用することが可能であり、かつ／または範囲外ＣＱＩ値が存在しない場合、最大ＣＱＩ値を使用することが可能である）。あるいは、特殊な符号語をＤＴＸすること（すなわち、ＣＱＩもしくはＰＣＩ／ＣＱＩを報告しないこと）が可能である。
【０２３１】
あるいは、ＣＭギャップの間に二次セルが非アクティブ化されたかのように、ＣＱＩおよびＰＣＩ／ＣＱＩを報告することが可能であり、測定が中断される時間の間、非アクティブ化された二次セルのＣＱＩまたはＰＣＩ／ＣＱＩは送信されない（すなわち、ＤＴＸされない）。ＣＭはＨＳ−ＤＰＣＣＨに関する電力オフセットにもリンクしているアクティブ化されたキャリアの数を変更しなくてもよいため、この実施形態は、４Ｃ−ＨＳＤＰＡで、または８Ｃ−ＨＳＤＰＡに関して定義された事例で、アクティブ化されたキャリアの数が２以下であるとき、リマッピング／繰り返し規則を使用しなくてもよい。あるいは、この事例に関して、新しいリマッピング／繰り返し規則、および対応する新しい電力オフセットを定義することが可能である。
【０２３２】
８Ｃ−ＨＳＤＰＡに関する拡張個別チャネル（Ｅ−ＤＣＨ）トランスポートフォーマット組合せ（ｔｒａｎｓｐｏｒｔ  ｆｏｒｍａｔ  ｃｏｍｂｉｎａｔｉｏｎ）（Ｅ−ＴＦＣ）制限に関する実施形態が以下で記述される。
【０２３３】
３ＧＰＰの先のリリースでは、有効範囲を最大化するために、ＷＴＲＵがある種のＴＦＣおよびＥ−ＴＦＣが最大送信電力よりも多くの電力を必要とすることになると推定した場合、ＷＴＲＵは割り当てられたトランスポートフォーマットセットに関するトランスポートフォーマット組合せ（ＴＦＣ）の使用を制限することができる。Ｅ−ＴＦＣ選択は、以下のように、個別物理データチャネル（ＤＰＤＣＨ）が存在する場合はＴＦＣ選択からの残りの推定電力、およびＨＳ−ＤＰＣＣＨからの残りの推定電力に基づく。ＨＳ−ＤＰＣＣＨが所与の測定期間内に一部または全部送信される場合、所与のＴＦＣに関するＷＴＲＵ送信電力推定値は、ＤＰＤＣＨ利得係数および個別物理制御チャネル（ＤＰＣＣＨ）利得係数、その測定期間内に使用されたＨＳ−ＤＰＣＣＨ利得係数の最大値、ならびに基準送信電力に基づいて計算される。（１つのスロットである）測定期間のタイミングは、個別物理チャネル（ＤＰＣＨ）スロットのタイミングと同じである。
【０２３４】
Ｅ−ＴＦＣ制限手順は、アクティブ化されたアップリンク周波数（すなわち、ＤＣ−ＨＳＵＰＡが構成される場合の周波数）に関するＥ−ＴＦＣ選択に関して利用可能な正規化残余電力余裕（ｎｏｒｍａｌｉｚｅｄ  ｒｅｍａｉｎｉｎｇ  ｐｏｗｅｒ  ｍａｒｇｉｎ）（ＮＲＰＭ）を判断することを含む。Ｅ−ＴＦＣ候補ｊに関するＮＲＰＭ（ＮＲＰＭｊ）は以下のように計算される。
【０２３５】
ＷＴＲＵが１つのアクティブ化されたアップリンク周波数を有するとき、ＮＲＰＭｊは、以下のように計算される：
ＮＲＰＭｊ＝（ＰＭａｘｊ−ＰＤＰＣＣＨ，ｔａｒｇｅｔ−ＰＤＰＤＣＨ−ＰＨＳ−ＤＰＣＣＨ−ＰＥ−ＤＰＣＣＨ，ｊ）／ＰＤＰＣＣＨ，ｔａｒｇｅｔ  方程式（１）
【０２３６】
ＰＭａｘｊは、Ｅ−ＴＦＣｊに関する最大ＷＴＲＵ送信電力である。ＰＤＰＣＣＨ（ｔ）は、時間ｔにおける現在のＷＴＲＵ  ＤＰＣＣＨ電力のスロット単位の推定（ｓｌｏｔｗｉｓｅ  ｅｓｔｉｍａｔｅ）を表す。時間ｔにおいて、ＷＴＲＵがＣＭフレームを送信している場合は、ＰＤＰＣＣＨ，ｃｏｍｐ（ｔ）＝ＰＤＰＣＣＨ（ｔ）×（Ｎｐｉｌｏｔ，Ｃ／Ｎｐｉｌｏｔ，Ｎ）、そうでない場合は、ＰＤＰＣＣＨ，ｃｏｍｐ（ｔ）＝ＰＤＰＣＣＨ（ｔ）。ＷＴＲＵが、時間ｔにおいて、そのスロットの間にアップリンクＤＰＣＣＨを送信していない場合、ＣＭギャップに起因して、または不連続アップリンクＤＰＣＣＨ伝送動作が可能にされるとき、電力はフィルタリングされた結果に寄与しない場合がある。ＰＤＰＣＣＨ，ｃｏｍｐ（ｔ）の例は、Ｅ−ＤＣＨ伝送時間間隔（ＴＴＩ）が２ミリ秒であるとき、ＰＤＰＣＣＨ，ｃｏｍｐ（ｔ）の３つのスロット単位の推定のフィルタ期間を使用して、またはＥ−ＤＣＨのＴＴＩが１０ミリ秒であるとき、ＰＤＰＣＣＨ，ｃｏｍｐ（ｔ）の１５個のスロット単位の推定を使用してフィルタリングされて、ＰＤＰＣＣＨ，ｆｉｌｔｅｒｅｄを提示することが可能である。それに関してＮＲＰＭｊが評価される目標Ｅ−ＤＣＨのＴＴＩがＣＭフレームに対応しない場合は、ＰＤＰＣＣＨ，ｔａｒｇｅｔ＝ＰＤＰＣＣＨ，ｆｉｌｔｅｒｅｄ。それに関してＮＲＰＭｊが評価される目標Ｅ−ＤＣＨ  ＴＴＩがＣＭフレームに対応する場合は、ＰＤＰＣＣＨ，ｔａｒｇｅｔ＝ＰＤＰＣＣＨ，ｆｉｌｔｅｒｅｄ×（Ｎｐｉｌｏｔ，Ｎ／Ｎｐｉｌｏｔ，Ｃ）。Ｎｐｉｌｏｔ，ＮおよびＮｐｉｌｏｔ，Ｃは、３ＧＰＰのＴＳ２５．２１４に定義されたパイロットシンボルの数である。
【０２３７】
ＰＤＰＤＣＨは、ＰＤＰＣＣＨ，ｔａｒｇｅｔ、および行われたＴＦＣ選択からの利得係数に基づいて推定されるＤＰＤＣＨ送信電力である。ＰＨＳ−ＤＰＣＣＨは、ＰＤＰＣＣＨ，ｔａｒｇｅｔ、ならびにΔＡＣＫ、ΔＮＡＣＫ、およびΔＣＱＩの直近に信号送信された値に基づく最大ＨＳ−ＤＰＣＣＨ利得係数に基づいて推定されるＨＳ−ＤＰＣＣＨ送信電力である。それに関してＮＲＰＭｊが評価される目標Ｅ−ＤＣＨのＴＴＩがＣＭフレームに対応する場合、ＣＭに起因する利得係数に対する修正がＰＨＳ−ＤＰＣＣＨの推定内に含まれる。ＰＥ−ＤＰＣＣＨ，ｊは、Ｅ−ＤＣＨトランスポートフォーマット組合せ指標ｊ（Ｅ−ＴＦＣＩｊ）に関して推定されるＥ−ＤＰＣＣＨ送信電力である。
【０２３８】
ＷＴＲＵがＤＣ−ＨＳＤＰＡモードを用いずにＭＩＭＯで構成される場合、推定されるＨＳ−ＤＰＣＣＨ送信電力は、タイプＡのＣＱＩが送信されることになるとき、ＰＤＰＣＣＨ，ｔａｒｇｅｔ、ならびに（ΔＡＣＫ＋１）、（ΔＮＡＣＫ＋１）および（ΔＣＱＩ＋１）の最大値に基づくことが可能であり、タイプＢのＣＱＩが送信されることになるとき、（ΔＡＣＫ＋１）、（ΔＮＡＣＫ＋１）およびΔＣＱＩの最大値に基づくことが可能であり、この場合、ΔＡＣＫ、ΔＮＡＣＫ、およびΔＣＱＩは、直近に信号送信された値である。
【０２３９】
ＷＴＲＵがＤＣ−ＨＳＤＰＡまたはＤＣ−ＨＳＤＰＡ−ＭＩＭＯで構成される場合、推定されるＨＳ−ＤＰＣＣＨ送信電力は、ＰＤＰＣＣＨ，ｔａｒｇｅｔ、ならびに（ΔＡＣＫ＋１）、（ΔＮＡＣＫ＋１）および（ΔＣＱＩ＋１）の最大値に基づくことが可能であり、この場合、ΔＡＣＫ、ΔＮＡＣＫ、およびΔＣＱＩは、直近に信号送信された値である。
【０２４０】
ＷＴＲＵが１つを超えるアクティブ化されたアップリンク周波数を有するとき、ＷＴＲＵは、Ｅ−ＴＦＣ候補ｊに関する以下の方程式に基づいて、第ｉ番目のアクティブ化されたアップリンク周波数に関するＥ−ＴＦＣ選択に関して利用可能なＮＲＰＭを推定することができる（この場合、ｉは、一次アップリンク周波数の指標および二次アップリンク周波数の指標にそれぞれ対応する１または２である）：
ＮＲＰＭｉ，ｊ＝（Ｐａｌｌｏｃａｔｅｄ，ｉ−ＰＥ−ＤＰＣＣＨｉ，ｊ）／ＰＤＰＣＣＨ，ｔａｒｇｅｔ，ｉ  方程式（２）
式中、Ｐａｌｌｏｃａｔｅｄ，ｉは、以下の事例に基づいて、ＷＴＲＵによって第ｉ番目のアップリンク周波数に割り振られた電力を示し、ＰＥ−ＤＰＣＣＨｉ，ｊは、アクティブ化されたアップリンク周波数ｉ上のＥ−ＴＦＣＩｊに関するＥ−ＤＰＣＣＨ送信電力を表す。
【０２４１】
ＷＴＲＵが１つを超えるアクティブ化されたアップリンク周波数を有し、かつ再伝送が必要とされない場合、またはＷＴＲＵが１つを超えるアクティブ化されたアップリンク周波数を有し、２つの再伝送が必要とされる場合、
Ｐａｌｌｏｃａｔｅｄ，１＝Ｐ１＋Ｐｎｏｎ−ＳＧ、かつ
Ｐａｌｌｏｃａｔｅｄ，２＝Ｐ２
式中、Ｐｉは、第ｉ番目のアクティブ化されたアップリンク周波数に関してスケジュールされた伝送に関する最大残余可能電力（ｍａｘｉｍｕｍ  ｒｅｍａｉｎｉｎｇ  ａｌｌｏｗｅｄ  ｐｏｗｅｒ）を表し、Ｐｎｏｎ−ＳＧは、一次アップリンク周波数に関してスケジュールされていない伝送に関して事前に割り振られた電力を表す。Ｐｉは、以下のように定義される：
【０２４２】
【数１】
2014506437.tif 000039
【０２４３】
式中、Ｐｒｅｍａｉｎｉｎｇ，ｓは、スケジュールされていない伝送に関する電力が考慮に入れられた時点での、スケジュールされた伝送に関する残余電力であり、以下のように定義される：
Ｐｒｅｍａｉｎｉｎｇ，ｓ＝ｍａｘ（ＰＭａｘ−Σｉ  ＰＤＰＣＣＨ，ｔａｒｇｅｔ，ｉ−ＰＨＳ−ＤＰＣＣＨ−Ｐｎｏｎ−ＳＧ，０）  方程式（４）
【０２４４】
ＷＴＲＵが１つを超えるアクティブ化されたアップリンク周波数を有し、かつ１つのアクティブ化されたアップリンク周波数内で１つの再伝送が必要とされる場合、ＷＴＲＵは、再伝送が必要とされる、アクティブ化されたアップリンク周波数に割り振られた電力（Ｐａｌｌｏｃａｔｅｄ，ｘ）および再伝送が必要とされないアクティブ化されたアップリンク周波数に割り振られた電力（Ｐａｌｌｏｃａｔｅｄ，ｙ）を使用して、Ｅ−ＴＦＣ選択に関して利用可能なＮＲＰＭを推定することができ、これは以下のように定義される：
Ｐａｌｌｏｃａｔｅｄ，ｙ＝ＰＭａｘ−ＰＨＳ−ＤＰＣＣＨ−Σｉ  ＰＤＰＣＣＨ，ｔａｒｇｅｔ，ｉ−ＰＥ−ＤＰＣＣＨ，ｘ−ＰＥ−ＤＰＤＣＨ，ｘ  方程式（５）
Ｐａｌｌｏｃａｔｅｄ，ｘ＝ＰＥ−ＤＰＣＣＨ，ｘ＋ＰＥ−ＤＰＤＣＨ，ｘ  方程式（６）
式中、ＰＭａｘは、最大ＷＴＲＵ送信機電力を表す。ＰＥ−ＤＰＤＣＨ，ｘは、再伝送が必要とされるアップリンク周波数に関して推定されるＥ−ＤＰＤＣＨ送信電力を表す。この推定は、ＰＤＰＣＣＨ，ｔａｒｇｅｔ，ｘに基づき、式中、ｘは、再伝送が必要とされるアクティブ化されたアップリンク周波数および再伝送のために使用されることになるＥ−ＤＰＤＣＨ利得係数の指数を示す。ＰＥ−ＤＰＣＣＨ，ｘは、再伝送が必要とされるアップリンク周波数に関して推定されるＥ−ＤＰＣＣＨ送信電力を表す。この推定はＰＤＰＣＣＨ，ｔａｒｇｅｔ，ｘに基づき、式中、ｘは、再伝送が必要とされるアクティブ化されたアップリンク周波数および再伝送のために必要とされるＥ−ＤＰＣＣＨ利得係数の指標を示す。
【０２４５】
上記の両方の事例で、ＰＨＳ−ＤＰＣＣＨは、推定されるＨＳ−ＤＰＣＣＨ送信電力を表し、推定される一次のアクティブ化された周波数（以下、一次アクティブ化周波数）ＤＰＣＣＨ電力、ならびに（ΔＡＣＫ＋１）、（ΔＮＡＣＫ＋１）および（ΔＣＱＩ＋１）の最大値に基づいて計算可能であり、式中、ΔＡＣＫ、ΔＮＡＣＫ、およびΔＣＱＩは直近に信号送信された値である。
【０２４６】
ＮＲＰＭｊまたはＮＲＰＭｉ，ｊは、最大電力からＨＳ−ＤＰＣＣＨおよびＥ−ＤＰＤＣＨ以外のチャネルの電力を差し引くことによって判断可能である。最高でＲ１０の４Ｃ−ＨＳＤＰＡまでの３ＧＰＰリリースでは、Ｓｅｃｏｎｄａｒｙ＿Ｃｅｌｌ＿Ｅｎａｂｌｅｄが４未満である（すなわち、４つを超えるダウンリンクキャリアは構成されない）場合、それぞれの無線リンク上に最大で１つのＨＳ−ＤＰＣＣＨが存在するため、１つのＨＳ−ＤＰＣＣＨだけを考慮に入れることが指定された。
【０２４７】
しかし、４つを超えるダウンリンクキャリアが構成される（すなわち、Ｓｅｃｏｎｄａｒｙ＿Ｃｅｌｌ＿Ｅｎａｂｌｅｄ＞３）ＭＣ−ＨＳＤＰＡでは、それぞれの無線リンク上に１つを超えるＨＳ−ＤＰＣＣＨが存在する可能性がある。例えば、８Ｃ−ＨＳＤＰＡでは、ＳＦが１２８である２つのＨＳ−ＤＰＣＣＨを構成することが可能である。Ｍ＞４（すなわち、Ｓｅｃｏｎｄａｒｙ＿Ｃｅｌｌ＿Ｅｎａｂｌｅｄ＞３）であるＭＣ−ＨＳＤＰＡに１つを超えるＨＳ−ＤＰＣＣＨを導入することにより、複数のＨＳ−ＤＰＣＣＨの総電力に対処するために、Ｅ−ＴＦＣ制限手順を再度定義する必要がある。下の実施形態は８Ｃ−ＨＳＤＰＡまたはＭＣ−ＨＳＤＰＡの文脈で記述されるが、これらの実施形態は、１つまたは複数のＨＳ−ＤＰＣＣＨを使用することが可能な他のシステムにも適用可能な場合がある点に留意されたい。
【０２４８】
ＭＣ−ＨＳＤＰＡで１つを超える（Ｋ個の）ＨＳ−ＤＰＣＣＨが構成される場合（測定期間内に異なるＨＳ−ＤＰＣＣＨに関して使用される利得係数は異なってもよく、または同じであってもよい）、所与のＴＦＣに関するＷＴＲＵ送信電力推定を以下の事例、すなわち、所与の測定期間内に１つのＨＳ−ＤＰＣＣＨが部分的にまたは全部送信される事例、および所与の測定期間内に１つを超えるＨＳ−ＤＰＣＣＨが部分的にまたは全部送信されるもう１つの事例に関して異なって計算することが可能である。
【０２４９】
所与の測定期間内に１つのＨＳ−ＤＰＣＣＨが部分的にまたは全部送信される場合、所与のＴＦＣに関するＷＴＲＵ送信電力推定は、ＤＰＤＣＨ利得係数およびＤＰＣＣＨ利得係数、その測定期間中に使用された、送信されたＨＳ−ＤＰＣＣＨ利得係数の最大値、ならびに基準送信電力に基づいて計算可能である。
【０２５０】
所与の測定期間内に１を超えるＨＳ−ＤＰＣＣＨが部分的にまたは全部送信される場合、所与のＴＦＣに関するＷＴＲＵ送信電力推定は、ＤＰＤＣＨ利得係数およびＤＰＣＣＨ利得係数、基準送信電力、ならびにその測定期間内に使用された、組み合わされたＨＳ−ＤＰＣＣＨ送信電力に基づいて計算可能である。組み合わされたＨＳ−ＤＰＣＣＨ送信電力は、以下の方法のうちの１つまたはそれらの任意の組合せによって計算可能である。
【０２５１】
一実施形態では、ＷＴＲＵは、まず、所与の測定期間内に１つのＨＳ−ＤＰＣＣＨが部分的にまたは全部送信される事例に関して上で定義されたように、それぞれのＨＳ−ＤＰＣＣＨ送信電力を個々に（すなわち、独立して）計算することができる。ＷＴＲＵは、次いで、すべての推定されるＨＳ−ＤＰＣＣＨ送信電力に基づいて、すべての個々に推定されるＨＳ−ＤＰＣＣＨ送信電力の和として、すべての個々に推定されるＨＳ−ＤＰＣＣＨ送信電力の最大値として、すべての個々に推定されるＨＳ−ＤＰＣＣＨ送信電力の最大値の２倍（または、任意のその他の数）として、すべての個々に推定されるＨＳ−ＤＰＣＣＨ送信電力の最小値の２倍（または、任意のその他の数）として、など、組み合わされたＨＳ−ＤＰＣＣＨ送信電力を計算することができる。
【０２５２】
別の実施形態では、ＷＴＲＵは、まず、組み合わされたＨＳ−ＤＰＣＣＨ送信電力を計算するための一般利得係数を選択し、次いで、その一般利得係数および基準電力に基づいて計算されたＫ個の（または、Ｋ倍の）推定されるＨＳ−ＤＰＣＣＨ送信電力を合計することによって、すべてのＫ個のＨＳ−ＤＰＣＣＨに関して組み合わされた送信電力を計算することができる。一般利得係数は、測定期間中に使用されるすべてのＨＳ−ＤＰＣＣＨ利得係数の最大値、測定期間中に使用されるすべてのＨＳ−ＤＰＣＣＨ利得係数の平均値、測定期間中に使用される一次ＨＳ−ＤＰＣＣＨ（すなわち、サービス提供ＨＳ−ＤＳＣＨセルがマッピングされたＨＳ−ＤＰＣＣＨ）利得係数の最大値もしくは平均値、または測定期間内に使用された、事前に定義されるかもしくは指定された二次ＨＳ−ＤＰＣＣＨ（すなわち、二次サービス提供ＨＳ−ＤＳＣＨセルがマッピングされたＨＳ−ＤＰＣＣＨｋ）利得係数の最大値もしくは平均値など、ある基準に基づいて選択可能である。
【０２５３】
ＳＦが１２８である２つのＨＳ−ＤＰＣＣＨが構成される、ある８Ｃ−ＨＳＤＰＡ事例では、所与のＴＦＣに関するＷＴＲＵ送信電力推定を以下のように計算することが可能である。所与の測定期間内に１つのＨＳ−ＤＰＣＣＨが部分的にまたは全部送信される場合、所与のＴＦＣに関するＷＴＲＵ送信電力推定は、ＤＰＤＣＨ利得係数およびＤＰＣＣＨ利得係数、測定期間内に使用されたＨＳ−ＤＰＣＣＨ利得係数の最大値、ならびに基準送信電力に基づいて計算可能である。測定期間のタイミングは、ＤＰＣＨスロットのタイミングと同じである。所与の測定期間内で２つのＨＳ−ＤＰＣＣＨが部分的にまたは全部送信される場合、上で記述された方法のうちの１つまたはそれらの任意の組合せにおいて、ＤＰＤＣＨ利得係数およびＤＰＣＣＨ利得係数、測定期間中に使用されるそれぞれのＨＳ−ＤＰＣＣＨ（すなわち、ＨＳ−ＤＰＣＣＨおよびＨＳ−ＤＰＣＣＨ２）利得係数の最大値、ならびに基準送信電力を使用して、所与のＴＦＣに関するＷＴＲＵ送信電力推定を計算することが可能である。測定期間のタイミングは、ＤＰＣＨスロットのタイミングと同じである。
【０２５４】
あるいは、所与の測定期間内に１つまたは２つのＨＳ−ＤＰＣＣＨが部分的にまたは全部送信される場合、ＤＰＤＣＨ利得係数およびＤＰＣＣＨ利得係数、測定期間中に使用されるＨＳ−ＤＰＣＣＨ利得係数の最大値（または、２つのＨＳ−ＤＰＣＣＨが構成および送信される場合、それぞれのＨＳ−ＤＰＣＣＨ利得係数の最大値）、および基準送信電力を使用して、所与のＴＦＣに関するＷＴＲＵ送信電力推定を計算することが可能である。測定期間のタイミングは、ＤＰＣＨスロットのタイミングと同じである。上で記述された方法のうちの１つまたはそれらの任意の組合せにおいて、組み合わされたＨＳ−ＤＰＣＣＨ送信電力を実施することが可能である。
【０２５５】
Ｅ−ＴＦＣ選択に関して利用可能なＮＲＰＭを計算するために、Ｍ＞４のＭＣ−ＨＳＤＰＡ、または８Ｃ−ＨＳＤＰＡで、１つを超えるＨＳ−ＤＰＣＣＨが使用されるとき、以下の方法のうちの１つもしくはそれらの任意の組合せによって、Ｅ−ＴＦＣ制限手順を実施することができる。
【０２５６】
第１の方法では、Ｅ−ＴＦＣ制限手順で使用される上の方程式（方程式（１）、（４）、および（５））を変更する代わりに、それぞれの構成および送信されたＨＳ−ＤＰＣＣＨ（例えば、ＨＳ−ＤＰＣＣＨ１および／またはＨＳ−ＤＰＣＣＨ２）に関して推定されるＨＳ−ＤＰＣＣＨ送信電力の和として判断された総推定ＨＳ−ＤＰＣＣＨ送信電力として、ＰＨＳ−ＤＰＣＣＨを定義することが可能である。それぞれのＨＳ−ＤＰＣＣＨに関して推定されるＨＳ−ＤＰＣＣＨ送信電力は、ＰＤＰＣＣＨ，ｔａｒｇｅｔに基づく、対応するＨＳ−ＤＰＣＣＨに関する最大ＨＳ−ＤＰＣＣＨ利得係数、ならびにΔＡＣＫ、ΔＮＡＣＫ、およびΔＣＱＩの直近に信号送信された値に基づいて計算可能である。
【０２５７】
ＭＣ−ＨＳＤＰＡまたは８Ｃ−ＨＳＤＰＡに関する第１の例示的な実装形態が以下で記述される。
【０２５８】
ＷＴＲＵが１つのアクティブ化されたアップリンク周波数を有するとき、ＰＨＳ−ＤＰＣＣＨは、ＰＤＰＣＣＨ，ｔａｒｇｅｔ、ならびにΔＡＣＫ、ΔＮＡＣＫ、およびΔＣＱＩの直近に信号送信された値に基づく最大ＨＳ−ＤＰＣＣＨ利得係数に基づいて推定されるＨＳ−ＤＰＣＣＨ送信電力である。２つのＨＳ−ＤＰＣＣＨが送信される場合、ＰＨＳ−ＤＰＣＣＨはＨＳ−ＤＰＣＣＨ１上およびＨＳ−ＤＰＣＣＨ２上の両方で推定される総ＨＳ−ＤＰＣＣＨ送信電力である。それに関してＮＲＰＭｊが評価される目標Ｅ−ＤＣＨのＴＴＩが圧縮モードフレームに対応する場合、圧縮モードによって発生する利得係数に対する修正をＰＨＳ−ＤＰＣＣＨの推定内に含めることが可能である。
【０２５９】
ＷＴＲＵがＤＣ−ＨＳＤＰＡモードを用いずにＭＩＭＯで構成される場合、推定されるＨＳ−ＤＰＣＣＨ送信電力は、タイプＡのＣＱＩが送信されるとき、ＰＤＰＣＣＨ，ｔａｒｇｅｔ、ならびに（ΔＡＣＫ＋１）、（ΔＮＡＣＫ＋１）、および（ΔＣＱＩ＋１）の最大値に基づくことが可能であり、タイプＢのＣＱＩが送信されるとき、（ΔＡＣＫ＋１）、（ΔＮＡＣＫ＋１）、およびΔＣＱＩの最大値に基づくことが可能であり、式中、ΔＡＣＫ、ΔＮＡＣＫ、およびΔＣＱＩは直近に信号送信された値である。
【０２６０】
ＷＴＲＵがＤＣ−ＨＳＤＰＡまたはＤＣ−ＨＳＤＰＡ−ＭＩＭＯで構成される場合、推定されるＨＳ−ＤＰＣＣＨ送信電力は、ＰＤＰＣＣＨ，ｔａｒｇｅｔ、ならびに（ΔＡＣＫ＋１）、（ΔＮＡＣＫ＋１）、および（ΔＣＱＩ＋１）の最大値に基づくことが可能であり、式中、ΔＡＣＫ、ΔＮＡＣＫ、およびΔＣＱＩは直近に信号送信された値である。
【０２６１】
ＷＴＲＵが３Ｃ／４Ｃ−ＨＳＤＰＡで構成される（Ｓｅｃｏｎｄａｒｙ＿Ｃｅｌｌ＿Ｅｎａｂｌｅｄ＞１である）場合、推定されるＨＳ−ＤＰＣＣＨ送信電力は、ＰＤＰＣＣＨ，ｔａｒｇｅｔ、ならびに（ΔＡＣＫ＋２）、（ΔＮＡＣＫ＋２）、および（ΔＣＱＩ＋２）の最大値に基づくことが可能であり、式中、ΔＡＣＫ、ΔＮＡＣＫ、およびΔＣＱＩは直近に信号送信された値である。
【０２６２】
ＷＴＲＵが８Ｃ−ＨＳＤＰＡで構成される（すなわち、Ｓｅｃｏｎｄａｒｙ＿Ｃｅｌｌ＿Ｅｎａｂｌｅｄ＞３）場合、それぞれの送信されたＨＳ−ＤＰＣＣＨに関して推定されるＨＳ−ＤＰＣＣＨ送信電力は、ＰＤＰＣＣＨ，ｒａｇｅｔ、ならびに、（ΔＡＣＫ＋２）、（ΔＮＡＣＫ＋２）、および（ΔＣＱＩ＋２）の最大値に基づくことが可能であり、式中、ΔＡＣＫ、ΔＮＡＣＫ、およびΔＣＱＩは直近に信号送信された値である。
【０２６３】
ＷＴＲＵが１つを超えるアクティブ化されたアップリンク周波数を有するとき、ＰＨＳ−ＤＰＣＣＨは、推定されるＨＳ−ＤＰＣＣＨ送信電力を表し、推定される一次アクティブ化周波数ＤＰＣＣＨ電力、ならびにＳｅｃｏｎｄａｒｙ＿Ｃｅｌｌ＿Ｅｎａｂｌｅｄ＜２である場合、（ΔＡＣＫ＋１）、（ΔＮＡＣＫ＋１）、および（ΔＣＱＩ＋１）の最大値（または、そうでない場合、（ΔＡＣＫ＋２）、（ΔＮＡＣＫ＋２）、および（ΔＣＱＩ＋２）の最大値）に基づいて計算可能であり、式中、ΔＡＣＫ、ΔＮＡＣＫ、およびΔＣＱＩは直近に信号送信された値である。
【０２６４】
第１の例示的な実装形態の代替として、３Ｃ／４ＣのＨＳＤＰＡ事例および８ＣのＨＳＤＰＡ事例を共に組み合わせることができるが、これは、以下のように、Ｓｅｃｏｎｄａｒｙ＿Ｃｅｌｌ＿Ｅｎａｂｌｅｄ＜２の場合、これらの事例が、既存の定義を維持しながら、同じ最大電力オフセットを使用して最悪の状況を保護するためである。
【０２６５】
ＷＴＲＵが１つのアクティブ化されたアップリンク周波数を有するとき、Ｓｅｃｏｎｄａｒｙ＿Ｃｅｌｌ＿Ｅｎａｂｌｅｄ＞１の場合、それぞれの送信されるＨＳ−ＤＰＣＣＨに関して推定されるＨＳ−ＤＰＣＣＨ送信電力は、ＰＤＰＣＣＨ，ｔａｇｅｔ、ならびに（ΔＡＣＫ＋２）、（ΔＮＡＣＫ＋２）、および（ΔＣＱＩ＋２）の最大値に基づくことが可能であり、式中、ΔＡＣＫ、ΔＮＡＣＫ、およびΔＣＱＩは直近に信号送信された値である。
【０２６６】
ＷＴＲＵが１つを超えるアクティブ化されたアップリンク周波数を有するとき、ＰＨＳ−ＤＰＣＣＨは、推定されるＨＳ−ＤＰＣＣＨ送信電力を表し、推定される一次アクティブ化周波数ＤＰＣＣＨ電力、ならびにＳｅｃｏｎｄａｒｙ＿Ｃｅｌｌ＿Ｅｎａｂｌｅｄ＜４の場合、（ΔＡＣＫ＋１）、（ΔＮＡＣＫ＋１）、および（ΔＣＱＩ＋１）の最大値（または、そうでない場合、（ΔＡＣＫ＋２）、（ΔＮＡＣＫ＋２）、および（ΔＣＱＩ＋２）の最大値）に基づいて計算可能であり、式中、ΔＡＣＫ、ΔＮＡＣＫ、およびΔＣＱＩは直近に信号送信された値である。
【０２６７】
第１の例示的な実装形態に対する別の代替として、ＭＩＭＯ構成を用いない３Ｃ−ＨＳＤＰＡを、ＭＩＭＯを用いた３Ｃ−ＨＳＤＰＡおよび４Ｃ−ＨＳＤＰＡの事例と区別することができるが、これは、以下のように、他の事例を維持するとき、ＭＩＭＯを用いた３Ｃ−ＨＳＤＰＡおよび４Ｃ−ＨＳＤＰＡの事例は異なる最大電力オフセットを使用することができるためである。
【０２６８】
ＷＴＲＵが１つのアクティブ化されたアップリンク周波数を有するとき、ＷＴＲＵがＭＩＭＯを用いない３Ｃ−ＨＳＤＰＡで構成される（すなわち、Ｓｅｃｏｎｄａｒｙ＿Ｃｅｌｌ＿Ｅｎａｂｌｅｄ＝２）場合、推定されるＨＳ−ＤＰＣＣＨ送信電力は、ＰＤＰＣＣＨ，ｔａｒｇｅｔ、ならびに（ΔＡＣＫ＋１）、（ΔＮＡＣＫ＋１）、および（ΔＣＱＩ＋１）の最大値に基づくことが可能であり、式中、ΔＡＣＫ、ΔＮＡＣＫ、およびΔＣＱＩは直近に信号送信された値である。
【０２６９】
ＷＴＲＵがＭＩＭＯを用いた３Ｃ−ＨＳＤＰＡで構成される（Ｓｅｃｏｎｄａｒｙ＿Ｃｅｌｌ＿Ｅｎａｂｌｅｄ＝２）か、または４Ｃ−ＨＳＤＰＡで構成される（すなわち、Ｓｅｃｏｎｄａｒｙ＿Ｃｅｌｌ＿Ｅｎａｂｌｅｄ＝３）場合、推定されるＨＳ−ＤＰＣＣＨ送信電力は、ＰＤＰＣＣＨ，ｔａｒｇｅｔ、ならびに（ΔＡＣＫ＋２）、（ΔＮＡＣＫ＋２）、および（ΔＣＱＩ＋２）の最大値に基づくことが可能であり、式中、ΔＡＣＫ、ΔＮＡＣＫ、およびΔＣＱＩは直近に信号送信された値である。
【０２７０】
ＷＴＲＵが１つを超えるアクティブ化されたアップリンク周波数を有するとき、ＰＨＳ−ＤＰＣＣＨは、推定されるＨＳ−ＤＰＣＣＨ送信電力を表し、推定される一次アクティブ化周波数ＤＰＣＣＨ電力、ならびにＳｅｃｏｎｄａｒｙ＿Ｃｅｌｌ＿Ｅｎａｂｌｅｄ＜２の場合、（ΔＡＣＫ＋１）、（ΔＮＡＣＫ＋１）、および（ΔＣＱＩ＋１）の最大値（または、そうでない場合、ＭＩＭＯが構成されて、Ｓｅｃｏｎｄａｒｙ＿Ｃｅｌｌ＿Ｅｎａｂｌｅｄ＝３の場合、（ΔＡＣＫ＋１）、（ΔＮＡＣＫ＋１）、および（ΔＣＱＩ＋１）の最大値、もしくは、そうでない場合（ΔＡＣＫ＋２）、（ΔＮＡＣＫ＋２）、および（ΔＣＱＩ＋２）の最大値）に基づいて計算可能であり、式中、ΔＡＣＫ、ΔＮＡＣＫ、およびΔＣＱＩは直近に信号送信された値である。
【０２７１】
第２の方法では、Ｍ＞４のＭＣ−ＨＳＤＰＡまたは８Ｃ−ＨＳＤＰＡ（すなわち、Ｓｅｃｏｎｄａｒｙ＿Ｃｅｌｌ＿Ｅｎａｂｌｅｄ＞３）で、１つを超える（Ｋ＞１と仮定する）ＨＳ−ＤＰＣＣＨが構成および送信されるとき、以下のように、新しい項目−ΣｋＰＨＳ−ＤＰＣＣＨｋを上記の方程式に加えて、一次ＨＳ−ＤＰＣＣＨ（すなわち、レガシーＨＳ−ＤＰＣＣＨ）の他に、追加のＨＳ−ＤＰＣＣＨに関して推定されるＨＳ−ＤＰＣＣＨｋ送信電力の和を説明することができる：
ＮＲＰＭｊ＝（ＰＭａｘｊ−ＰＤＰＣＣＨ，ｔａｒｇｅｔ−ＰＤＰＤＣＨ−ＰＨＳ−ＤＰＣＣＨ−ΣｋＰＨＳ−ＤＰＣＣＨｋ−ＰＥ−ＤＰＣＣＨ，ｊ）／ＰＤＰＣＣＨ，ｔａｒｇｅｔ  方程式（７）
Ｐｒｅｍａｉｎｉｎｇ，ｓ＝ｍａｘ（ＰＭａｘ−ΣｉＰＤＰＣＣＨ，ｔａｒｇｅｔ，ｉ−ＰＨＳ−ＤＰＣＣＨ−ΣｋＰＨＳ−ＤＰＣＣＨｋ−Ｐｎｏｎ−ＳＧ，０）  方程式（８）
Ｐａｌｌｏｃａｔｅｄ，ｙ＝ＰＭａｘ−ＰＨＳ−ＤＰＣＣＨ−ΣｋＰＨＳ−ＤＰＣＣＨｋ−ΣｉＰＤＰＣＣＨ，ｔａｒｇｅｔ，ｉ−ＰＥ−ＤＰＣＣＨ，ｘ−ＰＥ−ＤＰＤＣＣＨ，ｘ  方程式（９）
式中、ＰＨＳ−ＤＰＣＣＨｋは、指標ｋ（ｋ＝２、３、…Ｋ）を有する、推定されるＨＳ−ＤＰＣＣＨ送信電力を表し、ＰＨＳ−ＤＰＣＣＨと同じように、ＰＤＰＣＣＨ，ｔａｒｇｅｔ、ならびにΔＡＣＫ、ΔＮＡＣＫ、およびΔＣＱＩの直近に信号送信された値に基づく、対応するＨＳ−ＤＰＣＣＨｋに関する最大ＨＳ−ＤＰＣＣＨ利得係数に基づいて計算される。
【０２７２】
ＳＦが１２８である２つのＨＳ−ＤＰＣＣＨが使用される８Ｃ−ＨＳＤＰＡの場合（すなわち、Ｓｅｃｏｎｄａｒｙ＿Ｃｅｌｌ＿Ｅｎａｂｌｅｄ＞３であるとき）、第２の方法の例示的な実装形態が以下で記述される。ＷＴＲＵが１つのアクティブ化されたアップリンク周波数を有するとき、ＮＲＰＭを以下のように定義することができる：
ＮＲＰＭｊ＝（ＰＭａｘｊ−ＰＤＰＣＣＨ，ｔａｒｇｅｔ−ＰＤＰＤＣＨ−ＰＨＳ−ＤＰＣＣＨ−ＰＨＳ−ＤＰＣＣＨ２−ＰＥ−ＤＰＣＣＨｊ）／ＰＤＰＣＣＨ，ｔａｒｇｅｔ  方程式（１０）
式中、ＰＨＳ−ＤＰＣＣＨは、Ｓｅｃｏｎｄａｒｙ＿Ｃｅｌｌ＿Ｅｎａｂｌｅｄ＜４のとき、上記のように定義される。
【０２７３】
ＰＨＳ−ＤＰＣＣＨ２は、ＰＤＰＣＣＨ，ｔａｒｇｅｔ、ならびに（ΔＡＣＫ＋２）、（ΔＮＡＣＫ＋２）、および（ΔＣＱＩ＋２）の最大値に基づく最大ＨＳ−ＤＰＣＣＨ２利得係数に基づいて推定されるＨＳ−ＤＰＣＣＨ２送信電力であり、式中、ΔＡＣＫ、ΔＮＡＣＫ、およびΔＣＱＩは直近に信号送信された値である。それに関してＮＲＰＭｊが評価される目標Ｅ−ＤＣＨのＴＴＩがＣＭフレームに対応する場合、ＣＭによる利得係数に対する修正をＰＨＳ−ＤＰＣＣＨ２の推定内に含めることが可能である。
【０２７４】
ＷＴＲＵが１つを超えるアクティブ化されたアップリンク周波数を有するとき、ＷＴＲＵは、Ｅ−ＴＦＣ候補ｊに関する以下の方程式に基づいて、第ｉ番目のアクティブ化されたアップリンク周波数（この場合、ｉ（＝１または２）は一次アップリンク周波数の指標および二次アップリンク周波数の指標に対応する）に関するＥ−ＴＦＣ選択に関して利用可能なＮＲＰＭを推定することができる：
ＮＲＰＭｉ，ｊ＝（Ｐａｌｌｏｃａｔｅｄ，ｉ−ＰＥ−ＤＰＣＣＨｉ，ｊ／ＰＤＰＣＣＨ，ｔａｒｇｅｔ，ｉ  方程式（１１）
式中、Ｐａｌｌｏｃａｔｅｄ，ｉは、以下の事例に基づいて、ＷＴＲＵによって第ｉ番目のアップリンク周波数に割り振られた電力を示す。
【０２７５】
ＷＴＲＵが１つを超えるアクティブ化されたアップリンク周波数を有し、再伝送が必要とされない場合、またはＷＴＲＵが１つを超えるアクティブ化されたアップリンク周波数を有し、２つの再伝送が必要とされる場合、
Ｐａｌｌｏｃａｔｅｄ，１＝Ｐ１＋Ｐｎｏｎ−ＳＧ  方程式（１２）
Ｐａｌｌｏｃａｔｅｄ，２＝Ｐ２  方程式（１３）
式中、Ｐｉは、以下のように定義される、第ｉ番目のアクティブ化されたアップリンク周波数に関してスケジュールされた伝送に関する最大残余可能電力を表す：
【０２７６】
【数２】
2014506437.tif 000040
【０２７７】
式中、Ｐｒｅｍａｉｎｉｎｇ，ｓは、以下のように定義される、スケジュールされていない伝送に関する電力が考慮に入れられた時点での、スケジュールされた伝送に関する残余電力である：
Ｐｒｅｍａｉｎｉｎｇ，ｓ＝ｍａｘ（ＰＭａｘ−ΣｉＰＤＰＣＣＨ，ｔａｒｇｅｔ，ｉ−ＰＨＳ−ＤＰＣＣＨ−ＰＨＳ−ＤＰＣＣＨ２−Ｐｎｏｎ−ＳＧ，０）  方程式（１５）
【０２７８】
ＷＴＲＵが１つを超えるアクティブ化されたアップリンク周波数を有し、１つのアクティブ化されたアップリンク周波数内で１つの再伝送が必要とされる場合、ＷＴＲＵは、以下のように定義される、再伝送が必要とされる、アクティブ化されたアップリンク周波数に割り振られた電力（Ｐａｌｌｏｃａｔｅｄ，ｘ）、および再伝送が必要とされない、アクティブ化されたアップリンク周波数に割り振られた電力（Ｐａｌｌｏｃａｔｅｄ，ｙ）を使用してＥ−ＴＦＣ選択に関して利用可能なＮＲＰＭを推定することができる：
Ｐａｌｌｏｃａｔｅｄ，ｙ＝ＰＭａｘ−ＰＨＳ−ＤＰＣＣＨ−ＰＨＳ−ＤＰＣＣＨ２−ΣｉＰＤＰＣＣＨ，ｔａｒｇｅｔ，ｉ−ＰＥ−ＤＰＣＣＨ，ｘ−ＰＥ−ＤＰＣＣＨ，ｘ
方程式（１６）
Ｐａｌｌｏｃａｔｅｄ，ｘ＝ＰＥ−ＤＰＣＣＨ，ｘ＋ＰＥ−ＤＰＤＣＨ，ｘ
方程式（１７）
【０２７９】
上記の両方の事例で、Ｓｅｃｏｎｄａｒｙ＿Ｃｅｌｌ＿Ｅｎａｂｌｅｄ＜４のとき、ＰＨＳ−ＤＰＣＣＨは上記のように定義される。ＰＨＳ−ＤＰＣＣＨ２は、推定されるＨＳ−ＤＰＣＣＨ２送信電力を表し、推定される一次アクティブ化周波数ＤＰＣＣＨ電力、ならびに（ΔＡＣＫ＋２）、（ΔＮＡＣＫ＋２）、および（ΔＣＱＩ＋２）の最大値に基づいて計算可能であり、式中、ΔＡＣＫ、ΔＮＡＣＫ、およびΔＣＱＩは直近に信号送信された値である。
【０２８０】
第２の方法に対する代替として、第２の方法を変更して、推定されるＨＳ−ＤＰＣＣＨ送信電力を、指標ｋ（ｋ＝０、２、３、…、Ｋ）を有する、新しい項目−ΣｋＰＨＳ−ＤＰＣＣＨｋ内に含めることが可能である。より詳細には、Ｍ＞４の場合のＭＣ−ＨＳＤＰＡまたは８Ｃ−ＨＳＤＰＡで１つを超える（Ｋ＞１と仮定する）ＨＳ−ＤＰＣＣＨが構成および送信されるとき、以下のように、一次ＨＳ−ＤＰＣＣＨ（すなわち、レガシーＨＳ−ＤＰＣＣＨ）を含めて、すべてのＨＳ−ＤＰＣＣＨに関して推定されるＨＳ−ＤＰＣＣＨｋ送信電力の和を明らかにするために、ＮＲＰＭ関連の方程式を定義することが可能である。
【０２８１】
ＷＴＲＵが１つのアクティブ化されたアップリンク周波数を有するとき、ＮＲＰＭを以下のように計算することが可能である：
ＮＲＰＭｊ＝（ＰＭａｘｊ−ＰＤＰＣＣＨ，ｔａｒｇｅｔ−ＰＤＰＤＣＨ−ΣｋＰＨＳ−ＤＰＣＣＨｋ−ＰＥ−ＤＰＣＣＨ，ｊ）／ＰＤＰＣＣＨ，ｔａｒｇｅｔ  方程式（１８）
【０２８２】
ＷＴＲＵが１つを超えるアクティブ化されたアップリンク周波数を有するとき、これらの方程式を以下のように改正することが可能である：
Ｐｒｅｍａｉｎｉｎｇ，ｓ＝ｍａｘ（ＰＭａｘ−ΣｉＰＤＰＣＣＨ，ｔａｒｇｅｔ，ｉ−ΣｋＰＨＳ−ＤＰＣＣＨｋ−Ｐｎｏｎ−ＳＧ，０）  方程式（１９）
Ｐａｌｌｏｃａｔｅｄ，ｙ＝ＰＭａｘ−ΣｋＰＨＳ−ＤＰＣＣＨｋ−ΣｉＰＤＰＣＣＨ，ｔａｒｇｅｔ，ｉ−ＰＥ−ＤＰＣＣＨ，ｘ−ＰＥ−ＤＰＤＣＨ，ｘ  方程式（２０）
式中、ＰＨＳ−ＤＰＣＣＨｋは、指標ｋ（ｋ＝０、２、３、…Ｋ）を有する、推定されるＨＳ−ＤＰＣＣＨ送信電力を表し、ＰＤＰＣＣＨ，ｔａｒｇｅｔ、ならびにΔＡＣＫ、ΔＮＡＣＫ、およびΔＣＱＩの直近に信号送信された値に基づく、対応するＨＳ−ＤＰＣＣＨｋに関する最大ＨＳ−ＤＰＣＣＨ利得係数に基づいて計算される。
【０２８３】
あるいは、Ｅ−ＴＦＣ制限は、ＲＲＣ構成に基づいて、上記の両方の方法に関して使用することが可能な二次サービス提供ＨＳ−ＤＳＣＨセルのアクティブ化状態に基づいて、推定されるＨＳ−ＤＰＣＣＨ送信を定義することが可能である。
【０２８４】
実施形態
【０２８５】
１．  マルチセルＨＳＤＰＡ動作に関するフィードバックを送信するための方法。
【０２８６】
２．  複数のセルからダウンリンク伝送を受信するステップを含む実施形態１に記載の方法。
【０２８７】
３．  セルに関するＨＡＲＱ−ＡＣＫメッセージおよび／またはＣＱＩもしくはＰＣＩ／ＣＱＩメッセージを生成するステップを含む実施形態２に記載の方法。
【０２８８】
４．  ＨＡＲＱ−ＡＣＫメッセージおよび／またはＣＱＩもしくはＰＣＩ／ＣＱＩメッセージを符号化するステップを含む実施形態３に記載の方法。
【０２８９】
５．  拡散係数が１２８である複数のＨＳ−ＤＰＣＣＨにおいて、符号化されたＨＡＲＱ−ＡＣＫメッセージおよび／または符号化されたＣＱＩもしくはＰＣＩ／ＣＱＩメッセージを送信するステップを含む実施形態４に記載の方法。
【０２９０】
６．  それぞれのＨＳ−ＤＰＣＣＨが、少なくとも２つの符号化されたＨＡＲＱ−ＡＣＫメッセージおよび少なくとも２つの符号化されたＣＱＩまたはＰＣＩ／ＣＱＩメッセージをＨＳ−ＤＰＣＣＨサブフレームで搬送するように構成されている実施形態５に記載の方法。
【０２９１】
７．  それぞれのＨＡＲＱ−ＡＣＫメッセージは、２つのセルに関するＨＡＲＱ情報が結合符号化されるように２つのセルにマッピングされ、それぞれのＣＱＩまたはＰＣＩ／ＣＱＩメッセージは、１つのセルにマッピングされる実施形態５または６に記載の方法。
【０２９２】
８．  ２つのＨＳ−ＤＰＣＣＨサブフレームによって、最高で４つまでのセルの符号化されたＣＱＩまたはＰＣＩ／ＣＱＩメッセージは、第１の報告内で送信され、最高で４つまでの別のセルの符号化されたＣＱＩまたはＰＣＩ／ＣＱＩメッセージは、第２の報告内で送信される実施形態７に記載の方法。
【０２９３】
９．  ＨＳ−ＤＰＣＣＨにおいていずれのセルもアクティブ化または非アクティブ化されることを条件に、そのＨＳ−ＤＰＣＣＨ内で、セルがＨＡＲＱ−ＡＣＫメッセージおよび／またはＣＱＩもしくはＰＣＩ／ＣＱＩメッセージにリマッピングされるか、あるいはＨＡＲＱ−ＡＣＫメッセージおよび／またはＣＱＩもしくはＰＣＩ／ＣＱＩメッセージが繰り返される実施形態７または８に記載の方法。
【０２９４】
１０．  ＨＳ−ＤＰＣＣＨのうちのいずれか１つにおいて３つのセルがアクティブである場合、２つのアクティブなセルのＨＡＲＱ−ＡＣＫ情報が結合符号化され、もう１つのアクティブなセルのＨＡＲＱ−ＡＣＫ情報がＤＴＸと結合符号化される実施形態４から９のいずれか１つに記載の方法。
【０２９５】
１１．  ＨＳ−ＤＰＣＣＨのうちのいずれか１つにおいて２つのセルがアクティブである場合、２つのアクティブなセルのＨＡＲＱ−ＡＣＫ情報が結合符号化され、結果として生じる符号語が繰り返されて、ＨＳ−ＤＰＣＣＨのＨＡＲＱ−ＡＣＫスロットを満たす実施形態４から１０のいずれか１つに記載の方法。
【０２９６】
１２．  ＨＳ−ＤＰＣＣＨのうちのいずれか１つにおいて１つのセルがアクティブである場合、アクティブなセルのＨＡＲＱ−ＡＣＫ情報がＤＴＸと符号化され、結果として生じる符号語が繰り返されて、ＨＳ−ＤＰＣＣＨのＨＡＲＱ−ＡＣＫスロットを満たす実施形態４から１１のいずれか１つに記載の方法。
【０２９７】
１３．  ＨＳ−ＤＰＣＣＨのうちのいずれか１つにおいてアクティブなセルがない場合、ＨＳ−ＤＰＣＣＨのＨＡＲＱ−ＡＣＫスロットが送信されないか、またはＤＴＸ符号語が繰り返されて、ＨＳ−ＤＰＣＣＨのＨＡＲＱ−ＡＣＫスロットを満たす実施形態４から１２のいずれか１つに記載の方法。
【０２９８】
１４．  ＨＳ−ＤＰＣＣＨのうちのいずれか１つにおいて３つのセルがアクティブである場合、２つのアクティブなセルのＣＱＩまたはＰＣＩ／ＣＱＩメッセージが第１の報告内で搬送され、もう１つのアクティブなセルのＣＱＩまたはＰＣＩ／ＣＱＩメッセージが第２の報告内で繰り返される実施形態４から１３のいずれか１つに記載の方法。
【０２９９】
１５．  ＨＳ−ＤＰＣＣＨのうちのいずれか１つにおいて２つのセルがアクティブである場合、１つのセルのＣＱＩまたはＰＣＩ／ＣＱＩメッセージが第１の報告内で繰り返され、もう１つのセルのＣＱＩまたはＰＣＩ／ＣＱＩメッセージが第２の報告内で繰り返される実施形態４から１４のいずれか１つに記載の方法。
【０３００】
１６．  ＨＳ−ＤＰＣＣＨのうちのいずれか１つにおいて１つのセルがアクティブである場合、アクティブなセルのＣＱＩまたはＰＣＩ／ＣＱＩメッセージが第１の報告内で繰り返され、第２の報告が送信されない実施形態４から１５のいずれか１つに記載の方法。
【０３０１】
１７．  ＨＳ−ＤＰＣＣＨにおいてアクティブなセルがない場合、ＨＳ−ＤＰＣＣＨのＣＱＩまたはＰＣＩ／ＣＱＩスロットが送信されない実施形態４から１６のいずれか１つに記載の方法。
【０３０２】
１８．それぞれのＨＳ−ＤＰＣＣＨ上のＨＡＲＱ−ＡＣＫメッセージまたはＣＱＩもしくはＰＣＩ／ＣＱＩメッセージに関する電力オフセットが、それぞれのＨＳ−ＤＰＣＣＨ上のアクティブな二次セルの数およびＭＩＭＯ構成状態に基づいて独立して判断される実施形態４から１７のいずれか１つに記載の方法。
【０３０３】
１９．  ＨＡＲＱプリアンブルおよびＨＡＲＱポストアンブルを送信するための条件が両方のＨＳ−ＤＰＣＣＨにおいて満たされることを条件に、両方のＨＳ−ＤＰＣＣＨにおいてそのプリアンブルおよびそのポストアンブルを同時に送信するステップをさらに含む実施形態４から１８のいずれか１つに記載の方法。
【０３０４】
２０．  マルチセルＨＳＤＰＡ動作に関するフィードバックを送信するためのＷＴＲＵ。
【０３０５】
２１．  複数のセルからダウンリンク伝送を受信するように構成されたトランシーバを備える実施形態２０に記載のＷＴＲＵ。
【０３０６】
２２．  セルに関するＨＡＲＱ−ＡＣＫメッセージおよび／またはＣＱＩもしくはＰＣＩ／ＣＱＩメッセージを生成するように構成されたプロセッサをさらに備える実施形態２１に記載のＷＴＲＵ。
【０３０７】
２３．  プロセッサは、ＨＡＲＱ−ＡＣＫメッセージおよび／またはＣＱＩもしくはＰＣＩ／ＣＱＩメッセージを符号化するように構成されている実施形態２２に記載のＷＴＲＵ。
【０３０８】
２４．  プロセッサは、拡散係数が１２８である複数のＨＳ−ＤＰＣＣＨにおいて、符号化されたＨＡＲＱ−ＡＣＫメッセージおよび／または符号化されたＣＱＩもしくはＰＣＩ／ＣＱＩメッセージを送信するように構成されている実施形態２３に記載のＷＴＲＵ。
【０３０９】
２５．  それぞれのＨＳ−ＤＰＣＣＨは、少なくとも２つの符号化されたＨＡＲＱ−ＡＣＫメッセージおよび少なくとも２つの符号化されたＣＱＩまたはＰＣＩ／ＣＱＩメッセージをＨＳ−ＤＰＣＣＨサブフレームで搬送するように構成されている実施形態２４に記載のＷＴＲＵ。
【０３１０】
２６．  それぞれのＨＡＲＱ−ＡＣＫメッセージは、２つのセルに関するＨＡＲＱ情報が結合符号化されるように２つのセルにマッピングされ、それぞれのＣＱＩまたはＰＣＩ／ＣＱＩメッセージは、１つのセルにマッピングされる実施形態２５に記載のＷＴＲＵ。
【０３１１】
２７．  ２つのＨＳ−ＤＰＣＣＨサブフレームによって、最高で４つまでのセルの符号化されたＣＱＩまたはＰＣＩ／ＣＱＩメッセージは、第１の報告内で送信され、最高で４つまでの別のセルの符号化されたＣＱＩまたはＰＣＩ／ＣＱＩメッセージは、第２の報告内で送信される実施形態２５または２６に記載のＷＴＲＵ。
【０３１２】
２８．  プロセッサは、ＨＳ−ＤＰＣＣＨにおいていずれのセルもアクティブ化または非アクティブ化されることを条件に、ＨＳ−ＤＰＣＣＨ内で、セルをＨＡＲＱ−ＡＣＫメッセージおよび／またはＣＱＩもしくはＰＣＩ／ＣＱＩメッセージをリマッピングし、かつ／あるいはＨＡＲＱ−ＡＣＫメッセージおよび／またはＣＱＩもしくはＰＣＩ／ＣＱＩメッセージを繰り返すように構成されている実施形態２５から２７のいずれか１つに記載のＷＴＲＵ。
【０３１３】
２９．  ＨＳ−ＤＰＣＣＨのうちのいずれか１つにおいて３つのセルがアクティブである場合、プロセッサは、２つのアクティブなセルのＨＡＲＱ−ＡＣＫ情報を結合符号化し、もう１つのアクティブなセルのＨＡＲＱ−ＡＣＫ情報をＤＴＸと結合符号化するように構成されている、実施形態２３から２８のいずれか１つに記載のＷＴＲＵ。
【０３１４】
３０．  ＨＳ−ＤＰＣＣＨのうちのいずれか１つにおいて２つのセルがアクティブである場合、プロセッサは、２つのアクティブなセルのＨＡＲＱ−ＡＣＫ情報を結合符号化し、結果として生じる符号語を繰り返して、ＨＳ−ＤＰＣＣＨのＨＡＲＱ−ＡＣＫスロットを満たすように構成されている実施形態２３から２９のいずれか１つに記載のＷＴＲＵ。
【０３１５】
３１．  ＨＳ−ＤＰＣＣＨのうちのいずれか１つにおいて１つのセルがアクティブである場合、プロセッサは、アクティブなセルのＨＡＲＱ−ＡＣＫ情報をＤＴＸと符号化し、結果として生じる符号語を繰り返して、ＨＳ−ＤＰＣＣＨのＨＡＲＱ−ＡＣＫスロットを満たすように構成されている実施形態２３から３０のいずれか１つに記載のＷＴＲＵ。
【０３１６】
３２．  ＨＳ−ＤＰＣＣＨのうちのいずれか１つにおいてアクティブなセルがない場合、プロセッサは、ＨＳ−ＤＰＣＣＨのＨＡＲＱ−ＡＣＫスロットを送信しないか、またはＤＴＸ符号語を繰り返して、ＨＳ−ＤＰＣＣＨのＨＡＲＱ−ＡＣＫスロットを満たすように構成されている実施形態２３から３１のいずれか１つに記載のＷＴＲＵ。
【０３１７】
３３．  ＨＳ−ＤＰＣＣＨのうちのいずれか１つにおいて３つのセルがアクティブである場合、プロセッサは、２つのアクティブなセルのＣＱＩまたはＰＣＩ／ＣＱＩメッセージを第１の報告内で送信し、もう１つのアクティブなセルのＣＱＩまたはＰＣＩ／ＣＱＩメッセージを第２の報告内で繰り返すように構成されている実施形態２３から３２のいずれか１つに記載のＷＴＲＵ。
【０３１８】
３４．  ＨＳ−ＤＰＣＣＨのうちのいずれか１つにおいて２つのセルがアクティブである場合、プロセッサは、１つのセルのＣＱＩまたはＰＣＩ／ＣＱＩメッセージを第１の報告内で繰り返し、他の１つのセルのＣＱＩまたはＰＣＩ／ＣＱＩメッセージを第２の報告内で繰り返すように構成されている実施形態２３から３３のいずれか１つに記載のＷＴＲＵ。
【０３１９】
３５．  ＨＳ−ＤＰＣＣＨのうちのいずれか１つにおいて１つのセルがアクティブである場合、プロセッサは、アクティブなセルのＣＱＩまたはＰＣＩ／ＣＱＩメッセージを第１の報告内で繰り返し、第２の報告を送信しないように構成されている実施形態２３から３４のいずれか１つに記載のＷＴＲＵ。
【０３２０】
３６．  ＨＳ−ＤＰＣＣＨのうちのいずれか１つにおいてアクティブなセルがない場合、プロセッサは、ＨＳ−ＤＰＣＣＨのＣＱＩまたはＰＣＩ／ＣＱＩスロットを送信しないように構成されている実施形態２３から３５のいずれか１つに記載のＷＴＲＵ。
【０３２１】
３７．  それぞれのＨＳ−ＤＰＣＣＨ上のＨＡＲＱ−ＡＣＫメッセージまたはＣＱＩもしくはＰＣＩ／ＣＱＩメッセージに関する電力オフセットが、それぞれのＨＳ−ＤＰＣＣＨ上のアクティブな二次セルの数およびＭＩＭＯ構成状態に基づいて独立して判断される実施形態２２から３６のいずれか１つに記載のＷＴＲＵ。
【０３２２】
３８．  プロセッサは、ＨＡＲＱプリアンブルおよびＨＡＲＱポストアンブルを送信するための条件が両方のＨＳ−ＤＰＣＣＨにおいて満たされることを条件に、両方のＨＳ−ＤＰＣＣＨにおいてそのプリアンブルおよびそのポストアンブルを同時に送信するように構成されている実施形態２２から３７のいずれか１つに記載のＷＴＲＵ。
【０３２３】
特徴および要素は、上で、特定の組合せで記述されているが、それぞれの特徴もしくは要素を、単独で、または他の特徴および要素と組み合わせて使用することが可能である点が当業者には理解されよう。加えて、本明細書で記述された方法は、コンピュータまたはプロセッサによって実行するために、コンピュータ可読媒体内に組み込まれたコンピュータプログラム、ソフトウェア、またはファームウェアの形で実施可能である。コンピュータ可読媒体の例は、（有線接続またはワイヤレス接続を介して送信される）電子信号およびコンピュータ可読記憶媒体を含む。コンピュータ可読記憶媒体の例は、読出し専用メモリ（ＲＯＭ）、ランダムアクセスメモリ（ＲＡＭ）、レジスタ、キャッシュメモリ、半導体メモリデバイス、内部ハードディスクおよび取外し可能ディスクなどの磁気媒体、光磁気媒体、ならびにＣＤ−ＲＯＭディスク、およびデジタル多用途ディスク（ＤＶＤ）などの光媒体を含むが、これらに限定されない。ソフトウェアと共に、プロセッサを使用して、ＷＴＲＵ、ＵＥ、端末、基地局、ＲＮＣ、または任意のホストコンピュータの中で使用するための無線周波数トランシーバを実装することが可能である。
【図１Ａ】
2014506437.tif 000041
【図１Ｂ】
2014506437.tif 000042
【図１Ｃ】
2014506437.tif 000043
【図２】
2014506437.tif 000044
【図３】
2014506437.tif 000045
【図４】
2014506437.tif 000046
【図５】
2014506437.tif 000047
【図６】
2014506437.tif 000048
【図７】
2014506437.tif 000049
【図８】
2014506437.tif 000050
【図９】
2014506437.tif 000051
【図１０】
2014506437.tif 000052
【図１１】
2014506437.tif 000053
【図１２】
2014506437.tif 000054
【図１３】
2014506437.tif 000055
【図１４】
2014506437.tif 000056
【図１５】
2014506437.tif 000057
【図１６】
2014506437.tif 000058
【国際調査報告】
2014506437.tif 000059
2014506437.tif 000060
2014506437.tif 000061